(57)【要約】      （修正有）【課題】使用者の顔にマスクを固定するためのヘッドギアを提供する。【解決手段】ヘッドギアはヘッドギアを伸長させるために第１の負荷力を必要とし、使用者にフィットすると、呼吸療法時にヘッドギアに印加される負荷力に実質的に等しい平衡フィット力を印加する。いくつかの実施形態では、ヘッドギアは、後退力を提供するように構成された弾性部分と、弾性部分に比べて非弾性となるように構成された非弾性部分と、非弾性部分及び弾性部分に結合された制限機構とを含む。制限機構は、ヘッドギアの伸長時には使用者の頭部に第１の抵抗力を、ヘッドギアの後退時には使用者の頭部に第２の抵抗力を印加するように構成されている。【選択図】図１
2020124548.tif 000002
【特許請求の範囲】
【請求項１】
使用者の頭部にフィットするように伸長及び後退するように構成された呼吸療法用ヘッドギアであって、前記ヘッドギアを伸長させるために印加される第１の負荷力と、前記ヘッドギアを後退させて前記使用者の頭部にフィットさせるために印加される第２の負荷力とを必要とし、前記第１の負荷力が呼吸療法時に前記ヘッドギアに印加される予想負荷力よりも大きく、及び前記第２の負荷力が前記予想負荷力よりも小さい、ヘッドギア。
【請求項２】
前記予想負荷力が、ＣＰＡＰ圧力による力及びホース抗力を含む合成力を含む、請求項１に記載のヘッドギア。
【請求項３】
前記第１の負荷力が前記予想負荷力よりも予備量だけ大きい、請求項１又は２に記載のヘッドギア。
【請求項４】
前記ヘッドギアに後退力を印加する弾性要素を更に含み、前記後退力が前記第２の負荷力よりも大きい、請求項１〜３のいずれか一項に記載のヘッドギア。
【請求項５】
使用者の顔にマスクを固定するためのヘッドギアであって、後退力を提供するように構成された弾性部分と、前記弾性部分に比べて非弾性となるように構成された非弾性部分と、前記非弾性部分及び前記弾性部分に結合された制限機構であって、前記ヘッドギアの伸長を可能にするための第１の抵抗力と、前記ヘッドギアの後退に応じた第２の抵抗力とを必要とするように構成されている、制限機構とを含む、ヘッドギア。
【請求項６】
前記第１の抵抗力が前記第２の抵抗力よりも大きい、請求項５に記載のヘッドギア。
【請求項７】
前記第１の抵抗力がＣＰＡＰ圧力による力及びホース抗力を含む合成抵抗力よりも大きい、請求項５又は６に記載のヘッドギア。
【請求項８】
前記第２の抵抗力がＣＰＡＰ圧力による力及びホース抗力を含む合成力よりも小さい、請求項５〜７のいずれか一項に記載のヘッドギア。
【請求項９】
使用者の頭部にフィットするように伸長及び後退するように構成されたヘッドギアであって、半径方向の引張りがない場合の第１の伸長抵抗力及び半径方向の引張りに応じた第２の伸長抵抗力を有する、ヘッドギア。
【請求項１０】
前記第１の伸長抵抗力が前記第２の伸長抵抗力よりも小さい、請求項９に記載のヘッドギア。
【請求項１１】
前記第２の伸長抵抗力が前記ヘッドギアの２つの部分の係合の結果として発生する、請求項９又は１０に記載のヘッドギア。
【請求項１２】
前記第２の伸長抵抗力がＣＰＡＰ圧力による力及びホース抗力を含む合成力よりも大きい、請求項９〜１１のいずれか一項に記載のヘッドギア。
【請求項１３】
使用者の顔にマスクを固定するためのヘッドギアであって、後退力を提供するように構成された弾性部分と、前記弾性部分に比べて非弾性となるように構成された非弾性部分と、前記非弾性部分及び前記弾性部分に結合された制限機構であって、前記ヘッドギアに半径方向の張力がかかると伸長抵抗力を印加するように構成されている、制限機構とを含む、ヘッドギア。
【請求項１４】
患者インターフェースシステムであって、
使用者の鼻及び／又は口を取り囲むようなサイズ及び形状であり、且つ前記使用者の顔と少なくとも実質的なシールを形成するように構成されたインターフェース部分と、
前記患者インターフェースシステムをガス送達システムに結合することを可能にするカップリングと、
前記インターフェース部分が前記使用者の頭部に配置及び保持されることを可能にするヘッドギアシステムであって、前記患者インターフェースシステムの使用時、弾性型伸長挙動から略非伸長型の挙動へと変形する機能を備えた変形ロック挙動を提供する、ヘッドギアシステムと
を含む、患者インターフェースシステム。
【請求項１５】
前記変形ロック挙動が機械に基づく方向ロックによって提供される、請求項１４に記載の患者インターフェースシステム。
【請求項１６】
前記ヘッドギアシステムが約０．５Ｎ〜約６５Ｎの範囲の非伸長型挙動を提供する、請求項１４又は１５に記載の患者インターフェースシステム。
【請求項１７】
前記変形ロック挙動が、ロック筐体と、可動ロック部材と、コア部材とを含む機械的な方向ロックによって提供される、請求項１４〜１６のいずれか一項に記載の患者インターフェースシステム。
【請求項１８】
前記コア部材の断面寸法が約０．１ｍｍ〜約８ｍｍの範囲である、請求項１７に記載の患者インターフェースシステム。
【請求項１９】
前記ロック部材が前記コア部材に対して約０°〜約４５°の角度範囲にわたり移動可能である、請求項１７又は１８に記載の患者インターフェースシステム。
【請求項２０】
前記ロック部材に作用し、且つロック保持力を制御する付勢機構を更に含む、請求項１７〜１９のいずれか一項に記載の患者インターフェースシステム。
【請求項２１】
前記方向ロックがロックの作動を促進するための摩擦促進部を組み込む、請求項１７〜２０のいずれか一項に記載の患者インターフェースシステム。
【請求項２２】
前記コア部材がコードである、請求項１７〜２１のいずれか一項に記載の患者インターフェースシステム。
【請求項２３】
前記コア部材がストラップである、請求項１７〜２１のいずれか一項に記載の患者インターフェースシステム。
【請求項２４】
前記変形ロック挙動が機械的接着を用いる方向ロックによって提供され、前記機械的接着が、ナノファイバー材料の使用によるファンデルウォールス力によって提供される、請求項１４に記載の患者インターフェースシステム。
【請求項２５】
前記変形ロック挙動が機械的接着を用いる方向ロックによって提供され、前記機械的接着が微細構造によって提供される、請求項１４に記載の患者インターフェースシステム。
【請求項２６】
前記弾性型伸長が、組み込まれた弾性要素を有する布バネを含む弾性型伸長システムによって提供される、請求項１４〜２５のいずれか一項に記載の患者インターフェースシステム。
【請求項２７】
前記弾性要素が塑性変形する前に前記非弾性要素が伸長に対する物理的エンドストップを提供するように前記弾性要素と前記非弾性要素とが組み合わされる編組として前記布バネが構成される、請求項２６に記載の患者インターフェースシステム。
【請求項２８】
前記編組内の弾性要素の量が前記布バネの所望の力対伸長特性を実現するように選択される、請求項２７に記載の患者インターフェースシステム。
【請求項２９】
前記変形ロック挙動が、ハウジングと、前記ハウジング内の可動ロック部材と、コア部材とを含む機械的な方向ロックによって提供され、前記ハウジングが前記コア部材の動きを案内し、前記ハウジング及び前記ロック部材の両方が単一の一体型モジュールによって形成される、請求項１４に記載の患者インターフェースシステム。
【請求項３０】
前記変形ロック挙動が、ロックモジュールと、非弾性部分と、弾性部分とを含む機械的な方向ロックによって提供され、前記ロックモジュールと、前記非弾性部分と、前記弾性部分とがモジュール式調整アセンブリを形成する、請求項１４に記載の患者インターフェースシステム。
【請求項３１】
前記インターフェース部分がマスクであり、及び前記モジュール式調整アセンブリが前記マスクのフレームに結合されている、請求項３０に記載の患者インターフェースシステム。
【請求項３２】
前記フレームが、前記ロックモジュールを受け入れるスペースを画定する１つ又は複数の壁を含む、請求項３１に記載の患者インターフェースシステム。
【請求項３３】
前記モジュール式調整アセンブリが前記ヘッドギアシステムの一部に結合されている、請求項３０に記載の患者インターフェースシステム。
【請求項３４】
前記ヘッドギアシステムの一部が、下後部ストラップ及び頭頂部ストラップの少なくとも１つを含む後部部分である、請求項３１に記載の患者インターフェースシステム。
【請求項３５】
前記ヘッドギアシステムが後頭隆起上又はその下方を通る部分を含み、前記部分が、前記頭部の後部部分に不均一な荷重を付与する特徴を組み込む、請求項１４〜３４のいずれか一項に記載の患者インターフェースシステム。
【請求項３６】
前記後頭隆起上又はその下方を通る前記部分が断続ストラップを含む、請求項３５に記載の患者インターフェースシステム。
【請求項３７】
前記断続ストラップが、カップリングによって結合された第１ストラップセクション及び第２ストラップセクションを含む、請求項３６に記載の患者インターフェースシステム。
【請求項３８】
前記カップリングが、第１のストラップ第２と、セクションストラップセクションとの間の相対運動を可能にする、請求項３７に記載の患者インターフェースシステム。
【請求項３９】
前記相対運動が前記断続ストラップの長手方向軸線を中心とした回転運動を含む、請求項３８に記載の患者インターフェースシステム。
【請求項４０】
前記ヘッドギアシステムが前記後頭隆起の上方を通る部分を更に含み、前記部分が、前記頭部の頂部部分に不均一な荷重を付与する特徴を組み込む、請求項３５〜３９のいずれか一項に記載の患者インターフェースシステム。
【請求項４１】
前記ヘッドギアシステムが後頭隆起上又はその上方を通る部分を含み、前記部分が、前記頭部に不均一な荷重を付与する特徴を組み込む、請求項１４〜３４のいずれか一項に記載の患者インターフェースシステム。
【請求項４２】
前記ヘッドギアシステムが、後部部分と、前記インターフェースシステムの各側部にある、前記後部部分を前記インターフェース部分に結合する少なくとも１つのサイドストラップとを含む、請求項１４〜３４のいずれか一項に記載の患者インターフェースシステム。
【請求項４３】
使用時、前記少なくとも１つのサイドストラップが前記使用者の外耳の上部分の前方及び前記使用者の外耳の上部分又はその近傍に位置する箇所において前記ヘッドギアシステムの前記後部部分に結合されている、請求項４２に記載の患者インターフェースシステム。
【請求項４４】
前記ヘッドギアシステムの前記後部部分が上ストラップ及び下ストラップを含み、前記少なくとも１つのサイドストラップの後方突起が前記上ストラップと前記下ストラップとの間を通る、請求項４２又は４３に記載の患者インターフェースシステム。
【請求項４５】
前記少なくとも１つのサイドストラップが三角形構成で配置されたサイドストラップの対を含む、請求項４２〜４４のいずれか一項に記載の患者インターフェースシステム。
【請求項４６】
前記変形ロック挙動が、前記ヘッドギアシステム内に収容された１つ又は複数の非伸長要素に作用し、前記ヘッドギアシステムの弾性部分を実質的に分離するロック機構によって提供される、請求項１４に記載の患者インターフェースシステム。
【請求項４７】
前記ヘッドギアシステムが、様々な頭部サイズにフィットすることを可能にする機構を組み込み、前記機構が、互いに並列に構成される弾性要素及び略非伸長要素の両方を含む、請求項１４〜４６のいずれか一項に記載の患者インターフェースシステム。
【請求項４８】
前記ヘッドギアシステムが、様々な頭部サイズにフィットすることを可能にする機構を組み込み、前記機構が、前記使用者の頭部を実質的に取り囲む１つ又は複数の略非伸長要素を含む、請求項１４〜４６のいずれか一項に記載の患者インターフェースシステム。
【請求項４９】
前記非伸長要素の第１部分が前記ヘッドギアシステムの長手方向において前記非伸長要素の第２部分に重なる、請求項４８に記載の患者インターフェースシステム。
【請求項５０】
前記第１部分及び前記第２部分が前記非伸長要素の第１端部及び第２端部である、請求項４９に記載の患者インターフェースシステム。
【請求項５１】
前記第１部分及び前記第２部分が前記非伸長要素の一端の一部である、請求項４９に記載の患者インターフェースシステム。
【請求項５２】
前記変形ロック挙動が、手動式ロック、空気圧作動式ロック、電気作動式ロック、圧電作動式ロック、油圧作動式ロック又は熱機械作動式ロックによって提供される、請求項１４に記載の患者インターフェースシステム。
【請求項５３】
前記変形ロック挙動が第１ロック力を提供する第１ロック段階及び第２ロック力を提供する第２ロック段階を有し、前記第２ロック力が前記第１ロック力よりも大きい、請求項１４〜５２のいずれか一項に記載の患者インターフェースシステム。
【請求項５４】
前記第１ロック段階が、前記第２ロック段階に比べて小さい伸長動作を有する前記略非伸長型の挙動へと転換する、請求項５３に記載の患者インターフェースシステム。
【請求項５５】
使用者の頭部にフィットするように伸長及び後退するように構成された呼吸療法用ヘッドギアであって、前記ヘッドギアを伸長させるために第１の負荷力の印加を必要とし、前記ヘッドギアが前記使用者の頭部にフィットすると、前記ヘッドギアが、呼吸療法時に前記ヘッドギアに印加される負荷力に等しい平衡保持力を提供し、前記第１の負荷力が前記平衡保持力よりも大きい、ヘッドギア。
【請求項５６】
呼吸療法時に前記ヘッドギアに印加される前記負荷力がＣＰＡＰ圧力による力及びホース抗力を含む、請求項５５に記載のヘッドギア。
【請求項５７】
前記第１の負荷力が、呼吸療法時に前記ヘッドギアに印加される前記負荷力よりも予備量だけ大きい、請求項５５又は５６に記載のヘッドギア。
【請求項５８】
前記ヘッドギアを後退させようとする後退力を印加する弾性要素を更に含む、請求項５５〜５７のいずれか一項に記載のヘッドギア。
【請求項５９】
前記後退力が、呼吸療法時に前記ヘッドギアに印加される前記負荷力よりも小さい、請求項５８に記載のヘッドギア。
【発明の詳細な説明】
【技術分野】
【０００１】
優先出願の参照による組み込み
海外又は国内優先権の主張が本願とともに提出される出願データシートに記載される一切の出願は参照により本明細書に組み込まれ、且つ本開示の一部を成す。
【０００２】
本発明は、概して、呼吸マスクインターフェースを頭部に固定するために使用される構造に関する。より具体的には、本発明は、調節機構と、既定の着用長さ及びより長い少なくとも１つの装着用の長さを提供する構成とのうちの少なくとも１つを有する全般的に自動の調節式構造に関する。
【背景技術】
【０００３】
閉塞性睡眠時無呼吸（ＯＳＡ：ｏｂｓｔｒｕｃｔｉｖｅ  ｓｌｅｅｐ  ａｐｎｅａ）は、睡眠中に喉の後部が気道を狭窄したり更には気道を完全に閉塞したりするほど大きく弛緩する睡眠状態である。気道の狭窄又は閉塞により、呼吸が数秒間以上停止したり非常に浅くなったりする場合がある。
【０００４】
ＯＳＡの治療には持続性陽圧呼吸法（ＣＰＡＰ：ｃｏｎｔｉｎｕｏｕｓ  ｐｏｓｉｔｉｖｅ  ａｉｒｗａｙ  ｐｒｅｓｓｕｒｅ）が使用される。ＣＰＡＰでは気道を広げる加圧空気の流れを送る。加圧空気の流れは呼吸マスクインターフェースを用いて使用者に送ることができる。呼吸マスクインターフェースは非弾性ストラップ又は弾性ストラップなどのマスク及びヘッドギアを含み得る。
【０００５】
弾性ストラップを有するインターフェースを装着する場合、弾性ストラップが伸張してヘッドギアを使用者の頭部上でスライドさせることが可能になる。弾性ストラップは解放されると使用者の顔に対しインターフェースを引こうとする。
【０００６】
弾性ストラップを使用する場合、マスクを顔に固定しているストラップが弾性であることから、マスク内の圧力が増加する（例えば、約４ｃｍＨ２Ｏ〜約１２ｃｍＨ２Ｏ）につれてマスクは使用者の顔から離れようとする。マスクを顔から離そうとする力は「吹出力（ｂｌｏｗ−ｏｆｆ  ｆｏｒｃｅ）」と定義され得る。
【０００７】
いくつかのマスクでは、吹出力により弾性ストラップが伸展すると、マスクによって使用者の顔にかかる力が低下する。したがって、これらのマスクでは圧力が増加するにつれて漏洩が発生する場合がある。また、より高い圧力（例えば、約１２ｃｍＨ２Ｏ）で適切に密閉されている場合、ストラップの弾性は、圧力が高い圧力レベルでないときに低い治療圧力（例えば、約４ｃｍＨ２Ｏ）において望ましくない高い圧力を使用者の顔にかける原因となる。調節可能な非弾性ストラップを有するインターフェースは漏洩の発生を低減することができるが、そのようなヘッドギアは、多くの場合、過度に締め付けるものであり、不必要な力が使用者の顔及び／又は頭部に印加されることとなる。
【０００８】
ＣＰＡＰ以外の治療用インターフェースにおいて同様の問題が生じる場合がある。例えば、呼吸マスクインターフェースは病院環境で非侵襲的換気療法（ＮＩＶ：ｎｏｎ−ｉｎｖａｓｉｖｅ  ｖｅｎｔｉｌａｔｉｏｎ）に使用される。一般に、ＮＩＶは約２０〜５０ｃｍＨ２Ｏの圧力範囲を提供する。したがって、ＮＩＶ治療においては下限治療圧力と上限治療圧力との間の差が大きくなることでＣＰＡＰに関する上記の問題が悪化する可能性がある。別の一般的な呼吸障害治療は、患者に吸気圧（ＩＰＡＰ）及び呼気圧（ＥＰＡＰ）が供給されるバイレベル気道陽圧（Ｂｉ−ｌｅｖｅｌ  ＰＡＰ）と呼ばれるものである。ＩＰＡＰとＥＰＡＰとの間の差は約１ｃｍＨ２Ｏ〜約１０ｃｍＨ２Ｏにおいて変化し得るものであり、これもまた周期的な吹出力を発生させる。
【０００９】
弾性ストラップは、また、一般に、ハイフロー療法（ＨＦＴ：Ｈｉｇｈ  Ｆｌｏｗ  Ｔｈｅｒａｐｙ）での使用のために鼻カニューレと併せて使用される。ＨＦＴでは、多くの場合、増加させた酸素量を含む高流量の呼吸ガスを送達するためにカニューレが用いられる。
【００１０】
鼻カニューレの使用時に経験する共通の課題は、ヘッドギアの伸展によりガス供給チューブが強く引っ張られ、カニューレプロングが患者の鼻から脱落するというものである。プロングが鼻から脱落すると治療の喪失が発生するおそれがある。脱落がない場合であっても、ホースがチューブを引っ張るとカニューレが曲がった状態で患者の顔に載ることになる場合がある。これにより、患者に不快感を生じさせる場合があり、且つ有効性が低下する外観となる場合がある。従来、カニューレは側方水平チューブ接続を有する。この接続では、チューブにかかる張力がある場合、カニューレが患者の鼻から不均一に引き離される場合があるが、これはカニューレの片側に力が直接伝達されることが理由である。
【発明の概要】
【発明が解決しようとする課題】
【００１１】
本発明の目的は、業界及び使用者に少なくとも有用な選択肢を提供するインターフェースを提供することである。
【課題を解決するための手段】
【００１２】
本発明のいくつかの態様は、呼吸マスクインターフェース又は他の種類の密閉された若しくは実質的に密閉されたインターフェース（例えば、鼻ピロー）を、平衡フィットを実現しつつ、使用者の顔に固定する自動調節機構を提供することに関する。本明細書で使用する場合、「平衡フィットの実現」とは、ヘッドギアが「吹出力」及びいくつかの構成においては、予想ホース引張り力（ａｎｔｉｃｉｐａｔｅｄ  ｈｏｓｅ  ｐｕｌｌ  ｆｏｒｃｅｓ）又は他の外力の一部又は全てに打ち勝つのに十分な力のみを印加することを意味する。「吹出力」はＣＰＡＰ圧力にマスクの密閉面積を乗じたものと定義され得る。平衡フィットを実現する自動調節機構により、インターフェースマスクによって使用者の顔にかかる力が最小限となり、この最小限のレベルの力によりインターフェースマスクを使用者の顔に対して密閉するのに十分なレベルの力が維持される。したがって、使用者の快適性を増加することができる。好ましくは、インターフェースアセンブリが装着されると、漏洩に対処するための任意の調節はヘッドギアアセンブリのバックル、クリップ、ストラップ等を操作するのではなくマスクインターフェースを緩やかに揺り動かす、押す又は引くことによって実施することができる。本発明の態様がカニューレデバイスなどの密閉されない又は実質的に密閉されないインターフェースに適用される場合、「平衡フィット」は、ヘッドギアカニューレループの長さが使用者の頭部の周囲に一致し、伸長に対するいくらかの抵抗を提供する場合に実現される。カニューレシステムは加圧されないことから「吹出力」はないため、ヘッドギアにはカニューレを所定の位置に保持し、任意の予想ホース引張り力に対処することのみが求められる。調節はＣＰＡＰマスク又は他の加圧若しくは密閉インターフェースにおいて用いられる用途と同様に実施され得る。
【００１３】
自動調節機構は伸展ヘッドギアアセンブリと実質的に非伸展のヘッドギアアセンブリの利点のいくつかを併せ持つ一方で、いくつかの構成においては、個々の使用者に合うようにヘッドギアアセンブリを手動調節する必要がなくなる。本明細書で使用する場合、「ヘッドギアアセンブリの手動調節」は、ヘッドギアアセンブリによって画定される周方向長さなど、ヘッドギアアセンブリに大きな調節を行うためにヘッドギアアセンブリを直接操作することを意味する。
【００１４】
伸展ヘッドギアアセンブリは装着が容易なことで知られているが、これは、伸展ヘッドギアアセンブリは使用者の頭部に装着するのに必要な長さへと弾性的に伸展させることができ、その後、使用者の頭部の周囲に合うより短い長さへと戻すことができることが理由である。その一方で、非伸展ヘッドギアアセンブリは、インターフェースマスクを所定の位置に固定するのに必要な最小限の力のみを印加し、これにより、使用者の頭部の周囲に装着する間に伸展ヘッドギアアセンブリがある程度伸展したままになるときに生じる予荷重を低減又は排除する。換言すると、広範囲の頭囲にフィットしようとするため、考え得る最小頭囲及び考え得る最大ＣＰＡＰ圧力を使用者が有する場合、伸展ヘッドギアアセンブリは、伸展ヘッドギアアセンブリがマスクインターフェースを所定の位置に固定するのに十分な力を提供するように設計されている。残念ながら、そのような設計は、伸展ヘッドギアアセンブリの伸長から生じる予荷重により、考え得る最大頭囲及び考え得る最低ＣＰＡＰ圧力を有する使用者の顔には大きな力を印加する。カニューレシステムでは、伸展ヘッドギア装置は、従来、手動で調節可能である及び／又は考え得る最小頭囲に適合するように設計されている。これにより、使用者の複数反復調節及び／又は大きな頭囲を有する使用者にとってはきついフィット性となる場合がある。
【００１５】
一態様は、使用者の頭部にフィットするように伸長及び後退するように構成されたヘッドギアを含み、ヘッドギアはヘッドギアを伸長させるために第１の負荷力の印加を必要とし、ヘッドギアが使用者の頭部にフィットするとヘッドギアは第２の負荷力を示し、伸長しない。
【００１６】
いくつかの構成においては、第１の負荷力は、第２の負荷力及び／又は呼吸療法時にヘッドギアに印加される予想負荷力よりも大きい。予想負荷力は、ＣＰＡＰ圧力による力及びホース抗力を含む合成力を含み得る。第１の負荷力は予想負荷力よりも予備量だけ大きくすることができる。第１の負荷力はヘッドギアの様々な伸長長さ全体における予想負荷力よりも大きくすることができ、及び／又は第２の負荷力はヘッドギアの伸長長さの範囲全体において予想負荷力よりも小さくすることができる。
【００１７】
一態様は、使用者の顔にマスクを固定するためのヘッドギアを含み、ヘッドギアは、後退力を提供するように構成された弾性部分と、弾性部分に比べて非弾性となるように構成された非弾性部分と、非弾性部分及び弾性部分に結合された制限機構とを含み、制限機構は、ヘッドギアの伸長を可能にするための第１の抵抗力と、ヘッドギアの後退に応じた第２の抵抗力とを必要とするように構成されている。
【００１８】
いくつかの構成においては、第１の抵抗力は第２の抵抗力よりも大きい。第１の抵抗力はＣＰＡＰ圧力による力及びホース抗力を含む合成抵抗力よりも大きいものとされ得る。第２の抵抗力はＣＰＡＰ圧力による力及びホース抗力を含む合成力よりも小さいものとされ得る。
【００１９】
一態様は、使用者の頭部にフィットするように伸長及び後退するように構成されたヘッドギアを含み、ヘッドギアは、半径方向の引張りがない場合の第１の伸長抵抗力及び半径方向の引張りに応じた第２の伸長抵抗力を有する。
【００２０】
いくつかの構成においては、第１の伸長抵抗力は第２の伸長抵抗力よりも小さい。いくつかの構成においては、第２の伸長抵抗力はヘッドギアの２つの部分の係合の結果として発生する。第２の伸長抵抗力はＣＰＡＰ圧力による力及びホース抗力を含む合成力よりも大きいものとされ得る。
【００２１】
一態様は、使用者の顔にマスクを固定するためのヘッドギアを含み、ヘッドギアは、後退力を提供するように構成された弾性部分と、弾性部分に比べて非弾性となるように構成された非弾性部分と、非弾性部分及び弾性部分に結合された制限機構とを含み、制限機構は、ヘッドギアに半径方向の張力がかかると伸長抵抗力を印加するように構成されている。
【００２２】
一態様は、使用者の鼻及び／又は口を取り囲むようなサイズ及び形状であり、且つ使用者の顔と少なくとも実質的なシールを形成するように構成されたインターフェース部分を含む患者インターフェースシステムを含む。システムは、また、患者インターフェースシステムをガス送達システムに結合することを可能にするカップリングを含む。システムは、また、インターフェース部分が使用者の頭部に配置及び保持されることを可能にするヘッドギアシステムであって、患者インターフェースシステムの使用時、弾性型伸長挙動から略非伸長型の挙動へと変形する機能を備えた変形ロック挙動を提供するヘッドギアシステムを含む。
【００２３】
いくつかの構成においては、変形ロック挙動は機械に基づく方向ロックによって提供される。
【００２４】
いくつかの構成においては、ヘッドギアシステムは約０．５Ｎ〜約６５Ｎの範囲の非伸長型挙動を提供する。
【００２５】
いくつかの構成においては、変形ロック挙動は、ロック筐体と、可動ロック部材と、コア部材とを含む機械的な方向ロックによって提供される。コアの断面寸法は約０．１ｍｍ〜約８ｍｍの範囲とされ得る。ロック部材はコア部材に対して約０°〜約４５°の角度範囲にわたり移動可能とされ得る。付勢機構はロック部材に作用し、且つロック保持力を制御し得る。方向ロックはロックの作動を促進するための摩擦促進部を組み込み得る。
【００２６】
いくつかの構成においては、コア部材はコードである。いくつかの構成においては、コア部材はストラップである。
【００２７】
いくつかの構成においては、変形ロック挙動は機械的接着を用いる方向ロックによって提供され、機械的接着は、ナノファイバー材料の使用によるファンデルウォールス（Ｖａｎ  ｄｅｒ  Ｗａｌｌｓ）力によって提供される。
【００２８】
いくつかの構成においては、変形ロック挙動は機械的接着を用いる方向ロックによって提供され、機械的接着は微細構造によって提供される。
【００２９】
いくつかの構成においては、弾性型伸長は、組み込まれた弾性要素を有する布バネを含む弾性型伸長システムによって提供される。布バネは、弾性要素が塑性変形する前に非弾性要素が伸長に対する物理的エンドストップを提供するように弾性要素と非弾性要素とが組み合わされる編組として構成され得る。編組内の弾性要素の量は布バネの所望の力対伸長特性を実現するように選択され得る。
【００３０】
いくつかの構成においては、変形ロック挙動は、ハウジングと、ハウジング内の可動ロック部材と、コア部材とを含む機械的な方向ロックによって提供され、ハウジングはコア部材の動きを案内し、ハウジング及びロック部材の両方は単一の一体型モジュールによって形成される。
【００３１】
いくつかの構成においては、変形ロック挙動は、ロックモジュールと、非弾性部分と、弾性部分とを含む機械的な方向ロックによって提供され、ロックモジュールと、非弾性部分と、弾性部分とはモジュール式調整アセンブリを形成する。
【００３２】
いくつかの構成においては、インターフェース部分はマスクであり、及びモジュール式調整アセンブリはマスクのフレームに結合されている。フレームは、ロックモジュールを受け入れるスペースを画定する１つ又は複数の壁を含み得る。
【００３３】
いくつかの構成においては、モジュール式調整アセンブリはヘッドギアシステムの一部に結合される。ヘッドギアシステムの一部は、下後部ストラップ及び頭頂部ストラップの少なくとも１つを含み得る後部部分である。
【００３４】
いくつかの構成においては、ヘッドギアシステムは後頭隆起上又はその下方を通る部分を含み、この部分は、頭部の後部部分に不均一な荷重を付与する特徴を組み込む。
【００３５】
いくつかの構成においては、後頭隆起上又はその下方を通る部分は断続ストラップを含む。断続ストラップは、カップリングによって結合された第１ストラップセクション及び第２ストラップセクションを含み得る。カップリングは、第１のストラップ第２と、セクションストラップセクションとの間の相対運動を可能にし得る。相対運動は断続ストラップの長手方向軸線を中心とした回転運動を含み得る。
【００３６】
いくつかの構成においては、ヘッドギアシステムは後頭隆起の上方を通る部分を含み得る。この部分は、頭部の頂部部分に不均一な荷重を付与する特徴を組み込む。
【００３７】
いくつかの構成においては、ヘッドギアシステムは後頭隆起上又はその上方を通る部分を含み、この部分は、頭部に不均一な荷重を付与する特徴を組み込む。
【００３８】
いくつかの構成においては、ヘッドギアシステムは、後部部分と、インターフェースシステムの各側部にある、後部部分をインターフェース部分に結合する少なくとも１つのサイドストラップとを含む。使用時、少なくとも１つのサイドストラップは使用者の外耳の上部分の前方及び使用者の外耳の上部分又はその近傍に位置する箇所においてヘッドギアシステムの後部部分に結合され得る。ヘッドギアシステムの後部部分は上ストラップ及び下ストラップを含み得る。少なくとも１つのサイドストラップの後方突起は上ストラップと下ストラップとの間を通る。少なくとも１つのサイドストラップは三角形構成で配置されたサイドストラップの対を含み得る。
【００３９】
いくつかの構成においては、変形挙動は、ヘッドギアシステム内に収容された１つ又は複数の非伸長要素に作用し、ヘッドギアシステムの弾性部分を実質的に分離するロック機構によって提供される。
【００４０】
いくつかの構成においては、ヘッドギアシステムは、様々な頭部サイズにフィットすることを可能にする機構を組み込み、この機構は、互いに並列に構成される弾性要素及び略非伸長要素の両方を含む。
【００４１】
いくつかの構成においては、ヘッドギアシステムは、様々な頭部サイズにフィットすることを可能にする機構を組み込み、この機構は、使用者の頭部を実質的に取り囲む１つ又は複数の略非伸長要素を含む。いくつかの構成においては、非伸長要素の第１部分はヘッドギアシステムの長手方向において非伸長要素の第２部分に重なる。第１部分及び第２部分は非伸長要素の第１端部及び第２端部とされ得る。第１部分及び第２部分は非伸長要素の一端の一部とされ得る。
【００４２】
いくつかの構成においては、変形ロック挙動は、手動式ロック、空気圧作動式ロック、電気作動式ロック、圧電作動式ロック、油圧作動式ロック又は熱機械作動式ロックによって提供される。
【００４３】
いくつかの構成においては、変形ロック挙動は第１ロック力を提供する第１ロック段階及び第２ロック力を提供する第２ロック段階を有し、第２ロック力は第１ロック力よりも大きい。いくつかの構成においては、第１ロック段階は第２ロック段階に比べて小さい伸長動作を有する略非伸長型の挙動へと転換することができる。
【００４４】
一態様は、使用者の頭部にフィットするように伸長及び後退するように構成された呼吸療法用のヘッドギアを含む。ヘッドギアはヘッドギアを伸長させるために第１の負荷力の印加を必要とする。ヘッドギアが使用者の頭部にフィットすると、ヘッドギアは、呼吸療法時にヘッドギアに印加される負荷力に等しい平衡保持力を提供する。第１の負荷力は平衡保持力よりも大きい。
【００４５】
いくつかの構成においては、呼吸療法時にヘッドギアに印加される負荷力はＣＰＡＰ圧力による力及びホース抗力を含む。いくつかの構成においては、第１の負荷力は、呼吸療法時にヘッドギアに印加される負荷力よりも予備量だけ大きい。いくつかの構成においては、ヘッドギアを後退させようとする後退力を弾性要素が印加する。後退力は、呼吸療法時にヘッドギアに印加される負荷力よりも小さいものとされ得る。
【００４６】
本明細書及び特許請求の範囲で使用される用語「含む（ｃｏｍｐｒｉｓｉｎｇ）」は、「少なくとも部分的に〜からなる（ｃｏｎｓｉｓｔｉｎｇ  ａｔ  ｌｅａｓｔ  ｉｎ  ｐａｒｔ  ｏｆ）」を意味する。「含む（ｃｏｍｐｒｉｓｉｎｇ）」が含まれる本明細書及び特許請求の範囲の記載を解釈する場合には、この用語に先行するもの以外の特徴も存在し得る。「含む（ｃｏｍｐｒｉｓｅ）」及び「含む（ｃｏｍｐｒｉｓｅｓ）」などの関連用語も同様とみなされる。
【００４７】
本明細書で特許明細書、他の外部文献、又はその他の情報源を参照する場合、これは一般に本発明の特徴について論じるための状況を提供するためである。特に明示されない限り、このような外部文献の参照はこのような文献若しくはこのような情報源があらゆる管轄権において先行技術である、又は当技術分野における共通の一般知識の一部を成すことを許可するものと解釈すべきではない。
【００４８】
本発明の特定の特徴、態様及び利点に従い配置及び構成された種々の実施形態を参照し、これら及び他の特徴、態様及び利点について記載する。実施形態は単に説明のために使用され、本発明を限定するものではない。
【図面の簡単な説明】
【００４９】
【図１】本発明の特定の特徴、態様及び利点に従い配置及び構成された、ヘッドギアとともに利用可能な使用者インターフェースの斜視図である。
【図２】ヘッドギア装着及び調節の３つのフェーズの概略図であり、各フェーズに関連する力プロファイルも示す。
【図３】ヘッドギア装着及び調節の第１のフェーズの概略図であり、第１のフェーズに関連する力プロファイルも示す。
【図４】ヘッドギア装着及び調節の第２のフェーズの概略図であり、第２のフェーズに関連する力プロファイルも示す。
【図５】ヘッドギア装着及び調節の第３のフェーズの概略図であり、第３のフェーズに関連する力プロファイルも示す。
【図６】需要機構（ｄｅｍａｎｄ  ｍｅｃｈａｎｉｓｍ）に対し抵抗を有するヘッドギアに関連する力プロファイルのグラフ図である。
【図７Ａ】需要機構に対し抵抗を有するヘッドギアの一実施形態の概略図である。
【図７Ｂ】図７Ａに示されるヘッドギアの実施形態の図である。
【図８】需要機構に対し抵抗を有するヘッドギアの第２の実施形態の概略図である。
【図９】需要機構に対し抵抗を有するヘッドギアの第３の実施形態の概略図である。
【図１０】需要機構に対し抵抗を有するヘッドギアの第４の実施形態の概略図である。
【図１１Ａ】需要機構に対し抵抗を有するヘッドギアの第５の実施形態の概略図である。
【図１１Ｂ】図１１Ａに示されるヘッドギアの伸長及び後退の概略図である。
【図１１Ｃ】図１１Ａに示されるヘッドギアの一実施形態の図である。
【図１１Ｄ】図１１Ａに示されるヘッドギアの第２の実施形態の図である。
【図１２】需要機構に対し抵抗を有するヘッドギアの第６の実施形態の概略図である。
【図１３】需要機構に対し抵抗を有するヘッドギアの第７の実施形態の概略図である。
【図１４】伸長機構の始動に対して高い抵抗を有するヘッドギアに関連する力プロファイルのグラフ図である。
【図１５Ａ】伸長機構の始動に対して高い抵抗を有するヘッドギアの一実施形態の概略図である。
【図１５Ｂ】伸長機構の始動に対して高い抵抗を有するヘッドギアの第２の実施形態の概略図である。
【図１６】伸長機構の始動に対して高い抵抗を有するヘッドギアの第３の実施形態の概略図である。
【図１７】伸長機構に対して反復する高い抵抗を有するヘッドギアに関連する力プロファイルのグラフ図である。
【図１８Ａ】伸長に抵抗する機構とともに示される、伸長機構に対して反復する高い抵抗を有するヘッドギアの一実施形態の概略図である。
【図１８Ｂ】後退を可能にする示される機構を有する図１８Ａに示される、伸長機構に対して反復する高い抵抗を有するヘッドギアお実施形態の概略図である。
【図１９Ａ】図１８Ａの実施形態の図である。
【図１９Ｂ】図１８Ａの実施形態の第２の図である。
【図２０】大ヒステリシス機構（ｌａｒｇｅ  ｈｙｓｔｅｒｅｓｉｓ  ｍｅｃｈａｎｉｓｍ）を有するヘッドギアに関連する力プロファイルのグラフ図である。
【図２１Ａ】自由運動を可能にする機構とともに示される、大ヒステリシス機構を有するヘッドギアの一実施形態の概略図である。
【図２１Ｂ】運動に対する高摩擦抵抗を提供する機構とともに図２１Ａに示されるヘッドギアの実施形態の概略図である。
【図２２】図２１Ａ及びＢに示されるヘッドギアの一実施形態の図である。
【図２３】大ヒステリシス機構を有するヘッドギアの第２、第３及び第４の実施形態の概略図である。
【図２４】大ヒステリシス機構を有するヘッドギアの第５の実施形態の概略図である。
【図２５Ａ】大ヒステリシス機構を有するヘッドギアの第６の実施形態の概略図である。
【図２５Ｂ】自由運動を可能にする機構とともに示される、図２５Ａに示されるヘッドギアの実施形態の別の概略図である。
【図２５Ｃ】運動に対する高摩擦抵抗を提供する機構とともに示される、図２５Ａに示されるヘッドギアの実施形態の第３の概略図である。
【図２６Ａ】大ヒステリシス機構を有するヘッドギアの一実施形態の図である。
【図２６Ｂ】図２６に示されるヘッドギアの第２の図である。
【図２７Ａ】大ヒステリシス機構を有するヘッドギアの第７の実施形態の概略図である。
【図２７Ｂ】後退モードにある、図２７Ａに示される実施形態の図である。
【図２７Ｃ】伸長を制限するモードにある、図２７Ａに示される実施形態の第２の図である。
【図２８Ａ】大ヒステリシス機構を有するヘッドギアの第８の実施形態の概略図である。
【図２８Ｂ】図２８Ａに示される実施形態の図である。
【図２８Ｃ】大ヒステリシス機構を有するヘッドギアの第９の実施形態の概略図である。
【図２９】大ヒステリシス機構を有するヘッドギアの第１０の実施形態の概略図である。
【図３０】緩い又はきついフィット性への調節を可能にするヘッドギアの力プロファイルのグラフ図である。
【図３１Ａ】本明細書中に記載される平衡フィット機構の１つを有するヘッドギアによって使用者の頭部に種々のＣＰＡＰ圧力で印加される力のグラフ図である。
【図３１Ｂ】本明細書中に記載される平衡フィット機構の１つを有しないヘッドギアによって使用者の頭部に種々のＣＰＡＰ圧力で印加される力のグラフ図である。
【図３１Ｃ】本明細書中に記載される平衡フィット機構の１つを有するヘッドギアと、本明細書中に記載される平衡フィット機構の１つを有しないヘッドギアとの間における、種々のＣＰＡＰ圧力で使用者の頭部に印加される力の差のグラフ図である。
【図３２】ハウジングのロックチャンバ内の可動ロック部材と、ロック部材によって係合されたコア部材とを用いる方向ロックの局部断面図である。
【図３３】図３２のロックに類似する方向ロックの局部断面図を示す。図３３の方向ロックは、スリップ力に作用し、ロックに二次ロック位置を提供する解放機構を含む。
【図３４】ロック部材のロック角度と、図３２及び図３３の方向ロックなどの方向ロックのスリップ力との間の関係を示すグラフである。
【図３５】図３３の方向ロックなどの二次ロック位置を有する方向ロックの解放要素の変化に起因し得るスリップ力の変化を示すグラフである。
【図３６】微細構造を用いた方向ロック機構を有するインターフェースアセンブリの断面図である。
【図３７】微細構造を含むインターフェースアセンブリの２つの部分を示す図３６のインターフェースアセンブリの一部の拡大図である。
【図３８】図３６及び図３７のインターフェースアセンブリの微細構造として用いられ得るマイクロファイバー又はナノファイバーの図である。
【図３９】図３６及び図３７のインターフェースアセンブリの微細構造として用いられ得る複数の突起の図である。
【図４０】平坦ストラップと、ハウジングによって支持されるロックプレートとを用いる方向ロックの側面図である。ロックプレートは解放位置にある。
【図４１】ロックプレートがロック位置にある図４０の方向ロックの側面図である。
【図４２】ロックプレートとストラップとの間の係合を強化する作動機構を示す図４０の方向ロックのロックプレート及びストラップの断面図である。
【図４３】使用者に取り付けられている、少なくとも１つの方向ロック機構を組み込んだインターフェースアセンブリの斜視図である。
【図４４】完全装着位置に近い位置にある図４３のインターフェースアセンブリの斜視図である。
【図４５】使用者に装着された図４３のインターフェースアセンブリの斜視図である。
【図４６】弛緩位置にある図４３のインターフェースアセンブリの方向ロック機構の側面図である。
【図４７】伸長位置にある図４６の方向ロック機構の側面図である。
【図４８】動作位置にある図４６の方向ロック機構の側面図である。
【図４９】図４６〜４８の方向ロック機構の弾性ストラップを形成する編組の一部を示す。
【図５０】圧縮位置にある図４９の編組を示す。
【図５１】伸長位置にある図４９の編組を示す。
【図５２】図４９の編組を作製するための機械及び方法を示す。
【図５３】弾性線維を組み込んだ編組の断面図である。
【図５４】平坦配向にある図５３の編組の図である。
【図５５】使用者に装着された断続ストラップ配置を有するヘッドギアアセンブリの後部部分の後部斜視図である。
【図５６】ストラップの一部が関節式カップリングによって結合されている、使用者に装着された断続ストラップ配置を有するヘッドギアアセンブリの後部部分の後部斜視図である。
【図５７】使用者に装着された、ヘッドギアアセンブリの後部部分と使用者インターフェースとの間にサイドストラップを有するインターフェースアセンブリの側面図である。
【図５８】使用者に装着された、ヘッドギアアセンブリの後部部分と使用者インターフェースとの間に一対のサイドストラップを三角形配置で有するインターフェースアセンブリの側面図である。
【図５９】モジュール式方向ロック機構の一部を形成し得る図４６〜４８のものに類似するロック機構の側面図である。
【図６０】マスクに組み付けられた図５９のロック機構の斜視図である。
【図６１】弾性部分及び非弾性部分を有し、完全なループを画定するヘッドギア機構の斜視図である。
【図６２】図６１のヘッドギア機構の頂面図である。
【図６３】比較的後退した位置にある図６１のヘッドギア機構の頂面図である。
【図６４】比較的伸長した位置にある図６１のヘッドギア機構の頂面図である。
【図６５】方向ロックの第１の配置例を示す図６１のヘッドギア機構の頂面図である。
【図６６】方向ロックの第２の配置例を示す図６１のヘッドギア機構の頂面図である。
【図６７】弾性部分及び非弾性部分を有し、断続ループを画定するヘッドギア機構の斜視図である。
【図６８】図６７のヘッドギア機構の頂面図である。
【図６９】比較的後退した位置にある図６７のヘッドギア機構の頂面図である。
【図７０】比較的伸長した位置にある図６７のヘッドギア機構の頂面図である。
【図７１】方向ロックの第１の配置例を示す図６７のヘッドギア機構の頂面図である。
【図７２】方向ロックの第２の配置例を示す図６７のヘッドギア機構の頂面図である。
【図７３】ＣＰＡＰ平衡フィット、カニューレ平衡フィット、ＣＰＡＰ動作エンベロープに対する高力弾性ストラップ及び低力弾性ストラップの力プロファイルを示すグラフである。
【図７４】多段式方向ロックの局部断面図である。
【図７５】多段式方向ロックの力プロファイルを示すグラフである。
【図７６】密閉式患者インターフェースを含む特定タイプの呼吸療法に伴う力の図表である。
【発明を実施するための形態】
【００５０】
まず図１を参照すると、インターフェースアセンブリ１００が示される。インターフェースアセンブリ１００は任意の適切な構成を有することができる。示されるインターフェースアセンブリ１００は鼻マスクであるが、いくつかの構成においては、本発明の特定の特徴、態様及び利点は、フルフェイスマスク、鼻マスク、鼻ピロー、鼻口マスク、口マスク及びカニューレを含むが、これらに限定されない任意の種類のインターフェースにおいて使用され得る。
【００５１】
示されるインターフェースアセンブリ１００は、全般的に、シール１０４を支持するフレーム１０２を含む。フレーム１０２及び／又はシール１０４は供給導管１０６に結合され得る。いくつかの構成においては、供給導管１０６はエルボ１１０によってフレームに結合され得る。供給導管１０６はシール１０４を介して使用者に呼吸ガスを供給するために使用され得る。シール１０４又はシール１０４とフレーム１０２との組み合わせは、供給導管１０６から呼吸ガスを受け取るチャンバを画定し得る。
【００５２】
インターフェースアセンブリ１００は取付箇所１１２を含む。取付箇所１１２は、フレーム１０２、シール１０４、導管１０６及びエルボ１１０の少なくとも１つに形成され得る。任意の適切な取付箇所１１２がインターフェースアセンブリ１００と１つ又は複数のヘッドギアアセンブリとの間の結合を容易にするために使用され得る。これについては以下に記載する。いくつかの構成においては、取付箇所１１２により、ヘッドギアアセンブリとインターフェースアセンブリ１００との結合及び分離が容易になる。いくつかの構成においては、ヘッドギアアセンブリとインターフェースアセンブリ１００は、ヘッドギアアセンブリがインターフェースアセンブリ１００の１つ又は複数の構成要素から一般に取り外すことができないように接合され得る。いくつかの構成においては、ヘッドギアアセンブリとインターフェースアセンブリ１００と一体形成され得る。
【００５３】
図７６を参照すると、密閉式患者インターフェースを用いる特定タイプの陽圧呼吸療法に伴う力の説明を容易にするための図表２３００が提供される。使用者の顔上で密閉する患者インターフェースに関しては、ブロック２３０２に示されるように、インターフェース（例えばマスク）は使用者の顔と協働して密閉チャンバを作製する。加圧呼吸ガスが密閉チャンバに送られ、使用者の顔から離そうとする力を発生させる。この力は（投影）密閉面積に陽圧を乗じたものに略等しく、多くの場合、ブロック２３０４に示されるように、「吹出」力と呼ばれる。ヘッドギアの機能は、ブロック２３０６に示されるように、吹出力に応答してマスクを拘束し、マスクを使用者の顔に対して平衡密閉状態に維持することである。ブロック２３０８に示されるように、吹出力はヘッドギアに応力を加え、それを伸長しようとし、ヘッドギアに張力をかける。加えて、ブロック２３１０に示されるように、ヘッドギアは、使用者の頭部の、ヘッドギアが接触している領域に力を印加する。接触領域に印加される力はヘッドギアの「皮膚圧力（ｓｋｉｎ  ｐｒｅｓｓｕｒｅ）」と呼ばれ得る。シール１０４又はシール１０４とフレーム１０６との組み合わせによって画定されるチャンバ内の空気圧が上昇するにつれて、ヘッドギアによって印加される力はインターフェースアセンブリ１００が顔から持ち上がるのを抑制しようとする。したがって、ヘッドギアによって印加される力は全般的に増加し、マスク内の増加する圧力によって生じる増加する力に抗する。吹出力は任意の特定の圧力の種々のタイプ及びサイズのインターフェースで異なる。それでも、低い圧力が低い場合、あるいは、カニューレの場合で圧力がかからない場合、吹出力に抗するために必要な力は低下する。
【００５４】
したがって、及び説明するように、本明細書中に記載されるヘッドギアアセンブリは、「平衡フィット（ｂａｌａｎｃｅｄ  ｆｉｔ）」を実現するように設計され得ることが好ましい。いくつかの構成においては、ヘッドギアアセンブリは、全般的に、例えば、伸展構成要素（弾性体とも呼ばれる）と、非伸展構成要素（非弾性体又は弾性でないものとも呼ばれる）と、ヘッドギアの伸長を制限する機構と、ヘッドギアアセンブリを取付箇所１１２に結合し得るカップリングとを含むが、これに限定されるものではない。少なくともいくつかの構成においては、平衡フィットは、実質的に非伸展経路を作製し、使用時の又は通常動作上の力（例えば、吹出力及び／又はホース引張力、所望の場合はそれに加えて予備力）に応じたヘッドギア内の応力を分散させることによって実現され得る。使用時に示される力よりも高い力において、ヘッドギアは装着のための伸展様の挙動を呈し得る。いくつかの構成においては、ヘッドギアアセンブリは伸展構成要素を含まなくてもよい。例えば、ヘッドギアは手動で伸長及び後退され得る。ヘッドギアの種々の実施形態については以下に記載する。
【００５５】
伸展構成要素がある場合は任意の適切な構成を有することができる。伸展構成要素は約３０ＭＰａ未満の引張係数を有する任意の構成要素とされ得る。引張係数は、力が軸線に沿って印加されるときにその軸線に沿って弾性的に変形される（すなわち非永久的に）傾向を数学的に記述したものであり、引張係数は材料が弾性的に挙動する場合の応力と対応するひずみとの比率である。いくつかの構成においては、伸展構成要素はコーティングされた紡績糸材料とすることができ、伸展構成要素は、ゴム及びスパンテックス又はエラスタン（例えば、ＬＹＣＲＡ）などであるが、これらに限定されない材料を含み得る。いくつかの構成においては、伸展構成要素はストラップ又はストラップの組み合わせとされ得る。いくつかの構成においては、伸展構成要素は伸縮可能又は弾性材料で形成され得る。いくつかの構成においては、伸展構成要素により、ヘッドギアを伸張又は延長することが可能になり、伸展構成要素は、また、ヘッドギアを収縮又は短縮する機能を果たす後退力を提供する。収縮又は短縮は伸展構成要素の弾性特性により生じ得る。収縮又は短縮により、ヘッドギアを使用者の頭囲（加えてマスクのサイズ）によりぴったりと合わせることが可能になる。一般に、ヘッドギア長さは弛緩長さによって画定され、ヘッドギアはその長さに復帰しようとする。他に断りのない限り、収縮を意味するのはこの伸長後の弛緩長さへの復帰である。
【００５６】
非伸展構成要素は伸展制限部として機能し得る。非伸展構成要素は任意の適切な構成を有し得る。いくつかの構成においては、非伸展構成要素は伸展構成要素に比べてより高い弾性係数を有する。伸展構成要素は約３０ＭＰａを超える引張係数を有する任意の構成要素とすることができる。いくつかの構成においては、非伸展構成要素は指定降伏力よりも低い力によるヘッドギアの伸長を制限する。いくつかの構成においては、非伸展材料の降伏点はヘッドギアに印加されることが予想される任意の荷重よりも高い。いくつかの構成においては、ヘッドギアが頭部に取り付けられると、非伸展構成要素はヘッドギアの伸長に抵抗する。いくつかの構成においては、ヘッドギアが頭部に取り付けられ、ＣＰＡＰ圧力がマスクに印加されると、非伸展構成要素はヘッドギアの伸長に抵抗する。したがって、いくつかの構成においては、非伸展構成要素（場合によっては以下に記載する機構との組み合わせにおいて）は、少なくともＣＰＡＰ圧力が印加されているときには伸展構成要素の伸長を妨げる又は伸展構成要素の伸長に抵抗することができる。カニューレの場合、非伸展構成要素はホースの引張りなどの外力の作用下でのカニューレの動きに抵抗することができる。
【００５７】
機構は、指定降伏力よりも低い力がヘッドギアに印加されたときにはヘッドギアの伸張又は伸長を制限することができる任意の適切な機構とされ得る。いくつかの構成においては、機構は使用者によって労力なく動作される（例えば、機構は自動である）。つまり、少なくともいくつかの構成においては、機構は、自動的に動かすことも、指定降伏力未満において伸長又は伸張が制限されるモードへと切り換えることもできる。しかしながら、マスクの着用にはヘッドギアを伸長させるために降伏力を超える労力などの使用者の労力が求められてもよい。いくつかの構成においては、機構は、指定降伏力よりも低い力がヘッドギアに印加されたときにはヘッドギアの伸長又は伸張を制限することが可能な運動抵抗力（ｍｏｔｉｏｎ  ｒｅｓｉｓｔａｎｃｅ  ｆｏｒｃｅ）を印加することができる。いくつかのそのような構成においては、運動抵抗力は摩擦力とされ得る。指定降伏力、つまり、ヘッドギア機構の運動抵抗力に打ち勝ち、ヘッドギアの伸長が可能になる力は、（１）約４〜２０ｃｍＨ２Ｏの範囲が予想される場合に使用時に特定のマスクに生じ得る最大吹出力、並びに（２）ＣＰＡＰホースの任意の引張りを可能にする予備力及び使用者のフィット性の好みの差によって決定されてもよい。一般に、延長又は伸長力と最大平衡フィット力との間の差と定義される予備力は、バランスフィット力（ｂａｌａｎｃｅｄ  ｆｉｔ  ｆｏｒｃｅ）を超える、実質的なヘッドギアの伸長を起こすことなく追加の力がヘッドギアに印加され得るバッファを提供することができる。予備力成分は、使用者の頭部からヘッドギアを引くように機能し得るホースの引張りなどの任意の追加の力を補償することができる。いくつかの構成においては、運動抵抗力は、弛緩してヘッドギアの後退又は収縮を可能にする一方で、ヘッドギアの伸長を制限するために印加され得る。いくつかの構成においては、機構はヘッドギア長さを固定する、又はそうでなければ固定するために一方向摩擦を用いることができる。例えば、長さは、最小伸長による吹出力を超える力によってのみ打ち勝つことができる摩擦力を用いて固定することができる。そのような機構は、本明細書中では、方向ロック機構又は方向ロックと呼ばれ得る。本明細書で使用する場合、用語「ロック（ｌｏｃｋ）」は吹出力及び／又はホース引張り力などの特定の力に応答してヘッドギア長さを固定する機構を含むことを意図する。「ロック」は必ずしも全ての力に応答してヘッドギア長さを固定する必要はない。好ましくは、いくつかの構成においては、ロックの保持力（「ロック力」）には装着プロセスの取り付け部分の間に手動で印加される力などによって打ち勝つことができる。
【００５８】
上述のように、ヘッドギアは、マスクを使用者の頭部周囲にフィットさせるために伸展又は伸長され得る。機構は、ヘッドギアの伸展又は伸長を可能にしつつも、ＣＰＡＰ圧力が印加されたときにシールが全般的に所定の位置に保持され、ヘッドギアが実質的に伸長しないようにヘッドギアの長さを固定するための手段を提供する。いくつかの構成においては、機構が係合している間に少量の伸長が生じてもよい。
【００５９】
いくつかの構成においては、一方向摩擦式ヘッドギアは、手動調節がほとんどない既存の伸展ヘッドギアと同様の使用の容易さとともに、非伸展ヘッドギアの利点の全てを使用者に提供するように設計された機構を組み込むことができる。
【００６０】
弾性ヘッドギアの伸展は、一般に、シールの維持において有用ではない。顔を密閉するマスクは常に吹出力を発生させ、更にはヘッドギアの反力を発生させる。この力によりヘッドギアが伸展し、シールのフィット性に影響を及ぼす。伸展ヘッドギアは、したがって、ヘッドギアに調節を施すことなく高い圧力において平衡フィットが得られる場合は、この変化を予見し且つ補償するために過度に締め付けねばならず、低い圧力では非平衡なフィット性となる。
【００６１】
一方向摩擦機構は、シールが設けられると、ヘッドギアの非伸展ストラップ構成要素がその長さを変えるのを停止することができる。ＣＰＡＰ機械がオンにされ、シールが設けられると、フィット性の好み、顔の形状等のような各使用者の変動要素により、使用者の顔から離れる方にマスクを押そうとする吹出力が生成される。この吹出力は、非伸展ストラップがその長さを変える可能性を低減又は排除し、様々な圧力において平衡フィットを生じる一方向摩擦機構によって打ち消してもよい。
【００６２】
顔に対して密閉されたマスクは実質的に圧力容器である。マスクは、気密性を維持し、シールを形成するために顔に押し付ける必要がある。必要な絶対最小力は、（投影）密閉面積に陽圧を乗じたものに等しい。この力は、方向が顔から離れる方に向いているため吹出力である。この力を平衡させることがヘッドギアの主な機能である。平衡フィットはヘッドギアの反力が吹出力に実質的に一致したときに実現される。カニューレ実施形態では、一般に、患者とカニューレとの間にシールがないため、吹出力がない。平衡フィットは、したがって、ヘッドギアアセンブリ周長が使用者の頭囲に一致し、伸長又は伸張に対するいくらかの抵抗を提供する場合に実現され得る。カニューレシステムにおいては、本明細書中に記載される自己フィット式ヘッドギアにより、それぞれ手動調節式及び伸縮自在なヘッドギアにおいて生じ得る過度な締め付け及び過度の力なしに迅速且つ容易な装着が可能になる。
【００６３】
投影密閉面積（同じ特定圧力であっても）は人によって異なり、顔の特徴及び個人のフィット性の好みに依存する。平らな顔の人とより「凹凸のある」顔との間の差を考慮されたい。平らな顔にシールを設けることは、密閉面積が狭く、対応する吹出力が低いためにより簡単であると思われる。同様に、同じ人に同じ圧力で、緩い又はきついフィット性のいずれかなどの異なるフィット性のシールを施し且つ維持することができる。これは膨張式シールを有するマスクにおいて特に当てはまる。緩いフィット性により、面積が狭くなり、対応するより吹出力が低くなる。
【００６４】
平衡フィットによって、ヘッドギアと使用者の頭部との間の力はシールを得るために必要な力の量に等しくなる。標準的なヘッドギア設計を用いる場合、使用者に快適性を付与するために圧力を夜通し変化させるＣＰＡＰの特徴により状況が複雑になる場合がある。圧力を夜通し変化させることにより、吹出力の量が夜通し変化する。平衡フィット機構を組み込むヘッドギアによって、反力はＣＰＡＰ圧力の低下と協調して低下する。
【００６５】
ホースの引張りは、使用者が睡眠姿勢を変えるときのＣＰＡＰ又はカニューレホースの引きずりに起因する付加的な力である。ホース抗力により、ヘッドギアにかかる力が一時的に増加する。この力が機構の伸長に対する抵抗を超えた場合にフィット性が変化し、これにより漏洩及び／又は不快感が生じる場合がある。
【００６６】
以下に記載するヘッドギアを着用している間に使用者が睡眠姿勢を変えるため、ヘッドギアのフィット性を変えることが必要な場合がある。この時点で、シールを顔の方に押す又は揺り動かす自然の相互作用により、ストラップが自動的に任意の余分な長さ後退し、新たなフィット性を維持することとなる。いくつかの状況においては、ヘッドギアの長さを増加するためにマスク又はシールを顔から引き離してもよい。
【００６７】
以下に記載するヘッドギアを着用中にインターフェースを取り外すため、シールは機構の最大保持力よりも大きな力によって前方に引っ張ることができる。これにより、ヘッドギアが延びて、シールを使用者の顔及び頭部上から引き離すことが可能になる。取り外されると、ヘッドギアにかかる力の不足によりヘッドギアはその弛緩サイズへと自動的に後退する。
【００６８】
いくつかの構成においては、ヘッドギアは３フェーズ力伸長装着プロファイル（ｔｈｒｅｅ  ｐｈａｓｅ  ｆｏｒｃｅ  ｅｘｔｅｎｓｉｏｎ  ｆｉｔ  ｐｒｏｆｉｌｅ）を適用する。この概要については図２に示す。取付フェーズ２００では、ヘッドギアを使用者の頭部に渡すように伸展させる。グラフは伸長時の抵抗を示す。負荷曲線２０２は、ヘッドギアの伸長の初期の間は負荷の急な上昇を示し、その後、ヘッドギアがより大きな頭囲に適応するために更に伸張するにつれて略一定の平らな伸展曲線へと移行する。調節フェーズ２０４では、ヘッドギアは後退し、所望のフィット性が得られるまで伸張状態から復帰する。負荷曲線２０６は、ヘッドギアが後退して使用者の頭部上にフィットする際の初期の負荷減少を示し、また、ヘッドギアが更に後退して使用者の頭囲にフィットする際の低い負荷力を示す。第３のフェーズである平衡フィットフェーズ２０８では、ヘッドギアは、ＣＰＡＰ圧力が印加される際、使用者の頭部上でその位置を保持するように調節される。負荷曲線２１０は、ＣＰＡＰ圧力によりヘッドギアの負荷力の上昇が吹出力と平衡し、また、ホースの引張りなどの更なる力に抵抗することを示す。カニューレ実施形態の場合、平衡フィットはフェーズ２の終わりに得られるものであり、フェーズ３は、一般に、ホースの引張りなどの外力がかけられた場合にのみ開始される。平衡フィットの成分の更なる詳細については以下に説明する。
【００６９】
ここで図３を参照すると、取付フェーズ２００の更なる詳細及び関連する負荷曲線２０２が示される。上述のように、負荷曲線２０２は急な上昇２２０を示すが、これは、使用者の頭部に取り付けるためにヘッドギアが伸展される際に伸展に対する初期抵抗を有するからである。初期抵抗は伸長に抵抗する抵抗に打ち勝つことに関連し得る。負荷がヘッドギアの機構の降伏力に達すると、負荷曲線はヘッドギアが更に伸展するにつれて実質的に平らな略一定の伸展曲線２２２へと移行し、ヘッドギア伸長の大部分において負荷力の増加がほとんどなくなる。
【００７０】
図４は、第２のフェーズ、すなわち調節フェーズ２０４をより詳細に示す。このフェーズでは、ヘッドギアは十分に伸展又は伸長されて使用者の頭部上にフィットしており、ヘッドギアは解放されて所定の位置にある。所望の位置に達すると、ヘッドギアは伸展状態（例えば、過度に伸長された位置）から復帰し、負荷力は、負荷曲線２０６に示すように急激に低下する２２４。この、使用者の頭部にフィットさせるためにヘッドギアを後退させることによる力の低下後、ヘッドギアは使用者の頭部にフィットしたままであるため負荷曲線は低いまま２２６である。示されるように、本発明の多くの特徴、態様及び利点を典型的に表すヘッドギアは、伸長を生じさせるのに必要な第１の高負荷及びヘッドギアが収縮する第２の低負荷を特徴として備える。換言すると、ヘッドギアは伸長を生じさせるのに必要な負荷よりも低負荷で収縮し、提供される効果はヒステリシスである。いくつかの構成においては、伸長モードから収縮モードへと変化する際に力が大幅に変化する間、ヘッドギアには長さ変化の遅れがある。いくつかの構成においては、インターフェース長さが伸長から収縮へと変化する際、インターフェース周囲（ヘッドギアアセンブリを含む）の長さの変化は負荷（すなわち力）の変化に遅れる。更に、いくつかの構成においては、伸長時、力が増加するにつれて、長さは力の減少時の長さの減少を超えて増加する（例えば、傾きは２２０の方が２２４よりも小さい）。
【００７１】
図５では、ヘッドギアの力がＣＰＡＰ圧力の吹出力と平衡する平衡フィットフェーズ２０８において平衡フィットが達成される。上に言及したように、ＣＰＡＰ圧力が印加される際、ヘッドギアはその長さを保持するように調節される。負荷曲線２１０は、吹出力に平衡する負荷力の上昇を示す。詳細な負荷曲線２１０の平衡フィットセクション２３０に示すように、平衡フィットはヘッドギアの後退力２２６よりも高い負荷を生成する。平衡フィット成分は、ヘッドギアのストラップ内において増加する力であり、吹出力に等しく且つ反対の力を提供する。しかしながら、この力は、また、延長又は伸展曲線２２２よりも小さい。いくつかの構成においては、平衡フィットセクション２３０の傾きは、ヘッドギアの後退時の負荷力２２４の上昇２２０及び／又は低下に関連する、影響される、又は実質的に同じとなり得る。いくつかの構成においては、平衡フィットセクション２３０の傾きは負荷力２２４の低下の傾きよりも急である。いくつかの構成においては、平衡フィットセクション２３０の傾きはヘッドギアの延長時における初期の上昇２２０の傾きよりも大きい。
【００７２】
延長又は伸長力２２２と、瞬間又は現在の平衡フィット力２３４との間の差と定義される予備力成分２３２は、バランスフィット力を超える、実質的なヘッドギアの伸長を起こすことなく追加の力がヘッドギアに印加され得るバッファである。予備力成分は、使用者の頭部からヘッドギアを引くように機能し得るホースの引張りなどの任意の追加の力を補償することができる。ホースの引張りなどの外力が上昇するにつれてヘッドギアの反力も上昇する。外力が降伏点を超えた場合にのみヘッドギアが伸長し、これにより、漏洩に至る可能性がある。予備力成分は通常使用時に引っ張られるホースによってマスクに印加され得る実際の外力に適応するほど十分に大きいことが好ましい。この予備力成分又はバッファは、また、よりきつい又はより緩いフィット性などの、マスクのシールの使用者の顔との係合における使用者の好みを考慮する。カニューレシステムとともに使用した場合、フェーズ３の全体が予備力に配分され得る。吹出力がないため、平衡フィットはフェーズ２の終わりに得られるものであり、したがって、フェーズ３は、一般に、ホースの引張りなどの任意の外力及びフィットのきつさの点における使用者の好みのみとなる必要がある。その結果、カニューレ装置の降伏力はＣＰＡＰ装置の降伏力よりも大幅に低くなり得る。一般に、平衡フィットが得られたときのヘッドギア内の力もまた、カニューレ装置の方がＣＰＡＰ装置よりも低くなり得る。
【００７３】
図３〜５のグラフは、また、ある領域を取り囲み且つ画定する周長を含む。示される周長は形状が略矩形であり、使用者の頭囲（伸長）、及びホースの引張りなどの外力を含み得るが必ずしも含む必要はない、ＣＰＡＰシステムによって印加された力（負荷）に関連する、インターフェースアセンブリの動作エンベロープを示す。ｘ軸に沿った領域の長さ又は周長の左端部２１２と右端部２１４との間の距離は、使用者頭部サイズの所望の又は使用可能範囲を示す。つまり、左端部２１２はより小さな頭部サイズ（周囲又は伸長）に位置付けられ、右端部２１４はより大きな頭部サイズに位置付けられる。より小さな及びより大きな頭部サイズは、万人にフィットする、あるいは頭部サイズの特定の部分集合（例えば、小、中、大）又は使用者（例えば、小児、成人）を意図し得る特定のインターフェースアセンブリの最小及び最大頭部サイズとすることができる。
【００７４】
ｙ軸に沿った領域の長さ又は周囲の下端部２１６と上端部２１８との間の距離は、使用時、インターフェースアセンブリに印加される力又は負荷の所望の若しくは使用可能範囲を示す。周囲の下端部２１６はより低い力（例えば、低ＣＰＡＰ値から生じる力）に位置付けられ、周囲の上端部２１８はより高い力（例えば、高ＣＰＡＰ値から生じる力）に位置付けられる。頭部サイズと同様に、より低い力及びより高い力は一般にＣＰＡＰシステム又はプロトコル用とされ得る、あるいは、ＣＰＡＰシステム又はプロトコルの特定の部分集合用とされ得る。上述のように、力範囲はＣＰＡＰ力のみに基づくものとすることも、例えば、ホースの引張り力などの外力を含むこともできる。好ましくは、瞬間又は現在の平衡フィット力２３４は動作エンベロープの範囲内である。
【００７５】
伸展又は弾性システムが動作エンベロープ全体において十分な性能を提供するためには、システムは、インターフェースアセンブリがＣＰＡＰ圧力による力及び外力の１つ又は両方により得られるものよりも大きな抵抗力を提供する必要がある。したがって、伸展又は弾性システムの力伸展曲線は動作エンベロープ上方に配置されるべきであり、必要であれば、外力に対処する及び／又は異常な若しくは予期せぬ力に対処するための予備力を提供するのに十分な距離だけ動作エンベロープ上方に間隔を空けて配置されるべきである。したがって、伸展又は弾性システムは使用者に対し、インターフェースアセンブリに印加される実際の力（例えば、ＣＰＡＰ及び外力）に対処するために必要なレベルよりも高いレベルの力を印加する。この必要な力よりも大きな力は使用者の快適性を低下させる傾向にある。
【００７６】
ヘッドギアアセンブリの様々な力プロファイル構成が可能であり、力プロファイル構成は平衡フィット領域を含むことが好ましい。本明細書中に記載される力プロファイルはＣＰＡＰシステムとカニューレシステムとの両方に適用可能であるが、平衡フィットが達成される点は通常異なる。インターフェースのフィット性を維持するのに関連する力レベルは、一般に、カニューレシステムにおいても著しく低い。加えて、ヘッドギア実施形態のいくつか又は全ては、カニューレシステムにおいて機能する又は機能するように修正を施すことができ、ヘッドギア周囲が頭囲に一致し、且つ好ましくは、ヘッドギアの伸長に対しある程度の量の抵抗が提供されたときに平衡フィットが達成される。増加するＣＰＡＰ圧力及び／又は吹出力は一般にカニューレシステムに印加される外力に相関する。図６は、ヘッドギアストラップの抵抗が要求に応じて生じる１つの力プロファイル２４０を示す。この構成では、ヘッドギアを伸張させてフィットさせるために最小の労力しか必要ない。この構成では、使用者は曲線２４２によって示されるヘッドギアの弾性に打ち勝つだけでよく、これには、通常、約１．５Ｎ未満の力が必要である。曲線２４４によって示されるこの構成の平衡フィット成分は吹出力に等しく且つ反対の力を提供し、また、使用者の頭部からヘッドギアを引くように機能し得る任意の更なる外力を補償する。曲線２４６は平衡フィット部２４４にバッファを加えたものである。
【００７７】
図７Ａ〜Ｂは、図６に示される、要求に応じた抵抗のプロファイルを有するヘッドギアの一実施形態を示す。示される構成は、層状伸展アセンブリ３０４を含む。図７Ａに示される層状伸展実施形態３０４では、２つのストラップ３０６及び３０８を、それぞれ伸展セクション３１０、３１６、３２０と非伸展セクション３１２、３１４、３１８とを交互させ順に重ねて積層することができる。示されるように、２つのストラップ３０６及び３０８は、１つのストラップの非伸展セクションが他方のストラップの少なくとも伸展セクションに重なるように矢印３２４によって示されるように互いに折り返されてもよい。示されるように、ストラップ３０６の非伸展セグメント３１４はストラップ３０８の伸展セグメント３１６に重なる。非伸展セグメント３１４の少なくとも一部が非伸展セグメント３１２の少なくとも一部に重なり、連続的な非伸展経路を形成するように、非伸展セグメント３１４は伸展セグメント３１６よりも長いことが好ましい。同様の非伸展セグメント３１２の非伸展セグメント３１８との重なりも示す。加えて、ストラップ３０６及び３０８はゴムウェビング又は他の粘着性を持つ物質などの「グリップ」の形態を非伸展セクション上に有し得る。重なったグリップセクション３２２によって示されるように互いに重ねて配置されると、グリップセクションは重なって引っかかり、ストラップ間の運動抵抗力を超えるまでヘッドギアストラップの更なる伸長の可能性を低減又は排除する。ヘッドギアが使用者の頭部に配置されると、伸展層と非伸展層との間の半径方向力によりグリップセクションが係合して完全な非伸展セクションを形成し、ヘッドギアストラップの更なる伸長を制限する。図７Ｂは、図７Ａに示される層状ストラップ実施形態の２つの写真を示す。
【００７８】
層状伸展ストラップ構成の別の実施形態が図８に示される。層状グリップストラップ構成４００は２つのストラップを含み、そのうちの１つが１つ又は複数の位置にグリップパターンを有し、もう一方のストラップが、図７Ａに示される構成と同様に、一連の交互する伸展セグメント又はセクション４１４と、非伸展セグメント又はセクション４１２、４１６とを有する。１つの伸展セグメント及び２つの非伸展セグメントを示すが、他の数の伸展セグメント及び非伸展セグメントを設けることもできる。第１の、すなわち内ストラップ４０６は２つのグリップパターンセグメント４１０がストラップ４０６の両端部に配置された状態で示されるが、ストラップ４０６の実質的に全長にグリップパターンを含む異なる数のグリップパターンセグメント４１０を設けることもできる。グリップセグメント４１０は第２の、すなわち外ストラップ４０８の非伸展セグメント４１２、４１６と重なり、ストラップ４０６、４０８の少なくとも一部に選択的に結合する双方向のグリッピングセクションを提供する。しかしながら、この配置は内ストラップ４０６と外ストラップ４０８との間において反転することもできる。いくつかの構成においては、内ストラップ４０６は、ストラップ４０６、４０８が結合されるとヘッドギアが完全な非伸展セクションを形成することを可能にし、上述のようにヘッドギアの更なる伸長を制限する非伸展部材である。しかしながら、他の構成においては、内ストラップ４０６は弾性又は伸縮可能な材料から作製され得る。このような構成においては、ヘッドギアはストラップ４０６、４０８が結合された場合であっても伸展セクションを含み、その長さは外ストラップ４０８の弾性部分４１４によって画定され得る。好ましくは、伸展セクションは使用者の頭部の背後に提供され、非伸展セクションは使用者の頭部の側部に配置される。伸展セクションを使用者の頭部の背後に配置すると伸展セクションを使用者の頭部の側部に設けるよりも特定の力に対する伸展運動が少なくなる可能性がある。吹出力又は外力などによりヘッドギアに負荷がかかると、使用者の頭部の背後のセクションが使用者の頭部に対して引っ張られ、それによって、ヘッドギアと使用者の頭部との間の摩擦が増加する。いくつかの構成においては、摩擦はヘッドギアの伸展セクションの伸展運動を実質的に妨げるのに十分なものとすることができる。例えば、シリコーン又は他の種類のグリップ要素などの、ヘッドギアと使用者の頭部との間の摩擦を高めるための特徴を用いることができる。伸縮可能な内ストラップ４０６により装着前のヘッドギアの伸展を容易にすることができる。内ストラップ４０６の略全体が伸縮可能な場合などのいくつかの構成においては、外ストラップ４０８のセクション４１４の材料は、内ストラップ４０６の長さよりも大幅に短い伸展セクション４１４の長さに対応するために、内ストラップ４０６の材料に比べて大幅に低い伸長弾性率を有する。内ストラップ４０６は、グリッピングパターンがストラップ４０６の片面又は両面に適用された細いストラップであってもよい。ストラップ４０８には非伸展セグメント４１２及び４１６に類似のグリッピングパターンを適用することができる。いくつかの構成においては、グリッピングパターンは、ストラップの、使用者とは逆側に面した部分に適用される。示される構成においては、第２のストラップ４０８は、ストラップのアライメントを維持するため、及びヘッドギアアセンブリの使用を容易にするために内ストラップ４０６が取り付けられるスロットを有してもよい。例えば、第２のストラップ４０８は第１のストラップが延在する通路を含んでもよい。通路は第２のストラップの長さの大部分に形成され得る。あるいは、通路は複数のループ（例えば、衣服に使用されるベルトループに類似する）によって画定され得る。
【００７９】
図９は、層状ストラップ構成の第３の実施形態を示す。この構成では、層状ストラップ５００は、上記実施形態と同様に、交互する伸展セグメント及び非伸展セグメントを含む。図９に示される構成では、ストラップのセグメントは折り返される。折り返されると、非伸展セグメントのグリップ部分を揃えることができ、これにより、ヘッドギアの更なる伸長の可能性を低減する又は排除する。いくつかの構成においては、ストラップセグメントは、ヘッドギアを伸展させて使用者の頭部にフィットさせ、使用者がインターフェースアセンブリの所望の張力を得た後に折り返される。いくつかの構成においては、ストラップセグメントは圧力を用いた処理の開始前に折り返される。
【００８０】
更なる層状ストラップ構成が図１０に示される。この構成では、層状ストラップ６００は非伸展セグメント６１０上に積層された伸展セグメント６１４を有する。伸展セグメント６１４は、示されるように非伸展セグメント６１０と重なる２つの非伸展セグメント６１２（１つが示される）を連結する。非伸展セグメント６１２は、中心すなわち後部非伸展セグメント６１０が挿入され得る巻かれたセグメント又はループ又はポケットの形態とってもよい。上述のように、各非伸展セグメントは、揃えられると、ヘッドギアの更なる伸長の可能性を低減又は排除するグリップ部分を有してもよい。
【００８１】
図７Ａ〜Ｂ及び８〜１０に示される非伸展経路ヘッドギアなどの、要求に応じた抵抗の力プロファイルを有するヘッドギアを伸長しようとする力が印加されると、ヘッドギアが保持されている位置以外の２つのストラップ層の間に最小限の力が印加される。したがって、グリップセクションは互いに相互作用せず、伸展構成要素は大きな抵抗なく伸長することができる。ヘッドギアが伸長位置から解放されると、伸展構成要素はヘッドギアが使用者の頭囲に実質的に一致するまで緩められる。この時点で、非伸展構成要素と、２つのストラップ層のグリップセクションは重なっているはずである。使用者の頭部によってヘッドギアに印加された半径方向力によりグリップが互いに相互作用することができ、ヘッドギアの長さを固定し、大きな力をかけることなく更に伸長又は後退するのを制限する。グリップの相互作用及び重なった伸展／非伸展セクションにより、ヘッドギアに連続的な非伸展経路が形成される。この経路はＣＰＡＰ圧力が印加されたときのヘッドギアの更なる伸長を制限する。ヘッドギアは使用者の顔に印加されたＣＰＡＰ圧力に等しく且つ反対の力を印加するため、平衡フィットが形成される。マスクのフィット性を調節するために、グリッピングセクションの相互作用は解除又は低減され得る。
【００８２】
別の要求に応じた抵抗の構成が図１１Ａ〜Ｄに示され得る。図１１Ａを参照すると、この構成では、トンネルストラップ構成７００が２つの比較的非伸展のストラップセグメント７０４を有する。いくつかの構成においては、非伸展ストラップセグメントはＢｒｅａｔｈ−ｏ−Ｐｒｅｎｅなどの熱成形圧縮材料で形成され得る。各ストラップセグメント７０４は可撓性シャトル７１２に結合され得る。各可撓性シャトル７１２はセグメント７０４と低力弾性部材７１４とに結合され得る。可撓性シャトル７１２及び弾性部材７１４は、軟質非伸展（少なくとも周囲／長さにおいて）材料で作製された滑らかな内部表面を有する湾曲した頭部の形状のトンネル７０６によって全体的に取り囲まれ得る。いくつかの滑り止めパッド７０８（２つが示される）が使用者に最も近いシャトル７１２の表面に配置されてもよい。滑り止めパッドは、シリコーン又は別の滑り止め材料若しくは粘着性を持つ材料から作製してもよい。弾性体が各シャトル７１２の長さ全体の上に載るように各シャトル７１２の一端は弾性部材７１４の端部と整列され得る。層状の弾性体７１４及びシャトル７１２構成は端部と端部とを合わせて比較的非伸展のストラップセグメント７０４に取り付けられ得る。ストラップアセンブリはトンネル内部に収容され得るが、他の構成においては、トンネルは１つの開放側を有し得る。
【００８３】
可撓性シャトル７１２はヘッドギアの平衡フィットを設ける把持力を提供する。図１１Ｂに示すように、シャトル７１２はストラップの伸長又は後退及び印加された力の量に応じて形状を変化させる。ストラップ７０４が引っ張られると、シャトル７１２はトンネル７０６及びグリップの形状に合致し、ヘッドギアの更なる伸長の可能性を低減又は排除する。ストラップ７０４が解放されるか縮退すると、シャトル７１２はトンネル７０６の表面から剥がれ、グリップを破断し、ストラップの後退を可能にする。図１１Ｃ及びＤは、図１１Ａ及びＢに示されるトンネルコンセプト７００の一実施形態の更なる図を提供する。図１１Ｃは、トンネルストラップ構成自体を示し、図１１Ｄは、マスクに取り付けられたトンネルストラップ構成の別の実施形態を示す。図１１Ｄには、第２のストラップが示される。第２のストラップ（又はストラップ一式）はトンネル７０６及び／又はストラップ７０４の下又は上に配置され得る。いくつかの構成においては、第２のストラップはストラップ７０４に結合され得る。第２のストラップは使用者が把持することができ、したがって、ヘッドギアの着脱時のハンドルとなり得る。いくつかの構成においては、第２のストラップは装着時にヘッドギアを特定の方向に向けるのを補助する。いくつかの構成においては、第２のストラップは全般的に最大後頭点よりも下に配置されてもよい。
【００８４】
更なる要求に応じた抵抗の構成が図１２に示される。この構成では、別のトンネルストラップ構成８００は、ある程度の手動での干渉及びフィット性の調節を可能にするために２つのシャトル８０４を露出させるように構成されたトンネル８０２を有する。シャトル８０４を露出させることによって、使用者はヘッドギアの初期のフィット性に対し更なる制御を行うことができる。タブ８０６（１つが示される）もまた、使用者がヘッドギアのフィット性を調節するための便利な手法を提供するように構成され得る。いくつかの構成においては、例えば、タブを引くとストラップが短縮され得る。いくつかの構成においては、タブ８０６はトンネル８０２の端部近傍に配置され得る。
【００８５】
図１１Ａ〜Ｄ及び図１２に示されるヘッドギアなどの、トンネル機構を有し、且つ要求に応じた抵抗の力プロファイルを示すヘッドギアを伸長させるために力が印加されると、弾性部材は機構に半径方向力が印加されるまで自由に伸長する。半径方向力が印加されるまで、印加される軸力は弾性ストラップの強度に打ち勝つほど十分に大きいことのみを必要とする。ヘッドギアが伸長位置から解放されると、弾性ストラップはヘッドギアが使用者の頭囲に一致するまで後退し、半径方向（例えば、ストラップを横断する）力がその後印加される。この時点で、使用者の頭部はヘッドギアに半径方向力を印加する。半径方向力はトンネルの湾曲と合わせて、シャトルの裏面の滑り止めパッドをトンネルの内壁に接触させ、グリップを形成してヘッドギアの長さを固定し、更なる伸長又は後退を制限する。シャトルは好ましくは平らなプラスチック片であるため、その自然な反応は使用者の頭部のカーブに正接して配置されるものである。これにより、弾性体が永久的に取り付けられ、トンネルの内壁から離れて配置される性質を有するヘッドギアの前端部が、最小半径方向張力がヘッドギアに印加された場合に滑り止めパッドを解放する。滑り止めパッドとトンネルとの間の摩擦は、通常、弾性部材がトンネル内で縮退することを妨げるほど十分なものではない。
【００８６】
ＣＰＡＰ圧力の印加によってヘッドギアに引張力が印加されると、シャトルの前部が引っ張られてトンネルの内壁に接触する。シャトルは引っ張られてトンネルの内壁に接触する。この構成では、ヘッドギアに印加される張力が増加するにつれて滑り止めパッドがトンネルと相互作用し、ヘッドギアを伸長させるために必要な力が増加する。これによりヘッドギアの長さを効果的に固定し、特定の印加力よりも大きな力が印加されない限りは更なる伸長及び後退を制限する。
【００８７】
図１３は、要求に応じた抵抗の構成の更に別の実施形態を示す。この構成では、空気作動式ロックストラップ９００が平衡フィットヘッドギアを提供する。１つ又は複数の空気作動式ロックアセンブリ９０２がマスク９１４の各側に１つずつ提供され得る。空気作動式ロックアセンブリは弾性ストラップ等に結合され得る、又は弾性ストラップ等内に若しくは弾性ストラップ等に沿って配置され得る。いくつかの構成においては、弾性ストラップはマスク、マスクのシール及び／又はマスクのフレームに結合され得る。いくつかの構成においては、弾性ストラップは空気作動式ロックに結合され得る。各空気作動式ロックアセンブリはロックケーシング９０６によって収容される空気作動式ロック９０４を有し得る。給気チューブ９０８がマスク９１４から各空気作動式ロックアセンブリ９０２まで延びている。空気作動式ロックアセンブリ９０２の１つの拡大図９１０は、コアストラップ９１２各空気作動式ロックアセンブリ９０２の中心に延びていることを示す。上述のように、ヘッドギアの保持力はＣＰＡＰ圧力の存在下でのみ必要とされる。この実施形態では、空気作動式ロックを維持するための空気圧はマスクの空気圧から提供される。フィット性が得られた後などにヘッドギアの保持力を提供するために空気作動式ロックアセンブリ９０２が作動されると、マスク９１４から各空気作動式ロック９０４に空気が供給される。この空気圧により、空気作動式ロック９０４が膨張してコアストラップ９１２を把持し、ヘッドギアストラップの更なる伸長の可能性を低減又は排除する。空気ロックアセンブリ９０２はマスクのチャンバと流体連通しているため、マスク内の圧力が増加するにつれて空気ロックアセンブリ９０２内の圧力が増加する。したがって、力の増加により顔からマスクが持ち上がろうとするとストラップの伸長に抗する力も増加する。この要求に応じた抵抗の実施形態は、一般に、カニューレ装置には適用不能である。この理由は、空気ロックを作動するためには空気圧の存在が必要とされ、一般に、シールされないカニューレシステムでは空気圧を提供することができないからである。外力によるヘッドギアの伸長を妨げるのに必要な保持力を提供するために、空気ロックに対し手動作動式の外部空気圧源を提供することができる。
【００８８】
図１４は、平衡フィットを組み込んだ第２の力プロファイルを示す。この図では、動作に対する高い抵抗のプロファイル２５０が示される。この力プロファイルを用いて構成されるヘッドギアは所定の力で解除されるロッキング機構を有し得る。ヘッドギアが伸長して使用者の頭部上に装着され、フィット性のために後退される際、ヘッドギアストラップを伸長させるために力が再度印加されるまで、負荷力は低いままである。示されるように、負荷伸長曲線２５２は、最初、少ない伸長で上向きの傾きを有し得るが、これはヘッドギアの初期の伸長に対する高い抵抗を示す。所定の力に到達後は、ヘッドギアを更に伸長させるのに必要な力は大幅に少ない量となる。上述の要求に応じた抵抗の力プロファイルと同様に、伸長動作の開始に対する高い抵抗の力プロファイルもまた、２つの成分を有する平衡フィットを含む。まず、平衡フィット成分２５４は、伸長の狭い範囲において、ＣＰＡＰ圧力の吹出力を相殺するために更なる伸長に対する高い抵抗を提供する。伸長に対する更なる抵抗は、ヘッドギアを伸長する又は緩めるように機能し得るホースの引張りなどの任意の外力を相殺する予備力成分２５６によって提供される。示される構成においては、曲線の初期伸長部分の傾きは曲線の平衡フィット成分２５４の傾きと実質的に同じである。いくつかの構成においては、曲線の初期伸長部分の傾き及び平衡フィット部分の傾きは図１４の同じ機構に打ち勝とうとすることにより生じることから、傾きは同じか実質的に同じである。
【００８９】
伸長開始に対する高い抵抗のプロファイルを組み込む構成の一実施形態が図１５Ａ〜Ｂに示される。図１５Ａは、ローラボールロック機構１０００の断面を示す。この構成では、ロッキングチャンバ１００２はローラボール１００４及びスイッチ１００６を含む。スイッチ１００６は、スイッチがコアストラップ１０１０に係合するとロッキングチャンバ１００２の上内部表面に隣接して配置される頂面１０１２を有するくさび形の部材であってもよい。スイッチ１００６がコアストラップ１０１０に係合すると、図１５Ａに示すように、ローラボール１００４とコアストラップ１０１０との間の摩擦がコアストラップ１０１０の更なる伸長を実質的に妨げる。所定の力において、ローラボール１００４及びスイッチ１００６は、スイッチ１００６が枢動箇所１００８の周りを枢動してコアストラップ１０１０を解放し、コアストラップ１０１０がいずれの方向にも自由に動くことを可能とし、ヘッドギアが自由に伸長又は後退することを可能にする状態で位置を変化する。ヘッドギアがより小さな周長へと戻るときなど、コアストラップ１０１０の動きの方向が反転すると、ローラボール１００４はロッキングチャンバ１００２の自由側に（図１５Ａでは左に）移動し、スイッチ１００６がリセットされる。コアストラップ１０１０がその後引っ張られる場合、機構１０００は、再度、上述のようにヘッドギアの更なる伸長に抵抗するためのローラボールロックとして機能する。
【００９０】
別のローラボールロック機構１０２０のロック位置及び解放位置が図１５Ｂに示される。この構成では、ロッキングチャンバはローラボール１０２４及びスイッチ１０２６を含む。スイッチ１０２６は、ロッキングチャンバ１０２２の上内部表面１０３８に隣接して配置される頂面１０３６を有するくさび形の部材であってもよい。スイッチ１０２６は、また、ローラボール１０２４をロッキングチャンバ１０２２内に閉じ込めるような形状の部分１０４０を含んでもよい。いくつかの構成においては、ローラボールロック機構１０２０がロック位置にあるとき、部分１０４０は、また、コアストラップ１０３０に係合してヘッドギアの更なる伸長の可能性を低減又は排除するように構成され得る。いくつかの構成においては、機構１０２０は磁石１０３２及び磁性部材１０３４を含んでもよい。磁石１０３２はローラボールロック機構１０２０のハウジング内に配置してもよく、その一方で、磁性部材１０３４は表面１０３６に隣接してスイッチ１０２６の一端に配置してもよい。
【００９１】
図１５Ｂの下図に示すように、スイッチ１０２６がコアストラップ１０３０に係合すると、スイッチ１０２６のローラボール１００４とコアストラップ１０３０との間の摩擦がコアストラップ１０３０の更なる伸長に実質的に抵抗する。図１５Ａを参照して記載した構成と同様に、ヘッドギアを伸長させるように作用する、スイッチ１０２６のローラボール１００４とコアストラップ１０３０との間の摩擦に打ち勝つ所定の力において、スイッチ１０２６は、枢動箇所１０２８の周りを枢動してコアストラップ１０３０を解放し、コアストラップ１０３０が自由に動くことを可能にすることによって位置を変化する。スイッチがこの位置にあることにより、ヘッドギアは実質的に自由に伸長又は後退する。ヘッドギアが小さな周長に戻るときなど、コアストラップ１０３０の動きの方向が反転すると、ローラボール１０２４はロッキングチャンバ１０２２の自由側に（図１５Ｂでは左に）移動し、スイッチ１０２６がリセットされる。コアストラップ１０３０がその後引っ張られる場合、機構１０２０は再度、上述のようにヘッドギアの更なる伸長に抵抗するためのローラボールロックとして機能する。磁石１０３２及び磁性部材１０３４はスイッチ１０２６を保持及びリセットするように機能してもよい。
【００９２】
動きの開始に対する高い抵抗の構成の第２の実施形態が図１６に示される。この実施形態では、摩擦に打ち勝ち、コアストラップが解放されて低い負荷力により伸長又は後退するまで、自己制御式ワッシャ摩擦がコアストラップを保持し、更なる伸長の可能性を低減又は排除する。図１６は、コンセプトを上述した平衡フィットを提供する自己制御式ワッシャ機構１１００を含む。自己制御式ワッシャ機構１１００は、曲げられるカーブ１１１０を有するＳ字形摩擦部材１１０４と、Ｓ字形部材１１０４の曲げられるカーブ１１１０部分に隣接する自己制御式ワッシャ１１０６とを含む。摩擦部材１１０４及びカーブ１１１０はハウジング１１１１内に配置することができ、例えば、伸展構成要素１１１３がハウジング１１１１に固定され得るが、これに限定されない。ヘッドギアのコアストラップ１１０８はＳ字形部材１１０４のオリフィス及びワッシャ１１０６も通過する。コアストラップ１１０８は伸展構成要素１１１３の少なくとも一部を通過することもその横に配置することもできる。
【００９３】
ワッシャ１１０６及びＳ字形部材１１０４がコアストラップ１１０８の長手方向軸線に対し角度α（図１６に１１１２で示される）にある場合、コアストラップ１１０８は、ワッシャ１１０６とコアストラップ１１０８との間、及びＳ字形部材１１０４とコアストラップ１１０８との間の摩擦力により伸長に耐える。コアストラップ１１０８に印加される更なる負荷力によってこれら摩擦力に打ち勝ってもよい。Ｓ字形部材に十分な力が印加されると、Ｓ字形部材１１０４のオリフィス及びワッシャ１１０６のオリフィスがＳ字形部材のたわみのためより良好に整列される。たわみによって、自己制御式ワッシャ機構１１００は図１６の下パネルに示すような形状をとる。この構成では、曲げられるカーブ１１１０及びワッシャ１１０６は長手方向軸線に対し角度β（図１６に１１１４で示される）にある。角度１１１４は角度１１１２よりも９０度に近く、コアストラップ１１０８がＳ字形部材１１０４及びワッシャ１１０６の開口部をより容易に通過することが可能になる。この構成では、コアストラップ１１０８に作用する摩擦力は小さくなり、コアストラップ１１０８がより小さな必要負荷力で伸長及び後退することが可能になる。コアストラップ１１０８を引っ張る方向が反転すると、Ｓ字形摩擦部材１１０４の曲げられる部材１１１０及びワッシャ１１０６は図１６の上パネルの配向に類似する配向に戻る。上述のように、この構成では、十分に高負荷が印加されるまでコアストラップ１１０８にかかる摩擦力によりコアストラップ１１０８の伸長が制限される。この負荷は、通常、ＣＰＡＰデバイスの通常の治療での使用時に発生する負荷よりも大きい。
【００９４】
図１７は、平衡フィット機能を組み込んだ第３の力プロファイルを示す。この図では、伸長負荷に対する反復する高い抵抗のプロファイル２７０が示される。この力プロファイルを用いて構成されるヘッドギアはリセット前に所定の力で解除されるロッキング機構を有する。この解除及びリセットのシーケンスはヘッドギアの伸長する間全体にわたり反復される。図１７に示すように、負荷曲線２７２はヘッドギアが伸長する際の一連の高負荷力ピークの反復からなる。曲線２７２の下部により示されるように、負荷曲線２７２では後退に要する力は小さくなる。上述の力プロファイルと同様に、平衡フィット成分２７４及び予備力成分２７６はそれぞれ吹出力を補償し、ホースの引張りなどの外力によるヘッドギアの更なる伸長を妨げる。更に、示されるように、平衡フィット成分２７４は負荷曲線２７２の増加負荷部分の負荷伸長傾きに近似する負荷伸長傾きを有し得る。
【００９５】
伸長に対する反復する高い抵抗を提供するラチェット機構１２００が図１８Ａ〜Ｂに示される。示されるラチェット機構１２００は、ばね式クリップ１２０８を収容する内部キャビティ１２０６を有するハウジング１２０４を含む。クリップ１２０８は、ハウジング１２０４内に延びている非伸展コアストラップ１２１２の鋸歯状の縁と相互作用するように構成されている。コアストラップ１２１２が引っ張られるか伸長すると、クリップ１２０８はコアストラップ１２１２の鋸歯状の縁に係合して更なる伸長に抵抗する。クリップ１２０８によるストラップ１２１２の把持に打ち勝つのは、クリップ１２０８が離れる方に曲がり、その単一歯の把持を解放したときである。ばね式クリップ１２０８は、その後、鋸歯状コアストラップ１２１２の次の歯に係合する準備ができる。再び、十分な負荷力が印加されると、クリップ１２０８はコアストラップ１２１２の次の鋸歯を解放し、次の鋸歯を捕える。このようにして、図１７に示されるものなどの伸長に対する反復する高い抵抗の力プロファイルが得られる。示されるクリップ１２０８は、鋸歯状コアストラップ１２１２の伸長時にはコアストラップ１２１２に対して垂直であり、コアストラップ１２１２の後退時には角度を成すことができる。
【００９６】
コアストラップ１２１２は伸展シース（不図示）内に収容することができ、シースの両端を越えてプラスチックチューブ内に延びることができる。プラスチックチューブには自由端部（ｌｏｏｓｅ  ｅｎｄｓ）が収容される。伸展シースは、ヘッドギアを使用者の頭部のサイズに戻すための後退力を提供する。伸展シースのヤング率は、シースが初期平衡力を提供するようにシースが使用者の頭部に、最小予想吹出力以下の力を印加するように調整されることが好ましい。より高い吹出力では、非伸展構成要素は更なる平衡力を提供してもよい。
【００９７】
コアストラップ１２１２は、ストラップ１２１２の端部がハウジングチューブから引き出される可能性を低減又は排除するために端部にストッパを有することが好ましい。コアストラップ１２１２はハウジングとともに閉ループを形成する。管状ハウジングはマスクフレームに留めることができる。クリップハウジング（不図示）は伸展シースとハウジングとを一緒に結合することができる。
【００９８】
伸長力がヘッドギアに印加されると、コアストラップ１２１２はクリップ１２０８を引いてハウジング１２０４の矩形内壁に対して面一にする。これにより、クリップ１２０８はコアストラップ１２１２の歯に更に係合する。この係合に打ち勝つのは、クリップ１２０８が離れる方に曲がり、その単一歯の把持を解放し、次の歯に係合する準備ができたときである。コアストラップの各歯に打ち勝ち、ヘッドギアを伸長させるために必要な力は特定の印加力以上である。
【００９９】
ヘッドギアが伸長位置から解放されると、クリップ１２０８はそのハウジング１２０４内で回転し、ハウジング１２０４の角度を成した壁と面一になる。これにより、クリップ１２０８がコアストラップ１２１２の歯を係脱することが可能になり、これにより更には、ヘッドギアが自由に後退することが可能になる。
【０１００】
まず、弾性要素により使用者の頭部に印加された低い力によってＣＰＡＰ圧力が平衡する。ＣＰＡＰ圧力によって印加される力が増加するにつれて、非伸展コアストラップ１２１２が伸長に対する更なる抵抗を付与し、ばねクリップ１２０８を垂直なハウジング壁に対し押して歯に係合させるため、残りの平衡力が提供される。ＣＰＡＰ圧力によって印加される力がコアストラップ１２１２の歯に打ち勝つための指定降伏力を超えないことが好ましいため、ヘッドギアの長さは使用者により変更されない限り実質的に一定のままである。
【０１０１】
コアストラップ１２１２の後退が図１８Ｂに示される。この図では、コアストラップ１２１２はハウジング１２０４内に後退し、これによりクリップ１２０８がハウジング１２０４内で回転するため、クリップ１２０８がコアストラップ１２１２の歯から係脱することが可能になる。この構成では、ストラップ１２１２は非常に小さな抵抗で後退することができる。
【０１０２】
図１９Ａ及びＢは、ストラップ設計１２１８の一実施形態に組み込まれたラチェット機構を示す。弾性スリーブ１２２０が、ヘッドギアを自動的に後退させるためのラチェット機構を取り囲む。
【０１０３】
平衡フィットを組み込んだ第４の力プロファイルが図２０に示される。この図では、大ヒステリシス負荷プロファイル２９０が示される。この力プロファイルを用いて構成されるヘッドギアは伸長又は伸張に対する高負荷力抵抗を有する。図２０を参照すると、力の大きな蓄積が負荷曲線の伸長セクション２９２に示される。このヘッドギアの伸長フェーズの間、伸長力は、吹出力と推定３Ｎのホース引張り力との合計により決定される約７〜８Ｎであってもよい。ヘッドギアが後退すると、負荷曲線の後退セクション２９４に示すように、復帰力（ｒｅｔｕｒｎｉｎｇ  ｆｏｒｃｅ）は約２．５Ｎ以下であることが好ましい。この復帰力は、主としてヘッドギアの弾性要素によって使用者の顔に作用する力である。
【０１０４】
ヘッドギアの平衡フィットには、上述のように２つの成分、つまり、平衡フィット成分及び予備力成分を含んでもよい。図２０に示される負荷曲線の平衡フィット成分２９６はＣＰＡＰ圧力によって印加された吹出力を補償する。負荷曲線の予備力成分２９８は伸展曲線２９２の大ヒステリシスセクション時の負荷力にまで及ぶ様々な負荷力を含んでもよい。いくつかの実施形態では、平衡フィットフェーズ時の伸長量は約１０ｍｍ以下である。示されるように、いくつかの構成においては、平衡フィット成分２９６は初期の伸長傾きに類似する又は同じ傾きをとる。いくつかの構成においては、平衡フィット成分２９６は後退セクション２９４の傾きよりも小さな傾きを有する。他の構成も可能である。
【０１０５】
図２１Ａ及びＢは、上述の大ヒステリシス負荷プロファイルを組み込んだヘッドギア機構の一実施形態の断面を示す。この実施形態では、ワッシャコンセプトヘッドギア機構１３００は、内部キャビティ１３０６を有するハウジング１３０４を含む。内部キャビティ１３０６は、コアストラップ１３１６によって画定される長手方向軸線に対し実質的に垂直であり且つ直交する自由運動面１３１０を有するように構成されている。内部キャビティ１３０６は、また、コアストラップ１３１６によって画定される長手方向軸線に対して角度を成すロッキング面１３１２を有するように構成されている。ワッシャ１３０８が内部キャビティ１３０６内に配置されている。ハウジング１３０４及びワッシャ１３０８の両方を通るオリフィスにより、非伸展コアストラップ１３１６をオリフィス内に通すことが可能になる。ハウジング１３０４は、非伸展コアストラップ１３１６の端部を収容するチューブの端部を形成する。いくつかの構成においては、チューブは略弾性である。このチューブによりヘッドギアが閉ループになり、マスクフレーム（不図示）に留めることができる。
【０１０６】
図２１Ａを参照すると、コアストラップ１３１６の自由運動が示される。ワッシャ１３０８がハウジング１３０４の自由運動面１３１０と整列する場合、ワッシャ１３０８及びハウジング１３０４とコアストラップ１３１６との間の摩擦はほとんどない。したがって、この構成では、コアストラップ１３１６はワッシャ１３０８及びハウジング１３０４内を通る実質的に直線の経路を有し、矢印１３１８によって示される自由運動方向に実質的に自由に動く。
【０１０７】
ここで図２１Ｂを参照すると、コアストラップ１３１６の運動に対する高摩擦抵抗が示される。コアストラップ１３１６が、矢印１３２０によって示される自由運動方向の反対方向に引っ張られると、ワッシャ１３０８は強制的に倒され、ハウジング１３０４の角度を成したロッキング面１３１２に隣接して配置される。このハウジング１３０４内におけるワッシャ１３０８の配向により、コアストラップ１３１６の角度を成した経路が形成される。この角度を成した経路により、ワッシャ１３０８とコアストラップ１３１６との間の摩擦が増加する。増加した摩擦によりコアストラップ１３１６の動きが制限され、ヘッドギアの伸長に抵抗する。図２２は、ヘッドギアアセンブリ内に組み込まれたワッシャコンセプトヘッドギア機構の一実施形態を示す。図２２に示すように、各ヘッドギアアセンブリは非伸展コアストラップ上に２つのワッシャ機構を含み得る。コアストラップの中間セクションは伸展シース内部に収容され得る。コアストリングがハウジングチューブから引き出される可能性を低減又は排除するためにコアストリングは端部にストッパを有することが好ましい。伸展シースは両端がハウジングチューブに結合されることが望ましい。図２２は、また、自由運動構成を１３３０で示す。図２２では、高摩擦運動構成を１３３２で示す。
【０１０８】
コアストラップの運動に対する高摩擦抵抗を提供するワッシャコンセプトの３つの更なる実施形態が図２３に示される。各コンセプト１３４０、１３５０及び１３６０に示されるように、ワッシャ形状は、ハウジングの構造に応じて平ワッシャ１３４２から角度を成したワッシャ１３５２又は角度を成したワッシャ１３６２へと変更してもよい。いずれの場合においても、ハウジングの自由運動面１３４４、１３５４又は１３６４に沿ったワッシャ１３４２、１３５２又は１３６２のアライメントにより、コアストラップ１３４８、１３５８又は１３６８がワッシャ及びハウジング内を実質的に自由に動くことが可能になる。しかしながら、ワッシャ１３４２、１３５２又は１３６２がハウジング内において回転してハウジングのロッキング面１３４６、１３５６又は１３６６と整列すると、コアストラップが曲がり、ヘッドギアの更なる伸長を制限する動きの角度を成した高摩擦経路が形成される。
【０１０９】
ワッシャコンセプト機構の更なる実施形態が図２４に示される。この実施形態では、機構１３７０はハウジング１３７４内に配置されたワッシャ１３７２を含む。回転可能な部材１３７６もまたハウジング１３７４内に配置されている。他のワッシャ実施形態に関して上述したように、ハウジングの一端から他端へのワッシャ１３７２の動きは自由運動又は高摩擦運動状態が存在するかどうかに影響する。ワッシャ機構１３７０内の回転可能な部材１３７６は機構１３７０がコアストラップ１３７８を引く角度の変化にあまり左右されないような追加の利点をもたらす。
【０１１０】
上記実施形態のいずれにおいても、ハウジングは１つ又は複数の部品で製造してもよい。ハウジング及びワッシャは同じ又は異なる材料で製造してもよい。いくつかの構成においては、ハウジング及び／又はワッシャは略硬質材料で形成され得る。いくつかの構成においては、ハウジング及び／又はワッシャは硬質プラスチックで形成され得る。いくつかの構成においては、ハウジング及び／又はワッシャはポリカーボネート、ポリプロピレン、アセチル又はナイロン材料で形成され得る。いくつかの構成においては、ハウジング及び／又はワッシャは金属で形成してもよい。
【０１１１】
図２１Ａ〜Ｂ、２２、２３及び２４を参照して上述したワッシャ機構のいずれかを有するヘッドギアが伸張すると、ワッシャとコアストラップとの間の少量の摩擦により、ワッシャがハウジングの角度を成した端部壁へと引っ張られる。これにより、ワッシャが角度を成してハウジング内に配置され、コアストラップが通過するための曲がった経路が形成される。この曲がった経路により、コアストラップ内に引張力が生成され、コアストラップとワッシャ機構との間の動きに対する抵抗が増加する。抵抗はヘッドギアを伸長させるために指定降伏力よりも大きな力が必要となるような程度である。
【０１１２】
ワッシャ機構を含むヘッドギアにかかる引張力がない場合、ワッシャは垂直な端部壁に隣接するその中立位置に戻る。この位置では、ワッシャはコアストラップに最小の摩擦力をかける。ヘッドギアが解放されると、コアストラップはハウジング及びワッシャ内において自由に引き込むことができる。弾性シースはヘッドギアを短縮するのに必要な後退力を提供する。
【０１１３】
指定降伏力よりも大きな力が印加されると、弾性シースは、また、ヘッドギアの伸長を可能にする。弾性シースのヤング率はシースが使用者の頭部に、最小予想吹出力以下の力のみを印加することができるように調整されることが好ましい。したがって、これら構成では、弾性体が低いＣＰＡＰ圧力の初期平衡力を提供する。
【０１１４】
まず、ＣＰＡＰ圧力は弾性要素によって使用者の頭部に印加された低レベルの力により平衡する。ＣＰＡＰ圧力によって印加される力が増加するにつれて、非伸展コアストラップはワッシャ機構とともに更なる伸長を制限する。増加するＣＰＡＰ圧力に対するヘッドギアの自然な反応は圧力増加に適応するために伸長することであるが、これにより、ハウジングの角度を成した端部に向かってワッシャが押され、増加した摩擦のために非伸展コアストラップが所定の位置に固定される。コアストラップの動きが制限されると、コアストラップは残りの平衡力を提供する。ＣＰＡＰ圧力によって印加される力は、一般に、コアストラップに対するワッシャの抵抗に打ち勝つための指定降伏力を超えないため、ヘッドギアの長さは使用者により変更されない限り実質的に一定のままである。
【０１１５】
大ヒステリシス機構の別の実施形態が図２５Ａ〜Ｃに示される。Ｃリング機構１４００の断面が図２５Ａに示される。機構１４００は、ストラップ部材１４１０と連続的に形成しても別個の部品であってもよい硬質管状ハウジング１４０４を含む。ハウジング１４０４は、コアストラップ１４０８の非伸展セクションが通過してもよいオリフィスを含む。ハウジング１４０４は、また、コアストラップ（不図示）の自由端部を含む。ハウジング内にはＣ字形の断面１４０６を持つ弾性ワッシャがある。ワッシャ１４０６はワッシャ１４０６の開口部がマスクの方に向くように配向される。可撓性のＣ字形ワッシャ１４０６はシリコン又はゴムで作製してもよい。図２５Ａを参照すると、Ｃ字形の部材１４０６内に画定される開口部はコアストラップ１４０８の長手方向軸線と実質的に同様の方向に配向される。各Ｃ字形の部材１４０６の少なくとも１つの脚はコアストラップ１４０８に隣接する。ワッシャ１４０６のＣ字形セクションは、ハウジング１４０４内を通過するコアストラップ１４０８の非伸展セクションの表面上において引きずられる。以下により詳細に説明するように、ハウジング１４０４及びワッシャ１４０６は、コアストラップ１４０８が１つの方向に動くときにワッシャ１４０６が大きな摩擦をかけ、もう一方の方向へのコアストラップ１４０８の動きが実質的に自由となるように構成されている。
【０１１６】
ここで図２５Ｂ及びＣを参照すると、コアストラップ１４０８の自由運動及び高摩擦運動が示される。運動の方向に応じて、ワッシャ１４０６は異なるように反応する。コアストラップ１４０８が自由運動方向１４１４に動くと、図２５Ｂに示すようにワッシャ１４０６の中心は「広がる（ｕｎｒｏｌｌ）」傾向にある。ワッシャ１４０６の中心が広がると、コアストラップ１４０８にかかる摩擦は減少する。コアストラップ１４０８がもう一方の方向である高摩擦運動方向１４１６に動くと、図２５Ｃに示すように、コアストラップ１４０８に接しているワッシャ１４０６の中心が窄まる又は圧縮される。この変形によりコアストラップ１４０８にかかる摩擦が増加し、ヘッドギアを伸長させるために必要な力が増加する。図２６Ａ及びＢは、上述のようなＣリング機構を有するヘッドギアアセンブリの一実施形態の２つの図を示す。コアストラップ１４０８の中間セクションは伸展シース内に収容されている。伸展シースは両端がハウジング１４０４に結合され得る。伸展シースは、ヘッドギアを使用者の頭部のサイズに戻すための後退力を提供する。伸展シースのヤング率は、シースが使用者の頭部に、最小予想吹出力以下の力を印加することができるように調整され得る。これは、伸展シースが初期平衡力を提供することを意味する。カニューレシステムでは、快適性を最大にするために、ヤング率は、カニューレを使用者の頭部に保持するのに必要なもののうち可能な限り又は実施可能な限り最も低いものとなるように調整され得る。高い吹出力（又はカニューレシステムの外力）では、非伸展構成要素は更なる平衡力を提供する。コアストラップ１４０８は端部がハウジング１４０４から引き出される可能性を低減又は排除するために端部にストッパを有することが好ましい。コアストラップ１４０８の端部を収容することによって、ヘッドギアは閉ループを形成する。ヘッドギアをマスクに結合するためにハウジング１４０４はマスクフレームに留められることが好ましい。
【０１１７】
図２５Ａ〜Ｃに示される実施形態では、伸長力がヘッドギアに印加されると、コアストラップ１４０８はハウジング１４０４の内壁に対してワッシャ１４０６の丸いセクションを引く。これにより、ワッシャ１４０６が押しつぶされ、コアストラップ１４０８にかかる摩擦が増加する。ワッシャ１４０６によって提供される摩擦はヘッドギアを伸長させるために必要な力が指定降伏力よりも大きい程度である。ヘッドギアが伸長位置から解放されると、ワッシャ１４０６はその自然な形状に戻り、コアストラップ１４０８が大幅に低い抵抗でハウジング１４０４及びワッシャ１４０６を通過することが可能になる。ワッシャ１４０６の開放側がハウジング１４０４の壁に対して引っ張られると、ワッシャ１４０６はつぶれたり変形したりせず、コアストラップ１４０８にかかる摩擦は低いままになる。
【０１１８】
まず、ＣＰＡＰ圧力は弾性又は伸展構成要素によって使用者の頭部に印加された低レベルの力によって平衡する。ＣＰＡＰ圧力によって印加される力が増加するにつれて、非伸展コアストラップ１４０８は更なる伸長を制限するように機能する。ヘッドギアの自然な反応は、増加したＣＰＡＰ圧力に適応するために伸長することであるが、これにより、ワッシャ１４０６の丸みのある側がハウジング１４０４の壁に対して押され、摩擦が増加し、非伸展コアストラップ１４０８を所定の位置に「固定する」。コアストラップ１４０８の動きが制限されると、残りの平衡力が提供される。ＣＰＡＰ圧力によって印加される力は、一般に、コアストラップ１４０８にかかるワッシャ１４０６の摩擦に打ち勝つための指定降伏力を超えないため、ヘッドギアの長さは使用者により変更されない限り実質的に一定のままである。
【０１１９】
大ヒステリシス機構の別の実施形態が図２７Ａ〜Ｃに示される。図２７Ａでは、代替的なワッシャ機構１５００は、押しつぶすことが可能なコア部材１５０６を組み込んだハウジング１５０４を含む。押しつぶすことが可能なコア部材１５０６は、円錐が押しつぶされるか変形してコアストラップ１５０８にかかる摩擦を増加し得るように円錐形状に構成してもよい。コアストラップ１５０８が矢印１５１０によって示される自由運動方向に動くと、コアストラップ１５０８にかかる摩擦は最小となり、図２７Ｂに示すように、押しつぶすことが可能なコア部材１５０６はコアストラップ１５０８の自由運動に実質的に抵抗しない。コアストラップ１５０８が矢印１５１２によって示される高摩擦運動方向に動くと、押しつぶすことが可能なコア部材１５０６は図２７Ｃに示すように変形されるか左へと「窄まる」。
【０１２０】
引き続き図２７Ａを参照すると、グラフ１５２０は、押しつぶすことが可能なコア部材１５０６の変形により抵抗が増加するにつれてコアストラップ１５０８の動きに対する抵抗が急激に増加することを示す。コアストラップ１５０８が更に伸長する間、動きに対する抵抗は高いままであり、これは図２０を参照して記載したものなどの大ヒステリシス力プロファイルに合致する。
【０１２１】
大ヒステリシス機構の更に別の実施形態は図２８Ａ及び図２８Ｂに示される。図２８Ａでは、ローラボールロック機構１６００は、内部チャンバ１６０８を有する硬質管状ハウジング１６０４を含む。内部チャンバ１６０８は一端が他端よりも大きくなるように傾斜している。内部傾斜チャンバ１６０８はローラボール１６０６を収容する。ローラボール１６０６は内部傾斜チャンバ１６０８の壁と非伸展コアストラップ１６１０との間に収容される。ハウジング１６０４はコアストラップ１６１０がハウジングを通過してもよいようにオリフィスを更に含み、且つコアストラップ１６１０の自由端部を更に収容し閉ループを形成する。コアストラップ１６１０は、端部がハウジング１６０４から引き出されることを妨げるために、端部にストッパを有することが好ましい。ハウジング１６０４は、その後、マスクフレームに留めることができる。この構成では、ローラボール１６０６が内部キャビティ１６０８の一端にある場合、ローラボール１６０６はコアストラップ１６１０に押し付けられ、摩擦及びコアストラップ１６１０を更に伸張するのに必要な負荷力が増加する。引き続き図２８Ａを参照すると、コアストラップ１６０８が矢印１６１２によって示される方向に引っ張られたとき、ローラボール１６０６は内部キャビティ１６０８の小さい方の端部へと追いやられる。内部キャビティ１６０８の傾斜した形状により、コアストラップ１６０８が反対方向に動くと、ローラボール１６０６は、ローラボール１６０６のためのより広いスペースがある内部キャビティ１６０８の「高天井（ｈｉｇｈ  ｃｅｉｌｉｎｇ）」端部に追いやられる。したがって、ローラボール１６０６はコアストラップ１６０８との干渉が最小となり、それによってボールによってかかる摩擦を低減する。ヘッドギアアセンブリ内に組み込まれるこのローラボールロック機構の一例が図２８Ｂに示される。コアストラップ１６１０の中間セクションは伸展シース１６１２内に収容されている。伸展シース１６１２は両端がハウジング１６０４に結合され得る。伸展シース１６１２はヘッドギアを使用者の頭部のサイズに戻すための後退力を提供する。伸展シース１６１２のヤング率は、シース１６１２が使用者の頭部に、最小予想吹出力以下の力のみを印加することができるように調整されることが好ましい。これは、伸展シース１６１２が初期平衡力を提供することを意味する。カニューレシステムでは、快適性を最大にするために、ヤング率は、カニューレを使用者の頭部に保持するのに必要なもののうち可能な限り又は実施可能な限り最も低いものとなるように調整され得る。より高い吹出力では、非伸展構成要素は更なる平衡力を提供する。
【０１２２】
図２８Ａ〜Ｃを参照して上述したローラボール機構を有するヘッドギアに伸長力が印加されると、コアストラップ１６１０はハウジング１６０４の傾斜チャンバの狭い端部に向かってローラボール１６０６を引く。これが、その後、ローラボール１６０６をコアストラップ１６１０へと追いやり、コアストラップ１６１０にかかる摩擦が増加する。増加した摩擦はヘッドギアを伸長させるために必要な力が指定降伏力よりも大きい程度である。
【０１２３】
ヘッドギアが伸長位置から解放されると、ローラボール１６０６はハウジング１６０４の傾斜チャンバの広い方の端部に向かって追いやられ、したがって、コアストラップ１６１０にかかる摩擦が低下し、コアストラップ１６１０がチャンバ内を大幅に低い抵抗で通過することが可能になる。
【０１２４】
まず、ＣＰＡＰ圧力は伸展シース構成要素１６１２によって使用者の頭部に印加された低レベルの力によって平衡する。ＣＰＡＰ圧力によって印加される力が増加するにつれて、非伸展コアストラップ１６１０は更なる伸長に抵抗するように機能する。ヘッドギアはＣＰＡＰ圧力に適応するために自然に伸長しようとするが、これにより、ローラボール１６０６が傾斜チャンバ１６０８の狭い端部に向かって押され、コアストラップ１６１０を所定の位置に「固定する」。コアストラップ１６１０の動きに抵抗すると、残りの平衡力が提供される。ＣＰＡＰ圧力によって印加される力は、一般に、コアストラップ１６１０にかかるローラボール１６０６の摩擦に打ち勝つための指定降伏力を超えないため、ヘッドギアの長さは使用者により変更されない限り実質的に一定のままである。
【０１２５】
大ヒステリシス力プロファイルを有する第２のローラボールロック機構１６２０が図２８Ｃに示される。この図では、機構１６２０は、別個のくさび又はスイッチ部材１６３２を含む内部チャンバ１６２８を有するハウジング１６２４を含む。くさび部材１６３２は、ローラボール１６２６とチャンバ１６２８との間に収容されたヒンジ式解放スイッチとして機能する。この実施形態では、くさび部材１６３２は、コアストラップ１６３０からのローラボール１６２６の迅速な解放を向上させるために含まれる。くさび部材１６３２は、係合しているときには傾斜チャンバ、解放されると矩形チャンバを形成する角度を成した表面を有する。コアストラップ１６３０の中間セクションは図２８Ｂに示されるシース１６１２に類似する伸展シース内に収容される。伸展シースは両端がハウジング１６２４に結合され得る。伸展シースは、ヘッドギアを使用者の頭部のサイズに戻すための後退力を提供する。伸展シースのヤング率は、シースが使用者の頭部に、最小予想吹出力以下の力のみを印加することができるように調整されることが好ましい。これは、伸展シースが初期平衡力を提供することを意味する。カニューレシステムでは快適性を最大にするために、ヤング率は、カニューレを使用者の頭部に保持するのに必要なもののうち可能な限り又は実施可能な限り最も低いものとなるように調整され得る。より高い吹出力では、非伸展構成要素は更なる平衡力を提供する。
【０１２６】
矢印１６３４によって示されるような自由運動方向への方向の反転時、くさび１６３２がキャビティ１６２８内で外れる前にくさび１６３２及びローラボール１６２６はわずかな距離をともに移動し、コアストラップ１６３０とローラボール１６２６との間の把持を即座に解放する。コアストラップ１６３０はその後自由に動くことが可能となる。
【０１２７】
スイッチ１６３２は自然に係合位置にあり、傾斜チャンバを形成する。伸長力がヘッドギアに印加されると、コアストラップ１６３０は、スイッチ１６３２によって狭くなったチャンバ１６２８の端部に向かってローラボール１６２６を引く。ボール１６２６がスイッチ１６３２へと追いやられるにつれて、スイッチ１６３２が解放される箇所であるスイッチ１６３２の回転軸線の真上にローラボール１６２６が来るまで圧縮力が増加する。スイッチ１６３２の解放により、矩形チャンバ１６２８が形成され、スイッチ１６３２とボール１６２６とコアストラップ１６３０との間の抵抗が減少し、ボール１６２６がチャンバ１６２８内で動くことが可能になり、且つ弾性伸展シースに打ち勝つのに必要な力及び機構の構成要素間のいくらかの摩擦力のみでヘッドギアが容易に伸張することが可能になる。
【０１２８】
スイッチ１６３２が解放され、ボール１６２６がチャンバ１６２８の伸長端部まで転がると、コアストラップ１６３０は機構１６２０内を最小の抵抗で両方向に動くことができる。コアストラップ１６３０がその移動方向を反転し、ボール１６２６をチャンバ１６２８のもう一方の（後退）端部に戻した後、スイッチ１６３２のリセットが行われる。ボール１６２６がスイッチ１６３２の回転軸線を越えて転がり戻されると、スイッチ１６３２はリセットされ、チャンバ１６２８は再び傾斜する。
【０１２９】
ヘッドギアが伸長位置から解放され、後退が可能とされると、ローラボール１６２６はチャンバ１６２８の伸長側すなわちより開かれた側に向かって押し戻される。ローラボール１６２６の位置の変化によりスイッチ１６３２に再係合するが、また、構成要素間の低い抵抗レベルは維持され、コアストラップ１６３０がチャンバ１６２８を少ない抵抗で通過することが可能になる。
【０１３０】
まず、ＣＰＡＰ圧力は弾性シース構成要素によって使用者の頭部に印加された低レベルの力によって平衡する。ＣＰＡＰ圧力によって印加される力が増加するにつれて、非伸展コアストラップ１６３０は伸長に対する更なる抵抗を提供する。ヘッドギアの自然な反応はＣＰＡＰ圧力に適応するために伸長することであるが、これにより、ローラボール１６２６が角度を成したスイッチ１６３２表面に向かって押され、これにより、ボール１６２６、コアストラップ１６３０及びスイッチ１６３２間の摩擦が増加する。空気圧によって印加される力は、摩擦に打ち勝ちスイッチ１６３２の解放を生じさせるのに十分でないことが好ましく、したがって、ヘッドギアの更なる伸長が制限される。スイッチ力は指定降伏力に略等しいことが好ましい。
【０１３１】
図２９は、大ヒステリシス用のローラボール機構の代替的実施形態を示す。コレット機構１７００は、一端が円錐形の２部品ハウジング１７０４、１７０６を含む。非伸展コアストラップ１７１０の自由端部を収容する硬質管状ハウジングの端部のハウジング部材１７０４、１７０６。ハウジングはコアストラップ１７１０の周りにカラーを形成するコレット部材１７０８を収容する。コレット部材１７０８は図示される実施形態のように切頭円錐形状を有することが好ましく、その長手方向に、コレット部材１７０８の拡張及び収縮を可能にするための１つ又は複数の切り溝を有してもよい。コレット部材１７０８が矢印１７１２によって示される方向、つまり、ハウジング内に形成された円錐形チャンバ内に引き込まれると、コレット部材１７０８は非伸展コアストラップ１７１０に強いクランプ力をかける。上述のローラボール機構と同様に、コレット部材１７０８がハウジングの円錐形チャンバに引き込まれると、コアストラップ１７１０は高い摩擦力を受ける。反対方向に引っ張られる場合、コアストラップ１７１０は実質的に自由に動く。
【０１３２】
他の実施形態を参照して上述したように、コアストラップ１７１０の中間セクションは、両端がハウジングに結合された伸展シース内に収容されている。非伸展コアストラップ１７１０は、自由端部がハウジングから引き出される可能性を低減又は排除し、閉ループヘッドギアアセンブリを形成するために、端部にストッパを有することが好ましい。ハウジングチューブはマスクフレームに留めることができる。
【０１３３】
伸長力がヘッドギアに印加されると、コアストラップ１７１０はハウジングの円錐形の端部内にコレット部材１７０８を引き込む。これにより、コレット部材１７０８がコアストラップ１７１０上に圧迫され、２つの構成要素間の摩擦が増加する。圧迫されたコレット部材１７０８によって提供される摩擦はヘッドギアを伸長させるために必要な力が特定の印加力よりも大きくなる程度である。
【０１３４】
ヘッドギアが伸長位置から解放されると、コレット部材１７０８は、コアストラップ１７１０がコレット部材１７０８をより自由に通過することを可能にするその中立位置に戻る。弾性シースはヘッドギアを使用者の頭部のサイズに戻すための後退力を提供する。弾性シースのヤング率はシースが使用者の頭部に、最小予想吹出力以下の力のみを印加することができるように調整してもよい。この構成では、弾性体は初期平衡力を提供する。より高い吹出力では、非伸展構成要素は更なる平衡力を提供する。
【０１３５】
まず、ＣＰＡＰ圧力は弾性要素によって使用者の頭部に印加された低レベルの力により平衡する。ＣＰＡＰ圧力によって印加される力が増加するにつれて、非伸展コアストラップ１７１０は更なる伸長を制限する。ヘッドギアの自然な反応はＣＰＡＰ圧力に適応するために伸長することであるが、これにより、コレット部材１７０８がハウジングの円錐形の端部に向かって押されるため、非伸展コアストラップ１７１０は所定の位置に固定される。コアストラップ１７１０の動きが制限されると、残りの平衡力が提供される。ＣＰＡＰ圧力によって印加される力はコアストラップ１７１０にかかるコレット部材１７０８の摩擦に打ち勝つための指定降伏力を超えないことが好ましいため、ヘッドギアの長さは使用者により変更されない限り一定のままである。
【０１３６】
マスクと併せて大ヒステリシス力伸張プロファイルを提供するヘッドギアでは、装着のためヘッドギアを伸張させるのに必要な力は使用者が調整機能を簡単に認識することを可能にするために指定降伏力に比べてあまり高くないことが好ましい。非常に高い伸長力は使用者の混乱を引き起こすおそれがあるが、これは、使用者にはこの要求される大きな力が不自然に感じられる場合があり、ヘッドギアの構成要素の破壊する恐れがあり得ることが理由である。
【０１３７】
ヘッドギアは、また、フィット性を使用者の好みに合わせて調整できることが好ましい。図３０は、マスクのシールがどのようにフィットして欲しいかを使用者が選択することを可能にするセクションを含む大ヒステリシス機構ヘッドギアの力プロファイルを示す。この力プロファイルは使用者間の異なる顔面形状も考慮している。ストラップの更なる後退により、使用者はマスクを顔に押し付けてより広い接触面積及びシールとのよりきついフィット性を形成することができる。これにより、ヘッドギアによって印加される力は増加するが、上述のような摩擦機構に打ち勝つため及びヘッドギアを伸長させるために必要な力を超えることはない。緩いフィット性の方を好む使用者に対しては、ヘッドギアの非伸展又は低伸展構成要素によりマスクを所定の位置に保持することが可能になり、吹出力を相殺しつつもなお使用者の顔との密閉を維持するのに、あるいは、カニューレの重量を相殺し、カニューレを所定の位置に保持するのに最小限の力しか必要としない。
【０１３８】
種々の圧力における力プロファイルが図３１Ａ及びＢに示される。図３１Ｂは、Ｐｉｌａｉｒｏ弾性ストラップヘッドギアの力プロファイルを示す。力は略一定であり、ＣＰＡＰ圧力にほとんど影響されないことは明らかである。この図は、また、各被験使用者の異なる頭部サイズに起因する被験者間の広い分散を示す。
【０１３９】
これに対し、図３１Ａに示されるグラフは一方向摩擦ヘッドストラップ（ｏｎｅ−ｗａｙ−ｆｒｉｃｔｉｏｎ  ｈｅａｄ  ｓｔｒａｐ）を用いて得られる。この例では、トンネルコンセプトを用いたヘッドギアが用いられるが、上述したような本発明者の他のコンセプトでも同様の結果が得られる。この図は、平衡フィットの利点を示す。低圧では、Ｐｉｌａｉｒｏ弾性ストラップヘッドギアと比較すると、低い圧力では、このヘッドギアにより生成される、使用者の頭部にかかる力は大幅に小さい。図３１Ａは、また、様々な使用者の測定においてより小さな分散を示す。ある人は他の人よりもより強い係合を必要とするあるいは強い係合の方を好むため、分散はシールが形成される手法に起因するものである。
【０１４０】
図３１Ｃは、図３１Ａ及びＢに示される最初の２つのグラフの各平均間の差を示す。このグラフでは、ＣＰＡＰ圧力スケールの下端部における大きな力の差が明らかである。上述の機構の１つを含むヘッドギアは使用者の快適性を向上させることができる。これは、圧力ランピング（ｐｒｅｓｓｕｒｅ  ｒａｍｐｉｎｇ）又は圧力変化技術などのＣＰＡＰのインテリジェント供給（ｉｎｔｅｌｌｉｇｅｎｔ  ｓｕｐｐｌｙ）との組み合わせの場合に特に当てはまる。
【０１４１】
図３１Ｃは平均値を示すことに留意されたい。しかしながら、平衡フィット機構はそれぞれ個々の使用者の効果を最適化するように設計されている。
【０１４２】
図３２は、自己フィット式インターフェースアセンブリに用いられる可変方向特性を有する調節機構１８００を示す。示される調節機構１８００は方向ロック機能を提供し、ゆえに、方向ロッキング機構又は単に方向ロックと呼ばれ得る。方向ロック１８００は第１のレベルの抵抗での第１の方向における２つの構成要素間の相対運動を可能にし、且つ第２の方向における相対運動（又は相対運動の試み）に応じて第２の、好ましくはより高いレベルの抵抗を提供し、これにより、少なくともいくつかの荷重条件に応じた第２の方向における相対運動を阻止する又は妨げる。いくつかの構成においては、方向ロック１８００は、ＣＰＡＰ生成吹出力及び外力（例えばホース引張り力）の１つ又は複数などの、通常動作上の力に応じた第２の方向における相対運動を妨げる。方向ロック１８００は、また、上述のような、予想又は通常吹出力及び／又は予備力を提供するためのホース引張り力を超える更なる力に応じた第２の方向における相対運動を妨げることができる。したがって、方向ロック１８００は通常動作上の力（及び所望であれば予備力）に応じてのみロック機能を提供するように構成することができ、且つ通常動作上の力（及び所望であれば予備力）を超える大きさの力に応じて２つの構成要素間の相対運動を可能にすることができ、例えば、装着プロセスの取付フェーズ時におけるインターフェースアセンブリのヘッドギア部分の伸長を可能にする。したがって、そのような方向ロック１８００を組み込んだヘッドギア機構は伸展挙動から非伸展挙動へと、又は弾性伸長型挙動から非伸長型挙動へと「転換」することができる。本明細書で使用する場合、伸長は伸張方向の動きを意味することに必ずしも限定されず、一般に、非伸展又は弾性でない／非弾性挙動と対照的な伸展又は弾性挙動を意味し得る。方向ロック１８００（及び本明細書中に記載される他の方向ロック）は変形ロック挙動を提供する変形ロックとも呼ばれ得る。
【０１４３】
図３２の方向ロック１８００は、一般に、浮動又は可動ロック構成要素又は部材１８０２（例えば、ロックワッシャ又はロックプレート）が第１の、低抵抗すなわち解放位置と、第２の、高抵抗すなわちロック位置との間において可動であるという点で動作原理が図１６及び図２１の配置に類似している。図３２の方向ロック１８００に関して記載されない特徴又は詳細は図１６及び図２１の配置の対応する特徴と同じ又は類似とされ得る、あるいは、別の適切な構成とされ得る。示される方向ロック１８００は、ロックワッシャ１８０２の開口部を通過するコアストラップ又はコアワイヤ／コードなどのコア部材１８０４を含む。ロックワッシャ１８０２は第１の位置と第２の位置との間の動きのため筐体又はハウジング１８０６内で支持される。好ましくは、ハウジング１８０６は、ロックワッシャ１８０２を第１の位置で支持する第１の停止面１８１２を有する第１の壁１８１０を含む。第１の位置は好ましくは低抵抗すなわち解放位置である。ハウジング１８０６は好ましくは、また、ロックワッシャ１８０２を第２の位置で支持する第２の停止面１８１６を有する第２の壁１８１４を含む。第２の位置は好ましくは高抵抗すなわちロック位置である。好ましくは、停止面１８１２、１８１６はロックワッシャ１８０２を所望の位置で支持するようなサイズ、形状、又は配置にされる。したがって、停止面１８１２、１８１６は示されるように、ロックワッシャ１８０２の協働面の全体又は実質的に全体に接する連続的な表面とされ得る。あるいは、停止面１８１２、１８１６は断続的な又は不連続な面とされ得るか、例えば、ロックワッシャ１８０２の上及び下端部部分などのロックワッシャ１８０２の１つ又は複数の部分に接し得る。
【０１４４】
好ましくは、ロックワッシャ１８０２は、ワッシャ１８０２の開口部又は穴がコア部材１８０４に略平行に又は整列して配置されるようにハウジング１８０６のロックキャビティ内において第１の、低抵抗すなわち解放位置に配置されたコア部材１８０４の部分の長手方向軸線に対し略垂直に配置されている。好ましくは、ロックワッシャ１８０２は、ワッシャ１８０２の開口部又は穴がコア部材１８０４に対して傾角で配置されるようにハウジング１８０６のロックキャビティ内において、第２の、高抵抗すなわちロック位置に配置されるコア部材１８０４の部分の長手方向軸線に対して傾角で配置される。したがって、いくつかの構成においては、第１の停止面１８１２はハウジング１８０６のロックキャビティ（及び／又はコア部材１８０４が通過するハウジング１８０６の開口部）内に配置されたコア部材１８０４の部分に対して略垂直とすることができ、第２の停止面１８１６は、ハウジング１８０６のロックキャビティ（及び／又はコア部材１８０４が通過するハウジング１８０６の開口部）内に配置されたコア部材１８０４の部分に対して傾角Θで配置することができる。以下に記載されるように、第２の停止面１８１６に接しているときの第２の停止面１８１６又はロックワッシャ１８０２の角度はロックワッシャ１８０２がロック位置にあるときに所望のロック若しくは降伏力又は抵抗の大きさを得るように選択することができる。
【０１４５】
装着プロセス時におけるインターフェースアセンブリのヘッドギア部分の伸長又は後退時にハウジング１８０６とコア部材１８０４との間の相対運動が生じるように、ハウジング１８０６はインターフェースアセンブリの１つの構成要素に結合することができ、コア部材１８０４はインターフェースアセンブリの別の構成要素に結合することができる。コア部材１８０４とロックワッシャ１８０２との間の摩擦係合により、ロックワッシャ１８０２がコア部材１８０４とハウジング１８０６との間の相対運動の方向に応じて第１の位置と第２の位置との間において動く、あるいは、コア部材１８０４及び／又はハウジング１８０６に力が印加される方向に応じて第１の位置及び第２の位置の１つにロックワッシャ１８０２を保持する。したがって、本明細書中に記載される他の実施形態と同様に、そのような配置によって、自己フィット式インターフェースアセンブリの可変方向抵抗特性を提供するために方向ロック１８００を用いることができる。
【０１４６】
図３３は、方向ロック１８００に類似する方向ロック１８２０を示す。したがって、同じ又は対応する構成要素又は特徴を示すために同じ参照符号又は文字が使用される。方向ロック１８２０は、方向ロック１８２０のロック力を制限するためにコア部材１８０４に特定の力が印加されると、コア部材１８０４を解放するか、コア部材１８０４の動きに対する抵抗を低減する解放機構１８２２を組み込む。つまり、解放機構１８２２により、ロックワッシャ１８０２は、ロック位置から、コア部材１８０４に対し垂直な状態に近い又は解放位置に近い二次ロック位置へと動くことが可能となるが、これはロックワッシャ１８０２をロック位置へと動かす傾向にある方向に印加された力に応答するものである。したがって、解放機構１８２２は方向ロック１８０２のロック機能のロック力又は降伏力にある程度影響を及ぼす。
【０１４７】
示される配置においては、解放機構１８２２はばね１８２４などの付勢部材又は機構を含む。ばね１８２４はロックワッシャ１８０２を（ハウジング１８０６の第２の表面１８１６の一部とともに）ロック位置にて支持し、予想される力又は通常動作上の力に応じてコア部材１８０４とハウジング１８０６との間の相対運動を阻止する又は妨げる。好ましくは、ばねの特性（例えば、ばね定数、予圧等）は、ロックワッシャ１８０２が所望の力の大きさに応じ、ばね１８２４の付勢力に反して二次ロック位置の方に又は二次ロック位置へと動くことができるように選択される。力の大きさは、予想される力又は通常動作上の力（吹出力、ホース引張り力及び予備力の１つ又は複数を含む）よりも大きくすることができる。示される配置においては、ロックワッシャ１８０２は、ロック位置にあるばね１８２４の実質的に逆側のハウジング１８０６の第２の表面１８１６に接しており、二次ロック位置の方に動く際にその枢動面又は枢動箇所１８２６を中心に枢動する。枢動箇所１８２６とばね１８２４の位置（又は任意の他の付勢機構の有効位置）との間の距離は、ロックワッシャ１８０２のレバー長と呼ぶことができ、ロックワッシャ１８０２をロック位置から二次ロック位置に向かって動かすのに必要な負荷を左右し得る。第２の表面１８１６の部分１８２８は二次ロック位置に向かう方向のロックワッシャ１８０２の動きを制限する停止部を画定し得る（及びいくつかの構成においては、二次ロック位置を画定し得る）。示される配置においては、停止部分１８２８は枢動箇所１８２６の実質的に逆側及び／又はばね１８２４の近傍に配置されている。
【０１４８】
方向ロック機構１８００の作動長、ロック強度及び耐久性に影響するいくつかの特性、特徴又は寸法（例えば、材料又は幾何学的形状／比率）がある。これらのいくつかとしては、相対的な構成要素間の離間距離（例えば、ロックワッシャ１８０２からコア部材１８０４まで又はコア部材１８０４からハウジング１８０６までなど）、ロックワッシャ１８０２とコア部材１８０４との間の接触面積、ロック壁１８１４若しくはロック表面１８１６の角度、又は解放機構１８２２に関連する力及びレバー長が挙げられ得る。いくつかの構成においては、ロックワッシャ１８０２とコア部材１８０４との初期係合を促進するために摩擦促進部が用いられる。摩擦促進部は初期ロック作動を向上するために用いられ得る。摩擦促進部は、ロックワッシャ１８０２とコア部材１８０４との間の増加した摩擦を提供するための軟質材料の使用、ハウジング１８０６内のロックチャンバの解放壁１８１０上のわずかに角度を成した解放表面１８１２の使用、又はロックワッシャ１８０２の穴とコア部材１８０４との間の精密公差の使用を含むが、これらに限定されない任意の適切な技法を用いて得られるいずれかとすることができる。いくつかの構成においては、コア部材１８０４は約０．１ｍｍ〜約８ｍｍの直径若しくは断面寸法又は任意の値若しくはその範囲内の部分範囲を有し得る。いくつかの構成においては、コア部材１８０４は８ｍｍを超える直径又は断面寸法を有してもよい。
【０１４９】
図３４は、角度を成したロック部材（例えば、ロックプレート又はロックワッシャ１８０２）を用いる方向ロック（例えば、方向ロック１８００及び１８２０）のスリップ力とロック角度との間の関係を示す。示されるように、他の要素が等しければ、コア部材１８０４とハウジング１８０６との間の相対運動を得るのに必要なスリップ力はロック位置にあるロックワッシャ１８０２の角度Θが増加するにつれて増加する。少なくともいくつかの構成においては、この関係は略線形である。例として、図３４のグラフは、１０度〜２５度のロック角度に対するスリップ力の変化を示す。スリップ力は１０度での約２〜２．５ニュートンから２５度での約９ニュートンまで変化し、それら端点間には略線形の関係がある。ロック角度とスリップ力との間の関係は方向ロックの望ましいロック特性及び／又はスリップ特性を得るために用いることができる１つの要素である。図３４に示されるロック角度は単に例示である。いくつかの構成においては、ロック角度はちょうどゼロ度を超える角度から約４５度以上まで変化させることができる。いくつかの構成においては、ロック角度は図３４のグラフに示されるように約１０度〜約２５度であるか、その範囲内の任意の特定の値又は部分範囲である。方向ロック１８００又は本明細書中に記載される任意の他の類似の機構のスリップ力又は最大ロック力は（例えば、吹出力又は通常の若しくは予想外力に起因する）ロックの望ましくないスリップ動作を阻止するほど十分なものとすることができるが、（例えば、インターフェースアセンブリの取り付けを可能にするための）ロックの所望のスリップ動作が妨げられるほど大きなものではない。本明細書中に記載されるように、スリップ力はヘッドギア取り付けの特定の動作エンベロープを超えるように選択され得るが、動作エンベロープは数ある要素の中でも特に、使用されるインターフェースの種類及び／又は治療の種類に関連し得る。いくつかの構成においては、スリップ力は動作エンベロープを予備量だけ超える。いくつかの構成においては、スリップ力は約６５ニュートン以下、約４５ニュートン以下、約２５ニュートン以下、約９若しくは１０ニュートン以下、又はこれら範囲内の任意の特定の値若しくは部分範囲とすることができる。いくつかの構成においては、スリップ力は少なくとも約０．５ニュートンとされ得る。いくつかの構成においては、スリップ力は少なくとも約０．５ニュートン、及び約９、１０、２５、４５若しくは６５ニュートン以下、又はこれら範囲内の任意の特定の値若しくは部分範囲とすることができる。いくつかの構成においては、スリップ力は約０．５ニュートン〜約６５ニュートン、約１ニュートン〜約４５ニュートン、約２ニュートン〜約２５ニュートン、又は約２．５ニュートン〜約９若しくは１０ニュートン、又はこれら範囲内の任意の特定の値若しくは部分範囲とすることができる。
【０１５０】
図３５は、付勢機構１８２４の変化により得られるスリップ力の変化を示す。他の特性が等しければ、スリップ力は、ロック位置から二次ロック位置に向かって動くロックワッシャ１８０２に対する抵抗を増加又は減少する付勢機構１８２４の特性を変えることによって変化させることができる。例えば、付勢機構がばね１８２４を含む場合、ばね定数及び／又は予圧は方向ロック１８００、１８２０のスリップ力を変化させるように選択することができる。図３５は、４つの異なるスリップ力（例えば、約２ニュートン、約４ニュートン、約８ニュートン及び約１０〜１１ニュートン）を生じる付勢機構１８２４の４つの異なる変化を示す。このようなスリップ力は単に例であり、任意の適切なレベルに調整することができる。図３３には圧縮コイルばねを示すが、他の適切な種類のばね又はばね様要素（付勢機構の中でも特に）もまた使用され得る。加えて、使用者の好みに適応させるなどのためにスリップ力の製造後の調節を可能にするために付勢機構１８２４は製造後に（例えば、介護者又は使用者によって）調節可能とされ得る。例えば、ばね１８２８にかかる予圧を調節する調節機構が提供され得る。
【０１５１】
図３６及び図３７は、要求に応じた抵抗を示す自己フィット式インターフェースアセンブリ１８５０を示す。示されるインターフェースアセンブリ１８５０はアセンブリの第１部分とアセンブリの第２部分との間の機械的接着を用いた方向ロック機能を提供する。好ましくは、インターフェースアセンブリ１８５０は、図７及び図８のものなど、インターフェースアセンブリ１８５０の２つの部分が相互作用し、インターフェースアセンブリ１８５０の伸長に応じた第１の力と、第２の、好ましくは、より低い後退力とを提供するという点で本明細書中に記載されるインターフェースと類似の手法で構成される。しかしながら、図３６及び図３７のインターフェースアセンブリ１８５０は、１つ又は両部分に、機械的接着、機械的インターロック、ファンンデルワール（Ｖａｎ  ｄｅｒ  Ｗａａｌ）力又は他の分子間力を提供する微細構造を用いてそのような方向ロッキングを提供することが好ましい。
【０１５２】
図３６を参照すると、インターフェースアセンブリ１８５０は、好ましくは、インターフェース又はマスク部分１８５２と、ヘッドギア部分１８５４とを含む。マスク部分１８５２は、好ましくは、使用者の顔に接し、使用者の顔と少なくとも実質的なシールを形成する。ヘッドギア部分１８５４は使用者の頭部の周りに延在し、使用者の顔上でマスク部分１８５２を支持する。図３７を参照すると、ヘッドギア部分１８５４の長さを変えられるように互いに対して可動である第１部分１８５６及び第２部分１８５８を有するインターフェースアセンブリ１８５０の一部が示される。部分１８５６及び部分１８５８はそれぞれ、マスク部分１８５２若しくはヘッドギア部分１８５４の１つ若しくは複数、又はインターフェースアセンブリ１８５０の任意の他の構成要素によって画定され得る。いくつかの構成においては、部分１８５６及び部分１８５８は両方ともヘッドギア部分１８５４の一部によって画定される。
【０１５３】
好ましくは、部分１８５６及び部分１８５８の１つ又は両方は、部分１８５６、１８５８が互いに対して選択的に係合し、方向ロック力を提供することを可能にする微細構造１８６０を含む（図３８及び図３９）。好ましくは、ロック力は、吹出力、ホース引張り力、他の外力及び予備力の１つ又は複数などの予想される力又は通常動作上の力ＦNに応じ、部分１８５６、１８５８の相対運動を阻止する又は妨げる、あるいは、ヘッドギア部分１８５４の現在の長さを維持するのに十分なものである。ロック力は、インターフェースアセンブリ１８５０が（使用者に装着されたときなど）一般的な円形とみなされる又は一般的な円形である場合に、部分１８５６と部分１８５８との間の相対運動の方向に略垂直な方向に、又は略半径方向に印加される力ＦPに左右され得る。したがって、ロック力は使用者の頭部が部分１８５６、１８５８のうち内側のものに対し外向きの力を印加した場合に増加され得る。
【０１５４】
他のインターフェースアセンブリとともに上記したように、インターフェースアセンブリ１８５０は、部分１８５６、１８５８にかかる垂直力又は半径方向力がない場合に伸長に対する第１のレベルの抵抗を示し、部分１８５６、１８５８にかかる垂直力又は半径方向力の存在下で伸長に対する第２の、好ましくはより高いレベルの抵抗を示し得る。したがって、ヘッドギア部分１８５４は第１のレベルの抵抗にて伸展させることができ、その後、使用者の頭部にフィットさせることができる。フィットすると、ヘッドギア部分１８５４は伸長に対する第２の、より高いレベルの抵抗を提供することができる。この抵抗は、ヘッドギア部分１８５４を伸張しようとする吹出力又は他の力に抵抗するように機能する。好ましくは、ヘッドギア部分１８５４の後退に抵抗しようとする力（ゆえに、使用者の頭部に印加される力）は少なくとも第２のレベルの抵抗よりも低く、且つ使用者の快適性を向上させるため、伸長に対する第１のレベルの抵抗よりも低くてもよい。
【０１５５】
微細構造１８６０は伸長及び後退のいずれか又は両方における部分１８５６、１８５８の相対運動に対し所望のレベルの抵抗を提供するための任意の適切な配置のものとすることができる。好ましくは、いくつかの構成においては、微細構造１８６０は方向性を有するか、相対運動の方向に応じて異なるレベル又は抵抗を生じる。図３８に示されるように、１つの好適な微細構造配置１８６０は、マイクロファイバー又はナノファイバーなどの、エレクトロスピニング法及びそのような高分子材料任意の適切な材料を用いて作製され得る複数の繊維を含み得る。他の適切な方法及び／又は材料も使用してよい。繊維は所望であれば、方向性特性を提供するような適切な手法で配向され得る。
【０１５６】
図３９に示されるように、別の適切な微細構造は、例えば、複数の隆起、歯又は鱗状の突起１８６２などの複数の幾何学的形状を含み得る。突起１８６２はそれぞれ、基部１８６４と、基部１８６４の略反対側の縁端１８６６と、を有し得る。各部分１８５６、１８５８ではそのような突起１８６２を用いることができる。あるいは、１つの部分１８５６、１８５８で突起１８６２を用いることができ、他の部分１８５６、１８５８では突起１８６２への係合に適した他の種類の相補的構造を用いることができる。好ましくは、突起１８６２は部分１８５６、１８５８に対し、相対運動に対する方向ロック又は方向性抵抗を提供するように配向される。例えば、突起１８６２は、突起１８６２が支持される表面に対して及び／又は動きの方向に対して傾角で配向され得る。したがって、１つの方向の動きに応じて、突起１８６２は低いレベルの抵抗を有して互いの上をスライドすることができ、もう一方の方向への動きに応じて、突起１８６２は互いに係合して相対運動を阻止するか妨げ、ロック機能を提供することができる。突起１８６２は任意の適切な手法（例えば、１つ又は複数の列）で配置され得る。突起１８６２は、任意の適切な材料（例えば、ポリマー）から、任意の適切なプロセス（例えば、微細加工技術又は微細成形技術）によって作製され得る。
【０１５７】
図４０〜４２は、自己フィット式インターフェースアセンブリに用いることができる可変方向特性を有する別の調節機構１９００を示す。示される調節機構１９００は方向ロック機能を提供するため、方向ロッキング機構、又は単に、方向ロックと呼ぶことができる。図４０〜４２の方向ロック１９００は、一般に、ロック構成要素又は部材１９０２（例えば、ロックプレート）が第１の、低抵抗すなわち解放位置と、第２の、高抵抗すなわちロック位置との間において可動であるという点で図１６、２１、３２及び３３の機構の動作原理に類似する。図４０〜４２の方向ロック１９００に関して記載されない特徴又は詳細は図１６、２１、３２及び３３の機構の対応する特徴と同じ又は類似とされ得る。あるいは、別の適切な構成のものとすることができる。
【０１５８】
方向ロック１９００は好ましくは、上記機構のコア部材と同様に機能する平坦ストラップ１９０４の形態のコア部材を含む。方向ロック１９００は、好ましくは、また、上記機構のハウジングに構造及び機能が類似し得る筐体又はハウジング１９０６を含む。したがって、ロックプレート１９０２は第１の位置と第２の位置との間で動くためにハウジング１９０６内で支持される。好ましくは、ハウジング１９０６は、ロックプレート１９０２を第１の位置で支持する第１の停止面１９１２を有する第１の壁１９１０を含む。第１の位置は好ましくは低抵抗すなわち解放位置である。ハウジング１９０６は好ましくは、また、ロックプレート１９０２を第２の位置で支持する第２の停止面１９１６を有する第２の壁１９１４を含む。第２の位置は好ましくは高抵抗すなわちロック位置である。
【０１５９】
好ましくは、ロックプレート１９０２は、ロックプレート１９０２の開口部又は穴がストラップ１９０４に略平行に又は整列して配置されるようにハウジング１９０６のロックキャビティ内において、第１の、低抵抗すなわち解放位置に配置されるストラップ１９０４の長手方向軸線に対し略垂直に配置される。好ましくは、ロックプレート１９０２は、ロックプレート１９０２の開口部又は穴がストラップ１９０４に対して傾角で配置されるようにハウジング１９０６のロックキャビティ内において、第２の、高抵抗すなわちロック位置に配置されるストラップ１９０４の部分の長手方向軸線に対して傾角で配置される。したがって、いくつかの構成においては、第１の停止面１９１２はハウジング１９０６のロックキャビティ（及び／又はストラップ１９０４が通過するハウジング１９０６の開口部）内に配置されたストラップ１９０４に対し略垂直とすることができ、第２の停止面１９１６はストラップ１９０４（及び／又はコア部材１９０４が通過するハウジング１９０６の開口部）に対して傾角Θで配置することができる。以下に記載されるように、第２の停止面１９１６に接しているときの第２の停止面１９１６又はロックプレート１９０２の角度は、ロックワッシャ１９０２がロック位置にあるときに所望の最大ロック力又は抵抗の大きさを得るように選択することができる。所望であれば、図３３の解放機構１８２２に類似する解放機構が設けられ得る。
【０１６０】
上記機構と同様に、ストラップ１９０４とハウジング１９０６との相対運動によってインターフェースアセンブリの長さ又は周囲を調節できるように、ストラップ１９０４は、関連インターフェースアセンブリの第１部分に結合され得るか、関連インターフェースアセンブリの第１部分を形成することができ、ハウジング１９０６はインターフェースアセンブリの第２部分に結合され得るか、インターフェースアセンブリの第２部分を形成することができる。有利には、ストラップ１９０４は１つ又は複数の特性に関して異方性である。例えば、ストラップ１９０４は、幅方向に曲がる又は曲げる場合の方が高さ方向に曲げる場合に比べてより可撓性がある。したがって、インターフェースアセンブリに支持を提供し、マスク部分の望ましくない動きを阻止するために、ストラップ１９０４は使用者の頭部に合致する方向に曲がることができるが、高さ方向に曲がることには抵抗する。加えて、ストラップ１９０４を含む方向ロック１９００は、例えば、ヘッドギアストラップの側部、後部又は頂部部分などの、インターフェースアセンブリの、使用者の頭部に接する部分への使用に好適であり、おそらくは略円筒状コア部材を有するインターフェースに比べてより高い快適性を有する。しかしながら、方向ロック１９００は、使用者の頭部及びマスク部分に接するよりも部分の間のヘッドギアの１つ又は両方の側部などのインターフェースアセンブリの他の部分又は位置にも使用され得る。
【０１６１】
示される方向ロック１９００は、方向ロック１９００の感度を増加するためにロックプレート１９０２の動作を容易にする作動機構１９２０を含む。このような作動機構１９２０により、ロック位置若しくは解放位置への又はロック位置若しくは解放位置からのロックプレート１９０２の動作を速め、方向ロック１９００のロック位置と解放位置との間における移行に必要な相対運動の時間又は距離を向上することができる。加えて又は代替的に、作動機構１９２０では、望ましいレベルの機能性を維持しつつも構成要素の公差を大きくすることができ、それによって方向ロック１９００のコストが低減されるように、構成要素寸法（例えば、ロックプレート１９０２又はストラップ１９０４の相互作用部分の寸法）の変化に対する方向ロック１９００の感度を低下させることができる。
【０１６２】
いくつかの構成においては、ロックプレート１９０２及びストラップ１９０４の１つは、ロックプレート１９０２及びストラップ１９０４のもう一方との係合を容易にする係合機能部１９２２を含み得る。示される配置においては、ストラップ１９０４は、ロックプレート１９０２との摩擦係合を容易にする係合機能部１９２２を含む。係合機能部１９２２は、ロックプレート１９０２との係合を強化する特定の寸法、表面特徴又は材料を有する、ストラップ１９０４の部分を含み得る。例えば、図４２を参照すると、係合機能部１９２２の幅はストラップ１９０４の残部の幅よりも大きくすることができる。加えて又は代替的に、係合機能部１９２２は、ロックプレート１９０２とストラップ１９０４との間の摩擦係合を強化するために摩擦特性をストラップ１９０４の残部に対して向上させた異なる材料又は表面仕上げを含み得る。示される配置においては、係合機能部１９２２は、適切なプラスチック材料で作製され得るストラップ１９０４の残部に対して固定されたシリコーン材料部分である。しかしながら、他の適切な材料もまた係合機能部１９２２又はストラップ１９０４の残部に用いられ得る。係合機能部１９２２の相互作用ローブとストラップ１９０４の残部との間の機械的干渉により異なる材料の分離が阻止される。係合機能部１９２２を有するストラップ１９０４の他の適切な配置、材料又は構造もまた用いられ得る。
【０１６３】
好ましくは、係合機能部１９２２は、ロックプレート１９０２の、主要ロック機能を提供する表面とは異なる表面に作用する。例えば、係合機能部１９２２はストラップ１９０４の残部に対して増加した幅を有するため、実質的な又は主要ロック機能が頂部表面及び底部（幅）表面によって得られる一方で係合機能部１９２２は実質的に又は主としてストラップ１９０４の側部（高さ）表面に作用する。ロック機能性と係合機能性との少なくとも一部分離により、それぞれを別個に最適化することが可能となる。したがって、方向ロック１９００の感度は所望のレベルの感度を得るために変えることができ、且つロック力は互いに大きな負の影響を及ぼすことなく所望のレベルのロックを得るために別個に変えることができる。
【０１６４】
図４３〜４５は、本明細書中に記載される他のインターフェースアセンブリに類似する自己フィット機能を有するインターフェースアセンブリ１９５０を示す。図４３〜４５は、装着プロセス内の種々の位置にあるインターフェースアセンブリ１９５０を示す。図４３は、使用者に一部フィットしたインターフェースアセンブリ１９５０を示す。図４５は、使用者に完全にフィットしたインターフェースアセンブリ１９５０を示し、図４４は、図４３及び図４５の位置の間にあるインターフェースアセンブリ１９５０を示す。
【０１６５】
一般に、インターフェースアセンブリ１９５０は、マスクなどのインターフェース部分１９５２及びヘッドギア部分１９５４を含む。ヘッドギア部分１９５４は、使用者の頭部に接し、且つ１つ又は複数のストラップを含む後部部分１９５６を含み得る。示される配置においては、後部部分１９５６は、複数のストラップ、つまり、頭部の後部周囲を通るストラップと、頭部の頭頂部を通るストラップとを含む。しかしながら、任意の適切な数のストラップを提供することができる。ヘッドギア部分１９５４は、また、後部部分１９５６とマスク１９５２との間に延在し、且つ好ましくは後部部分１９５６とマスク１９５２とを結合する一対のサイドストラップ１９５８を含む。示される配置においては、各サイドストラップ１９５８は、自己フィット機能を提供するかそうでなければ容易にする方向ロック機構１９６０の一部又は全てを含む。マスク１９５２は方向ロック機構１９６０の一部を担持するか、又は含んでもよい。他の配置においては、インターフェースアセンブリ１９５０の他の部分（例えば、ヘッドギア部分１９５４の後部部分１９５６及び／又はマスク１９５２）はサイドストラップ１９５８に加えて又はサイドストラップ１９５８の代わりに方向ロック機構の一部又は全体を含み得る。各サイドストラップ１９５８は構造及び動作が実質的に類似し得る又は同一とされ得る。
【０１６６】
他のインターフェースアセンブリに関して上述したように、好ましくは、インターフェースアセンブリ１９５０は、インターフェースアセンブリ１９５０が適用のため伸張し、特定使用者の頭部サイズに合わせて調節するために後退し、その後、ＣＰＡＰ吹出力、ホース引張り力及び予備力の１つ又は複数などの予想される力又は通常の力に応じた伸長を阻止する又は妨げるためにロックを可能にするという点で自己フィット機能又は方向機能を提供する。好ましくは、インターフェースアセンブリ１９５０によって使用者の頭部に印加される保持力がインターフェースアセンブリ１９５０の伸張を阻止するロック力よりも低くなるように、方向ロック１９６０は、インターフェースアセンブリ１９５０、ヘッドギア部分１９５４又はサイドストラップ１９５８を後退させようとする力に対してはより低い抵抗を有し、インターフェースアセンブリ１９５０、ヘッドギア部分１９５４又はサイドストラップ１９５８を伸張しようとする力に対してはより高い抵抗を有する。本明細書中に図２〜５を参照して記載したように、いくつかの構成においては、インターフェースアセンブリ１９５０では保持力は動作エンベロープを下回り、ロック力は動作エンベロープを上回る。
【０１６７】
図４６〜４８は、図４３〜４５のインターフェースアセンブリ１９５０から分離されたサイドストラップ１９５８を組み込む方向ロック機構１９６０を示す。方向ロック機構１９６０は、全般的に、ロック部又はロック１９６２と、コア部材１９６４と、弾性ストラップ１９６６とを含む。弾性ストラップ１９６６及びコア部材１９６４の少なくとも一部はサイドストラップ１９５８の少なくとも一部を形成する。ロック１９６２はサイドストラップ１９５８の一部を形成することができ、好ましくは、マスク１９５２に取り付けられるか、マスク１９５２の一部とされ得る。
【０１６８】
コア部材１９６４は一端が弾性ストラップ１９６６に結合され得る。好ましくは、コア部材１９６４はロック１９６２内を通る。コア部材１９６４の自由端は導管又はチューブ１９６８内に配置され得る。導管又はチューブ１９６８はマスク１９５２内に配置され得るか、マスク１９５２によって支持され得るか、マスク１９５２によって形成され得るかである。弾性スリーブ１９６６は、好ましくは、ロック１９６２内において、コア部材１９６４の大きい方の部分がチューブ１９６８内に配置されるような方向にコア部材１９６４を押そうとする力を提供する。したがって、弾性スリーブ１９６６（又は一対のサイドストラップ１９５８を想定する一対の弾性スリーブ１９６６）は、好ましくは、インターフェースアセンブリ１９５０を後退させようとする力の一部又は全てを提供する。好ましくは、コア部材１９６４はロック１９６２内において大きな座屈なしで押されるのに十分な剛性又は柱強度を有する。いくつかの構成においては、弾性ストラップ１９６６に加えて又は弾性ストラップ１９６６の代わりに後退力を提供するための他の後退機構を提供することもできる。例えば、ロック１９６２内においてコア部材１９６４を引くために、コア部材１９６４の自由端に付勢要素を結合することができる。これにより、全ての後退力を提供することができる（この場合、ストラップ１９６６は省略され得る又は弾性でないものとされ得る）、あるいは、弾性ストラップ１９６６と組み合わせて動作することができる。いくつかの構成においては、サイドストラップ１９５８の両方に後退力の一部又は全体を付与するため、付勢要素は両コア部材１９６４の自由端を結合することができる。更に別の構成においては、関連するヘッドギアは後退力を付与しなくてもよい。例えば、ヘッドギアは使用者の頭部にフィットさせるために所望の周囲へと手動で後退させてもよい。
【０１６９】
ロック１９６２は図１６、２１、３２、３３及び４０〜４２のものなどの他の方向ロック機構を参照して上述した一般原理に従い動作する。したがって、図４６〜４８とともに記載されない詳細についてはそれら機構の同じ又は対応する特徴に類似する又は同一であると想定され得るか、任意の他の適切な機構のものとされ得る。
【０１７０】
ロック１９６２は、好ましくは、ハウジング１９７０及びロック部材又はロック要素１９７２を含む。示される機構においては、ロック要素１９７２は、ハウジング１９７０の少なくとも一部、及び好ましくは、コア部材１９６４がハウジング１９７０内を通る開口部を画定する部分を有する単一部品の一体構造として形成される。ハウジング１９７０は、ロック要素１９７２を、例えば、収容若しくは保護するための、又はマスク１９５２及び／若しくは弾性ストラップ１９６６への取り付けを容易にするための更なる部分を有してもよい。
【０１７１】
ロック要素１９７２は本明細書中の別の箇所に記載されているロック部材（例えば、ロックワッシャ及びロックプレート）と類似の手法で機能する。つまり、好ましくは、ロック要素１９７２はコア部材１９６４が通る開口部を画定する。ロック要素１９７２は、ハウジング１９７０に対するコア部材１９６４の動きに対する抵抗を変えるために解放位置とロック位置との間において動くことができる。好ましくは、弾性ストラップ１９６６の長さを伸張しようとするコア部材１９６４の動きに対する抵抗は弾性ストラップ１９６６の長さを後退させようとするコア部材１９６４の動きに対する抵抗よりも大きい。したがって、弾性ストラップ１９６６（又はインターフェースアセンブリ１９５０の他の構成要素）によって提供される後退力は患者の快適性を向上させるために比較的小さい又は比較的低規模のものとすることができ、ロック要素１９７２により、弾性ストラップ１９６６によって生成される力に依存することなくインターフェースアセンブリ１９５０が伸張に対し抵抗するのを可能にすることができる。したがって、弾性ストラップ１９６６の保持力は吹出力又はインターフェースアセンブリ１９５０を伸張しようとする他の外力に対処する必要なく患者の快適性に合わせて調整することができる。
【０１７２】
本明細書中の別の箇所に記載されている機構と同様に、好ましくは、コア部材１９６４が通る開口部を画定する又は取り囲むロック要素１９７２の表面はロック位置においてコア部材１９６４に係合し、コア部材１９６４の動きに対し、弾性ストラップ１９６６の伸張を阻止する又は妨げるようなレベルの抵抗を提供する。しかしながら、ハウジングの表面によって制御される代わりに、ロック要素１９７２は湾曲部又は一体成形ヒンジ１９７４によってハウジング１９７０に結合され、ロック要素１９７２の動きは一体成形ヒンジ１９７４の特性によって制御される。つまり、ロック要素１９７２及び一体成形ヒンジ１９７４はハウジング１９７０から延出し、自由端を有する湾曲アーム部によって画定される。ロック要素１９７２の弛緩位置は解放位置を画定し得る。解放位置はロック要素１９７２を通過するコア部材１９６４の存在によって影響される場合がある。つまり、解放位置はコア部材１９６４のない組み立てられていない状態にあるロック要素１９７２の弛緩位置と同じにならない場合がある。弾性ストラップ１９６６の長さを伸張しようとする方向への（示される向きでは左）コア部材１９６４の動き又は動きの試みにより、ロック要素１９７２はロック位置に向かって方向を変え、弾性ストラップ１９６６の伸張を阻止する又は妨げる。一体成形ヒンジ１９７４の寸法、材料特性又は他の特徴はロック１９６２のロック力に影響する。いくつかの構成においては、本明細書中の別の箇所に記載されるように（例えば、図３４及び関連の開示を参照のこと）ロック力はロック要素１９７２の角度に関係する。
【０１７３】
いくつかの構成においては、ロック要素１９７２が解放位置からロック位置へと移行するにつれてコア部材１９６４の限定された動きが生じ得る。したがって、弾性ストラップ１９６６（又は他の付勢要素）によって提供される後退力は、好ましくは、ロック要素１９７２がロック位置に移動したことによりコア部材１９６４が動いたのち、マスク１９５２又は他のインターフェースの少なくとも実質的なシールを維持するのに十分な力を提供する。好ましくは、ロック１９６２はコア部材１９６４が移動できる距離が比較的短くなるように構成される。
【０１７４】
図４６〜４８は、種々の位置にある方向ロック機構１９６０を示す。図４６は、弾性ストラップ１９６６が後退し、コア部材１９６４の最大量がチューブ１９６８内に押し込まれている、弛緩位置又は静止位置にある方向ロック機構１９６０を示す。ロック要素１９７２は解放位置にある。
【０１７５】
図４７は、装着プロセスの取付フェーズ時に生じ得る伸長位置にある方向ロック機構１９６０を示す。弾性ストラップ１９６６の伸長により、ロック要素１９７２がロック位置に又はロック位置の方に移動することによりロック１９６２によって提供される抵抗に反して、最小量のコア部材１９６４がチューブ１９６８内に配置されるようにコア部材１９６４の一部がチューブ１９６８から引き出されている。伸長位置に到達し、ハウジング１９７０とコア部材１９６４との間の相対運動が終了すると、ロック要素１９７２は、一体成形ヒンジ１９７４のばね力、コア部材１９６４とロック要素１９７２の開口部との相対的な比率、及びコア部材１９６４とロック要素１９７２との間の摩擦力などの種々の要素に応じて、ロック位置に留まっても、解放位置に戻っても、ロック位置と解放位置との間のどこかに配置されてもよい。
【０１７６】
図４８は、使用者の頭部に装着されたときなどの、弛緩位置と伸長位置との間の長さを有する、動作位置にある方向ロック機構１９６０を示す。伸長位置と比較すると、動作位置においては、弾性ストラップ１９６６の保持力により、解放位置にあるロック要素１９７２によって提供される、好ましくは伸長に対する抵抗よりも大幅に低い抵抗に反し、より大きな量のコア部材１９６４がチューブ１９６８に押し込まれている。上述のように、ロック要素１９７２はロック位置、解放位置にあり得る、あるいは、ロック位置と解放位置との間のどこかに配置してもよい。しかしながら、方向ロック機構１９６０の伸長又は方向ロック機構１９６０を伸長しようとする力に応じて、ロック要素１９７２はロック位置へと移動するかロック位置に留まり（初期位置に応じて）、予想される力又は通常動作上の力による、伸長に対する抵抗を提供する。方向ロック機構１９６０は、例えば、インターフェースアセンブリ１９５０の取り外しを可能とするために使用者が印加した力に応じて更に伸長することができる。
【０１７７】
図４９〜５１は、図４６〜４８の方向ロック機構１９６０の弾性ストラップ１９６６の一部を示す。示される弾性ストラップ１９６６は管状構造のものであり、且つコア部材１９６４を収容することができる内部通路を含む。したがって、コア部材１９６４は使用者又は他の物体を摩擦することなく弾性ストラップ１９６６内において移動することができる。好ましくは、弾性ストラップは任意の好適な種類の織り方の任意の適切な材料でできた複数の個々のより糸又は糸（繊維）の編組である。個々の繊維は、図４９に示されるように、隣接する繊維又は繊維の群が互いに特定の初期角度を成した配向を有するように織られ得る。好ましくは、初期角度を成した配向により、図５０及び図５１にそれぞれ示されるように、編組が初期角度を成した配向に対して圧縮及び伸長可能とすることができる。したがって、初期角度を成した配向は中間角度を成した配向と表することができる。初期配向に対する圧縮及び伸長の量は同じとすることも、互いに異なるものとすることもできる。
【０１７８】
好ましくは、上述のように、ストラップ１９６６は、圧縮位置に向かって又は圧縮位置へとストラップ１９６６を付勢する付勢機構を含む。したがって、ストラップ１９６６は弾性ストラップ１９６６と呼ばれる。付勢機構は、１つ又は複数の弾性線維を編組内に組み込んだものなどの任意の適切な構造のものとすることができる。好ましくは、最大伸長時における付勢機構の破損を回避するために編組の最大伸長量は付勢機構の最大伸長量（又は他の動作範囲）よりも小さくなるように選択される。いくつかの構成においては、編組により、付勢機構の最大伸長量が塑性変形に達するのを制限し、弾性線維の弾性伸長などの付勢機構の動作の弾性範囲内に伸長動作範囲が維持される。編組により、コア部材１９６４の動きに対するエンドストップを提供し、コア部材１９６４がロック１９６２内に引き込まれるのを防止することもできる。つまり、好ましくは、編組が完全に伸長した状態において、コア部材１９６４の一部はロック１９６２内に留まる。
【０１７９】
図５２〜５４を参照すると、いくつかの構成においては、製織工程時に１つ又は複数の弾性線維１９８０を編組に組み込むことができる。図５２は、編組弾性ストラップ１９６６を作製するための機械及びプロセスの概略図である。機械は、半径方向突起物又は歯間に画定される複数のキャビティを有する複数のスピンドル１９８２を含む。隣接するスピンドル１９８２は矢印によって示されるように反対方向に回転し、好ましくは比較的非弾性繊維又は繊維の群１９８４を１つのスピンドル１９８２から次のスピンドル１９８２へと送る。別の繊維又は繊維の群１９８４は１つのスピンドル１９８２から次のスピンドル１９８２へと反対方向に移動し、２本の繊維又は繊維の群１９８４を織り合わせる。図５３に示されるように、弾性線維１９８０が編組に組み込まれるように弾性線維１９８０はスピンドル１９８２の中心に挿通され得る。図５４は、管状部材を長手方向に切断し、平らに置いた場合の弾性ストラップ１９６６を示す。
【０１８０】
図５５は、インターフェースアセンブリ１９５０、本明細書中に開示される他のインターフェースアセンブリ、又は任意の他の適切なインターフェースとともに使用され得るヘッドギアアセンブリ１９５４の後部部分１９５６を示す。図５５に示されるヘッドギアアセンブリ１９５４の後部部分１９５６は、ストラップの長さ全体に負荷をかける区分化されていないストラップとは対照的に、負荷を分離する又は使用者の頭部に作用する不均一負荷を提供する断続した又は区分化されたストラップの形態の下後部セクション１９９０を含む。つまり、下後部セクション１９９０は、好ましくは断続している及び／又は間隔を空けて配置され、１つ若しくは複数のストラップ又はレース又はセクション１９９０の弱い部分などの、カップリング１９９２によって結合することができる第１部分１９９０ａ及び第２部分１９９０ｂを有する。セクション１９９０の長手方向軸線（セクション１９９０の長さ）に対する第１部分１９９０ａ及び第２部分１９９０ｂの相対的位置を実質的に固定するが、第１部分１９９０ａ及び第２部分１９９０ｂの、長手方向軸線に対する垂直方向又は回転方向の相対運動を可能とし得るために、カップリング１９９２は比較的又は実質的に非弾性とすることができる。そのような機構は関節式コネクタと呼ばれ得る。好ましくは、第１部分１９９０ａ及び第２部分１９９０ｂは使用者の頭部の後頭骨上又はその近傍に係合する後頭パッドを形成する。第１部分１９９０ａと第２部分１９９０ｂとの間のスペースは全般的に後頭隆起に周方向に配置することができ、下リアルセクション（ｌｏｗｅｒ  ｒｅａｌ  ｓｅｃｔｉｏｎ）１９９０は高さ方向において後頭隆起にあり得るかその下方にあり得る。好ましくは、後部部分１９５６は、また、使用者の頭部の頭頂部上に延在する上後部セクション１９９４を含む。下後部セクション１９９０の端部と上後部セクション１９９４の端部は使用者の各耳の略上の位置で互いに結合する。
【０１８１】
図５６は、図５５の後部部分１９５６に類似するヘッドギアアセンブリの後部部分１９５６を示す。したがって、記載されない図５６の後部部分１９５６の詳細については図５５の後部部分１９５６の対応する要素と同じであるか類似すると想定され得る、あるいは、任意の他の適切な配置のものとされ得る。図５６の後部部分１９５６のカップリング１９９２は、弾性とすることも実質的に非弾性とすることもできる材料ストラップなどの関節式コネクタを含む。好ましくは、カップリング１９９２は、ストラップの長手方向軸線を中心とした第１部分１９９０ａと第２部分１９９０ｂとの間の相対的な回転運動を可能にし、下後部セクション１９９０が使用者の頭部の形状、特に後頭骨形状により良く合うことが可能になる。
【０１８２】
有利には、図５５及び図５６の後部部分１９５６は使用者の快適性を提供する一方で、また、マスク又は他の患者インターフェースを使用者の頭部の所定の位置に固定する。断続的な下後部セクション１９９０により、後頭隆起に過度の圧力がかかることが回避される。そのような断続的な配置は同様に又は代替的に上後部セクション１９９４に設けることができる。図５５及び図５６のどちらの後部部分１９５６も、また、本明細書中に開示されるもののいずれかなどの１つ又は複数の方向ロックアセンブリを組み込むことができる。例えば、カップリング１９９２は方向ロックアセンブリとして構成され得る。方向ロックアセンブリは、また、下後部セクション１９９０及び上後部セクション１９９４のいずれか又は両方に組み込まれ得る。例えば、図４０〜４２の平坦ストラップ配置を第１部分１９９０ａ及び第２部分１９９０ｂのいずれか又は両方に組み込むことができる。
【０１８３】
図５７及び図５８は、インターフェースアセンブリ１９５０及び図４３〜５６とともに記載した関連構成要素に実質的に類似し得るインターフェースアセンブリの２つの様式を示す。したがって、記載されない図５７及び図５８の後部部分インターフェースアセンブリ１９５０の詳細についてはインターフェースアセンブリ１９５０の対応する要素及び図４３〜５６とともに記載した関連構成要素と同じであるか類似すると想定され得る。あるいは、任意の他の適切な配置のものとすることができる。各インターフェースアセンブリ１９５０においては、各サイドストラップ１９５８（方向ロックを組み込むことができる、又は固定された長さとされ得る）は、使用者の耳の近傍に位置する箇所１９９６においてヘッドギアアセンブリ１９５４の後部部分１９５６に結合されている。好ましくは、箇所１９９６は、耳の前方に、且つ外耳が頭部に接合される上方位置（外耳の基部の頂部）に（例えば、略並んで）又はその近傍にある。サイドストラップ１９５８は箇所１９９６からマスク１９５２又は他のインターフェースまで延在する。図５７のインターフェースアセンブリ１９５０では、インターフェースアセンブリ１９５０の各側にある単一サイドストラップ１９５８は箇所１９９６からマスク１９５２まで延在する。図５８のインターフェースアセンブリ１９５０では、インターフェースアセンブリ１９５０の各側にある一対のサイドストラップ１９５８が箇所１９９６からマスク１９５２上の離間した位置まで延在して三角形配置を提供する。三角形配置は少なくともいくつかの場合においてマスク１９５２の安定性を増加する。好ましくは、上ストラップと下ストラップとの間で負荷が分離されるようにサイドストラップ１９５８の後方突起はヘッドギアアセンブリ１９５４の後部部分１９５６の上ストラップと下ストラップとの間を通る。このような配置の例及び更なる詳細については全体が参照により本明細書中に組み込まれる本出願人の米国特許出願公開第２０１３／００７４８４５号明細書に開示されている。上述のように、所望であれば、本明細書中に記載されるものなどの図５７及び図５８のインターフェースアセンブリ１９５０の任意の適切な位置に１つ又は複数の方向ロックが組み込まれ得る。
【０１８４】
上述のヘッドギア実施形態のいずれにおいても、更なる安定性を提供するために、頭頂部ストラップ又は更なるバックストラップなどであるがこれらに限定されない更なるストラップが含まれ得る。
【０１８５】
図５９は、図４６〜４８のロック機構１９６２に実質的に類似するロック機構１９６２を示す。したがって、記載されない図５９のロック機構１９６２の詳細は図４６〜４８のロック機構１９６２の対応する要素と同じであるか類似すると想定され得る。あるいは、任意の他の適切な配置のものとされ得る。図５９のロック機構１９６２は、方向ロック技術を様々な呼吸マスク又は他の使用者インターフェースに容易に組み込むことを可能にするモジュール式の設計である。
【０１８６】
ロック機構１９６２は、ハウジング又は本体部分１９７０と、ロッキング要素１９７２と、ロッキング要素１９７２を本体部分１９７０に結合する一体成形ヒンジ１９７４とを含む。本体部分１９７０は、第１端部部分２０００及び第２端部部分２００２を含む。第１端部部分２０００と第２端部部分２００２との間に略Ｕ字形連結ブリッジ２００４が延在し、第１端部部分２０００と第２端部部分２００２との間に、ロッキング要素１９７２を収容するためのスペースを提供する。好ましくは、各端部部分２０００、２００２は略管状又は円筒状の形状であり、コア部材を収容する長手方向の通路を画定する。ロッキング要素１９７２は、また、コア部材の通路を可能とする穴２００６を含む。好ましくは、端部部分２０００、２００２、連結ブリッジ２００４、ロッキング要素１９７２及び一体成形ヒンジ１９７４は一体構造のものである。
【０１８７】
図６０は、マスク１９５２などの患者インターフェースアセンブリに組み込まれた図５９のロック機構１９６２を示す。示されるマスク１９５２は、ロック機構１９６２を受け入れるポケット２０１２を画定する壁２０１０を含む。壁２０１０は、雄／雌カップリングなどの、ロック機構１９６２の端部部分２０００、２００２を受け入れる凹部又は開口部を含み得る。示される配置においては、端部部分２０００、２００２は、マスク１９５２のメス部分（例えば、凹部又は開口部）に受け入れられ得る雄部分を画定する。したがって、壁２０１０及び／又はポケット２０１２はロック機構１９６２を所定の位置に保持することができ、且つ本体部分１９７０に更なる支持を提供することができる。換言すると、壁２０１０はロック機構１９６２の構造上のハウジング又は筐体として機能し得る。第１端部部分２０００、マスク１９５２又はその双方は弾性ストラップなどのストラップ１９６６に結合するように構成され得る。第２端部部分２００２、マスク１９５２又はその双方は、コア部材１９６４の自由端部を収容するチューブ１９６８を支持するように構成され得る。好ましくは、マスク１９５２はチューブ１９６８を収容するように構成されているが、これには、チューブ１９６８を受け入れる（又は一体型チューブを有する）ように特に構成されること、あるいは、単にチューブ１９６８の存在に適応すること（チューブ１９６８を受け入れるための十分な開放空間又は利用可能な空間を持つなど）が含まれ得る。
【０１８８】
本明細書中に開示されるインターフェースアセンブリでは略弾性部分及び略非弾性部分を用いることができ、略弾性部分及び略非弾性部分は協働してインターフェースアセンブリのループ又は周縁の少なくとも一部を画定する。弾性部分によりインターフェースアセンブリのサイズを変化させることが可能になる。非弾性部分はループ又は周縁の構造部分を形成し得る、あるいは、単に方向ロック目的で用いられ得る、あるいはその両方である。それにもかかわらず、多くの場合、インターフェースアセンブリの伸長又は伸張を可能とし、その後、後退時における非弾性部分の蓄積を可能とすることが必要である又は望ましい。例えば、図４３〜５４のインターフェースアセンブリでは、コア部材１９６４は弾性ストラップ１９６６の伸長とともに移動し、チューブ１９６８は伸長の瞬間量に応じてコア部材１９６４の余剰部分を受け入れるためのアキュムレータとして機能する。
【０１８９】
弾性／非弾性インターフェースアセンブリ又はヘッドギア機構を組み合わせたものの伸張及び蓄積を提供するための他の配置も可能である。図６１及び図６２は、ヘッドギア機構２０５０のループ又は周縁の一部を画定し、且つ第１端部２０５４及び第２端部２０５６を有する管状弾性要素２０５２を含むヘッドギア機構２０５０を示す。示される管状弾性要素２０５２はループの長さの約２分の１を成すが、他の構成においては、弾性管状要素２０５２はループのより小さな又は大きな割合を成すことができる。
【０１９０】
ヘッドギア機構２０５０は、また、ループの少なくとも一部を成し、好ましくは、弾性要素２０５２と並列で配置される略非弾性要素２０６０を含む。示される配置においては、非弾性要素２０６０はループの長さ全体を超えて延在する。つまり、好ましくは、非弾性要素２０６０の第１端部２０６２は弾性要素２０５２の第１端部２０５４に固定され、非弾性要素２０６０の第２端部２０６４は弾性要素２０５２の第２端部２０５６に固定されている。第１端部２０６２から、非弾性要素２０６０は弾性要素２０５２の外側を弾性要素２０５２の第２端部２０５６へと延在し、弾性要素２０５２の内部を通り、弾性要素の第１端部２０５４から出て、その後、上述のように、非弾性要素２０６０の第２端部２０６４が弾性要素２０５２の第２端部２０５６に固定される。したがって、非弾性要素２０６０の２つの重なった長さ又はセクションが弾性要素２０５２の外側に提供される。ヘッドギア機構２０５０は好ましくはヘッドギア機構２０５０をマスクなどのインターフェースに結合するコネクタ２０６６を含む。示される配置においては、コネクタ２０６６は管状部材であり、この管状部材内に、非弾性要素２０６０の両外部セクションが延在する。コネクタ２０６６は、例えば、マスクに留めること又は組み込むことを含む任意の適切な手法でマスクに結合することができる。
【０１９１】
長さを伸長するためには、非弾性要素２０６０のより多くを弾性要素２０５２の内部に引き込む（又は別の観点では、弾性要素２０５２が伸展して非弾性要素２０６０のより多くの部分を覆う）。その結果、非弾性要素２０６０（及びヘッドギア機構２０５０）の周囲の有効長が増加するように、非弾性要素２０６０の重なったセクションの長さが減少する。長さを後退させるためには、非弾性要素２０６０のより少ない部分が弾性要素２０５２内に配置され、非弾性要素２０６０の重なったセクションの長さが増加するように反対の動作を行う。比較的後退した位置及び比較的伸長した位置が図６３及び図６４に示される。
【０１９２】
方向ロックを所望する場合、本明細書中に記載されるもののいずれかなどの１つ又は複数の方向ロックをヘッドギア機構２０５０に組み込むことができる。図６５は、弾性要素２０５２の１つ又は両方の端部２０５４、２０５６にある方向ロックの１つの配置例を示す。方向ロックは端部２０５４、２０５６と非弾性要素２０６０との間の相対運動に作用し得る。図６６は、コネクタ２０６６のいずれかの端部にあり、非弾性要素２０６０とコネクタ２０６６との間の相対運動に作用するなどの、方向ロックの代替的な又は更なる配置を示す。
【０１９３】
図６７及び図６８は、弾性要素２０５２及び非弾性要素２０６０を含む別のヘッドギア機構２０７０を示す。しかしながら、ヘッドギア機構２０５０が無端状のループ又はとぎれのない輪である一方で、ヘッドギア機構２０７０は、マスク２０７６などの患者インターフェースの各側部に結合され得る第１端部部分２０７２及び第２端部部分２０７４を有する断続設計である（図６８）。したがって、第１端部部分２０７２及び第２端部部分２０７４はそれぞれ、端部部分２０７２又は２０７４をマスク２０７６又は他のインターフェースに結合することを可能にする、例えば、フック又はクリップなどの係合部を画定し得る。しかしながら、断続設計の端部は患者インターフェースによって相互連結されているため、これら配置のそれぞれは使用者の頭部を実質的に取り囲むと考えられ得る。
【０１９４】
図６７及び図６８のヘッドギア機構２０７０では、非弾性要素２０６０の外部セクションは、図６１及び図６２のヘッドギア機構２０５０と同様に互いに重なり、弾性要素２０５２の両側に固定される代わりに、折り返され、弾性要素２０５２の同じ側に固定されている。端部部分２０７２、２０７４のそれぞれは、固定することも自由（回転可能）な状態とすることもできるプーリ、又は非弾性要素２０６０の外部セクションの方向を反転するための別の適切な機構を含み得る。ヘッドギア機構２０７０の動作は、外部セクションの長さが、図６９に示されるように増加されてヘッドギア機構２０７０の長さが低減される、又は図７０に示されるように低減されてヘッドギア機構２０７０の長さが増加するという点でヘッドギア機構２０５０に実質的に類似する。加えて、ヘッドギア機構２０７０の全体的な長さが変化したことにより、より多くの又はより少ない非弾性要素２０６０が露出する又は弾性要素２０５２によって被覆される。
【０１９５】
方向ロッキングが所望される場合、本明細書中に記載されるもののいずれかなどの１つ又は複数の方向ロックをヘッドギア機構２０７０に組み込むことができる。図７１は、弾性要素２０５２の１つ又は両方の端部２０５４、２０５６にある方向ロックの１つの配置例を示す。方向ロックは端部２０５４、２０５６と非弾性要素２０６０との間の相対運動に作用し得る。図７２は、第１端部部分２０７２及び第２端部部分２０７４の１つ又は両方のいずれかなどにある方向ロックの代替的な又は更なる配置を示す。このような配置では、方向ロックは非弾性要素２０６０と、第１端部部分２０７２又は第２端部部分２０７４との間の相対運動に作用し得る。
【０１９６】
本明細書中に記載したように、平衡フィット特性を備えた本インターフェースアセンブリの実施形態は、カニューレ又は使用者の顔とのシールを形成せず、ゆえに、吹出力が発生しない他の類似のインターフェースとともに使用され得る、又はそれらとの使用のために修正され得る。図７３は、いくつかの力プロファイルを比較し、一方向摩擦力プロファイル２０９８内におけるカニューレ２０９０の平衡フィット点対ＣＰＡＰマスク２０９２の平衡フィット点を示す。一方向摩擦力プロファイル２０９８は、本明細書中に記載されるインターフェースアセンブリによって提供され得る例示的な力プロファイルである。示されるように、平衡フィットは、一般に、ＣＰＡＰシステムとカニューレシステムとでは異なる力において生じる。カニューレ又は類似の非密閉システムでは、平衡フィット点２０９０は頭囲に一致すると発生するが、これは、吹出力が全く発生しないか、少なくとも大きな吹出力が発生しないことが理由である。ＣＰＡＰシステムでは、平衡フィット点２０９２は頭囲と吹出力とが一致すると発生する。ＣＰＡＰシステムでは、ヘッドギアはＣＰＡＰマスクシステム動作エンベロープ２０８０内のどこにでも発生し得る平衡フィット点２０９２を提供することが好ましい。カニューレシステムでは、平衡フィット点２０９０は、一方向摩擦力プロファイル２０９８のより低い力の線によって画定されるカニューレ平衡フィット線２０８２のどこかに発生することが好ましい。カニューレ平衡フィット線２０８２は、使用者の顔の所定の位置にカニューレを保持するのに必要な力が好ましくはＣＰＡＰマスクを所定の位置に保持するのに必要な最小の力よりも小さく、吹出力がないために全般的により狭い範囲内にあることを示す。
【０１９７】
図７３は、また、高力弾性ストラップ２０９４及び低力弾性ストラップ２０９６の力プロファイルを、高ヒステリシス一方向摩擦力プロファイル２０９８と比較する。低力弾性ストラップは、カニューレの重量のみに打ち勝つことが可能な快適なフィット性を使用者に提供するためにカニューレとともに使用され得る。しかしながら、そのような配置は一般にホースの引張りなどの任意の大きな外力に適応することはできない。外力又はＣＰＡＰ治療の場合には吹出力に適応するために高力弾性ストラップが一般に必要とされる。高力弾性ストラップヘッドギアによって印加される力は一般にマスクに印加されることが予想される予想最大力に適応する一方で、予想最小頭部サイズ（陰影が付けられたマスクシステム動作エンベロープ２０８０によって示される）に適応するほど十分なものとすべきである。しかしながら、これには、吹出力が低い及び／又は力がない場合に必要とする力よりも高い最小力を印加するという欠点があり、使用者が不快になる可能性がある。一方向摩擦力プロファイル２０９８は、高力弾性ストラップ及び低力弾性ストラップ両方の利点を提供することを示す。つまり、一方向摩擦力プロファイル２０９８は吹出力又は外力がない場合、伸長に対する高い抵抗及び低い力を提供する。
【０１９８】
図７４は、例えば、図１６、２１、３２、３３、４０〜４２及び４３〜５１の方向ロックなどであるがこれらに限定されない、本明細書中に開示される他の方向ロックに類似する動作原理を組み込む方向ロック２１００を示す。しかしながら、図７４に示される方向ロック２１００は２つの異なるロック段階２１０２、２１０４を組み込んだ二段階方向ロックである。好ましくは、２つのロック段階２１０２、２１０４は互いに異なるロック挙動又は特性を有する。例えば、第１ロック段階２１０２は、第２ロック段階２１０４よりも迅速に解放位置とロック位置との間を移動する迅速作動ロックとされ得る。第２ロック段階２０１４は第１ロック段階２１０２よりもより強いロック力又は降伏力を提供する高力ロックとされ得る。このような配置により、方向ロック２１００の作動力特性及びロック力特性双方の最適化を可能にすることができる。方向ロック２１００に関して記載されない特徴又は詳細については図１６、２１、３２、３３、４０〜４２又は４３〜５１の配置の対応する特徴又は詳細に同じであるか類似し得る。あるいは、別の適切な構成のものとすることができる。
【０１９９】
示される方向ロック２１００は、任意の適切な筐体又はハウジング２１１２とされ得るロック本体を通るコア部材２１１０（例えばコアワイヤ）を含む。ハウジング２１１２は２つのロックチャンバ２１１４及び２１１６を画定する。各ロックチャンバ２１１４、２１１６はその内部に配置されたロック部材２１２０、２１２２（例えば、ロックワッシャ）を有する。上述のように、コア部材２１１０はロック部材２１２０、２１２２の開口部を通る。各ロックチャンバ２１１４、２１１６は第２の停止面２１１４ｂ、２１１６ｂからコア部材２１１０が動く方向に間隔を空けて配置された、各ロック部材２１２０、２１２２の動きを制限するための第１の停止面２１１４ａ、２１１６ａを有する。停止面２１１４ａ、２１１６ａ、２１１４ｂ、２１１６ｂは、ハウジング２１１２の壁又はロック部材２１２０、２１２２の動きを制限するのに適した任意の他の構造によって画定され得る。
【０２００】
ロック部材２１２０、２１２２は、コア部材２１１０の動きに対する抵抗が増加されるロック位置と、コア部材２１１０の動きに対する抵抗が減少する解放位置との間において移動可能である。いくつかの構成においては、コア部材２１１０の動きにより、ロック部材２１２０、２１２２がロック位置と解放位置との間において移動する。示される配置においては、前述の配置とは異なり、停止面２１１４ａ、２１１６ａ、２１１４ｂ、２１１６ｂは平ら又は平坦であり、ロック部材２１２０、２１２２は前述の配置に類似する手法で機能する効果的なロック角度を画定するために曲げられている。特に、コア部材２１１０が通るロック部材２１２０、２１２２の開口部は解放位置においてコア部材２１１０の軸線と略整列し、摩擦、ゆえにロック力を低減することができ、開口部はロック位置において傾斜するか角度を成して摩擦、ゆえにロック力を増加することができる。示される配置においては、ロック位置とは、ロック部材２１２０、２１２２が左に移動し、ロック部材２１２０、２１２２の一部が停止面２１１４ａ、２１１６ａに対して平らな場合であり、解放位置とは、ロック部材２１２０、２１２２が右に移動し、ロック部材２１２０、２１２２の縁端が停止面２１１４ｂ、２１１６ｂに接している場合である。しかしながら、この配置は反転することもできる。
【０２０１】
いずれの配置においても、角度α及びβはそれぞれ、ロック部材２１２０、２１２２の解放位置とロック位置との間の差によって画定される。好ましくは、角度αは角度βと異なる。いくつかの構成においては、角度αは角度βよりも小さい。上述のように、いくつかの構成においては、コア部材は、単一ロックの場合はロック部材が解放位置からロック位置に移動する間に、又はロック部材がロック位置から解放位置に移動するときにハウジングに対して動くことができる。場合によっては、コア部材の移動は解放位置とロック位置との間におけるロック部材の角度に関係する。同じく上に述べたように、いくつかの構成においては、ロック力はロック角度に関係し、ロック力はロック角度とともに増加する。したがって、高いロック力を提供することと、解放位置とロック位置との間において小さなコア部材の移動を提供することとの間にはトレードオフが存在し得る。解放位置とロック位置との間を移動するのに必要なコア部材の移動量は、コア部材を移動しようとする力（例えば、ヘッドギアの後退力）に左右され得るロックの作動長（コアの移動量）又は作動速度（解放位置とロック位置との間の移行に必要な時間）の点において適用され得る。
【０２０２】
示される配置においては、第１ロック段階２１０２は、解放位置とロック位置との間を第２ロック段階２１０４に比べてより少ないコア部材２１１０の移動で又はより迅速に移動する迅速作動ロックである。解放位置とロック位置との間におけるロック部材２１２０又はコア部材２１１０の移動は図７４に距離「ａ」で示される。比較的小さな移動距離により、第１ロック段階２１０２が関連インターフェースアセンブリの小さな調整移動に応じて解放位置とロック位置との間を移動することが可能になる。いくつかの用途においては、解放位置からロック位置への移動に焦点を当てるが、これは、ロック２１００により、ロック２１００がロック位置に移動するまでコア部材２１１０の移動（及び関連のヘッドギアの伸長）が可能になるからである。しかしながら、他の方向への移動にもコア部材の移動が必要となる場合があり、いくつかの用途においては関心の高い特徴となり得る。
【０２０３】
使用時、使用者は、マスク／インターフェースを揺り動かしたり押したりしてシールに与圧し、それによってヘッドギアを後退させる、あるいは、ロック部材２１２０を解放位置に向かって（図７４では右）移動しようとする方向にコア部材２１１０を移動させることによってインターフェースアセンブリを微調整しようとしてもよい。第１ロック段階２１０２は、使用者がマスク／インターフェースから押力を排除して、好ましくは対応するヘッドギアの少量の伸張を可能にすると、ロック位置へと迅速に移動する。その結果、方向ロック２１００はマスク／インターフェースの小さな動きに応動し、マスク／インターフェースを所望の調整位置のかなり近傍にてロックする。上述のように、第１ロック段階２１０２は比較的小さなロック角度αによりロック位置に迅速に移動することができる。しかしながら、第１ロック段階２１０２は所望のロック力よりも低い最大ロック力を提供してもよく、これもまた比較的小さなロック角度αによるものであってもよい。
【０２０４】
しかしながら、第２ロック段階２１０４４は、方向ロック２１００に所望の最大ロック力を提供することができる高力ロックとされ得る。第２ロック段階２１０４は、図７４に距離「ｂ」で示される、解放位置とロック位置との間におけるロック部材２１２２又はコア部材２１１０の移動を有し得る。いくつかの構成においては、距離「ｂ」は第１ロック段階２１０２の距離「ａ」よりも大きい。上述のように、第２ロック段階２１０４のロック角度βはロック角度αよりも大きくすることができ、これにより、いくつかの構成においては第１ロック段階２１０２よりも強いロック力を有する第２ロック段階２１０４となる可能性がある。第１ロック段階２１０２と第２ロック段階２１０４とを組み合わせると、対応するヘッドギア／インターフェースの小さな調整移動に応動する一方で、通常動作力又は予想動作力に対処するのに十分なロック力又は降伏力も提供する方向ロック２１００となり得る。
【０２０５】
いくつかの構成においては、対応するヘッドギア／インターフェースの微調整を提供するための距離「ａ」は約１ミリメートル以下である。しかしながら、いくつかの構成においては、距離「ａ」は１ミリメートルよりも長くすることができる。距離「ａ」は特定の用途に耐え得るロック距離に基づき選択され得る。換言すると、距離「ａ」は特定の用途に必要な又は望ましい微調整のレベルに基づき選択され得る。上述のように、インターフェースアセンブリは、例えば、インターフェースアセンブリの各側に１つずつなどの、１つより多い方向ロックを含み得る。したがって、総ロック距離は単一方向ロックのロック距離よりも長くすることができ、場合によっては、個々のロック距離の合計とすることができる。距離「ｂ」は所望の最大ロック力を実現するように選択することができる。いくつかの構成においては、距離「ｂ」は、距離「ａ」の少なくとも約２倍の大きさ、少なくとも約５倍の大きさ、少なくとも約１０倍の大きさ、又は少なくとも約２０倍の大きさとすることができる。角度αと角度βの比率は距離「ａ」と距離「ｂ」の比率と同じ又は類似とされ得る。
【０２０６】
図７５は、図７４の方向ロック２１００などの少なくとも１つの二段階方向ロックを含むヘッドギア又はインターフェースアセンブリの力プロファイル２２００を示す。力プロファイル２２００は図２〜５とともに記載した力プロファイルに全般的に類似し得る。したがって、力プロファイル２２００は初期の伸展に対する抵抗を示す初期の急な上昇２２２０を含む。力プロファイルは、また、ヘッドギアの更なる伸展を示す実質的に平らな略一定の伸展曲線２２２２及びヘッドギアが使用者の頭にフィットさせるために後退する際の減少２２２４を含む。しかしながら、図２〜５の力プロファイルとは対照的に、力プロファイル２２００は、第１ロック段階２１０２と第２ロック段階２１０４との間の移行を示す階段状平衡フィットセクション２２３０を含む。
【０２０７】
特に、平衡フィットセクション２２３０は第１部分２２３０ａ及び第２部分２２３０ｂを含み得る。第１部分２２３０ａは第１ロック段階２１０２の特性に関連し得るものであり、第２部分２２３０ｂは第２ロック段階２１０４の特性に関連し得るものである。第２部分２２３０ｂは、また、第２ロック段階２１０４と併せた第１ロック段階２１０２により提供される抵抗に影響され得る。示されるように、第２部分２２３０ｂは第１部分２２３０ａから、第１ロック段階２１０２から第２ロック段階２１０４への移行を反映し得る移行部２２３０ｃだけずれている。つまり、このずれは、図７４の距離「ｂ」と距離「ａ」との間の差を反映し得るものである。
【０２０８】
バランスフィットセクション２２３０は、平衡フィット点２２３４までのヘッドギアの伸長を示す実線部を含む。平衡フィット点２２３４上方の破線部は、更なる力に応じてヘッドギアに生じ得る更なる伸長を示す。示される配置においては、平衡フィット点２２３４は第１ロック段階２１０２の性能範囲内にある。つまり、平衡フィット点２２３４は第１ロック段階２１０２の最大ロック力よりも小さい。しかしながら、高い治療圧力などの場合においては、バランスフィット点２２３４は第１ロック段階２１０２の最大ロック力を超えてもよく、且つ平衡フィットセクション２２３０の第２部分２２３０ｂ内にあってもよい。好ましくは、バランスフィット点２２３４は第２ロック段階２１０４の最大ロック力を下回る。降伏点２２３６は平衡フィットセクション２２３０と一定伸展曲線２２２２との交点によって画定され得る。
【０２０９】
初期作動長２２４０は平衡フィットセクション２２３０の始端と平衡フィット点２２３４との間の伸長距離と定義される。初期作動長２２４０は第１ロック段階２１０２の距離「ａ」に関連し得る。二次作動長２２４２は平衡フィット点２２３４と移行部２２３０ｃの終端／平衡フィットセクション２２３０の第２部分２２３０ｂの始端との間の伸長距離と定義され得る。二次作動長２２４２は第２ロック段階２１０４の距離「ｂ」に関連し得る。力プロファイル２２００は単にロック２１００などの二段階方向ロックによって提供され得る力プロファイルの例である。特定の用途又は所望の性能基準に合うような種々の異なる力プロファイルを有する方向ロックを本開示の教示に基づき実現することができる。例えば、本明細書中に開示される任意のタイプの複数の個々のロックを組み合わせて作成した二段式又は多段式ロックを作製することができる。個々のロックは同じタイプのものとすることも、単一、二段式又は多段式ロックの範囲内の異なるタイプのものとすることもできる。
【０２１０】
特定の機械的な方向ロック機構を本明細書中に具体的に示すが、自己フィット、大ヒステリシス又は方向ロックを実現するための他の機械的及び非機械的方法及び装置もまた使用され得る。本明細書中に開示されるインターフェースアセンブリに類似する機能を提供するために、例えば、電気式、圧電式、空気式、油圧式又は熱機械式装置が構成され得る。いくつかの構成においては、そのような方法又は装置は本明細書中に開示される装置と同様に非弾性コアを選択的に把持又は解放することができる。
【０２１１】
電気式装置の一例では、方向ロック機能を提供するためにソレノイドクラッチが用いられ得る。例えば、プランジャ周囲の電気コイルは通電されるとプランジャを動かすことができる。この動きを利用して自己調節ヘッドギアの非伸展部材を直接的又は間接的に挟むか把持し、非伸展部材を保持することができる。保持機構は非伸展部材を解放して伸長を可能にすることができる。ソレノイドクラッチはボタンなどの任意の適切な装置によって制御され得る。あるいは、ヘッドギアが配置されるとき、及び／又はＣＰＡＰ圧力が作動され、保持機構が作動され得るときをセンサが決定することができる。
【０２１２】
あるいは、非伸展部材などの、ヘッドギアの調節可能な部材の位置を能動的に保持するためにステッパモータ又はサーボモータが用いられ得る。後退及び／又は伸長はモータによって実施することができる。いくつかの構成においては、磁気セクション又は特性を有するヘッドギアの調節可能な部材に作用するための電磁力発生器が用いられ得る。後退はリニアモータによって実施され得る。いくつかの構成においては、ヘッドギアの調節可能な部材に作用し且つ保持する電流に応答してクラッチ又はピンチング機構を作製するために電場応答性高分子（ｅｌｅｃｔｒｏ−ａｃｔｉｖｅ  ｐｏｌｙｍｅｒ）が用いられ得る。あるいは、磁性液体に電磁力を作用し、ヘッドギアの調節可能な部材を保持することができるクラッチ又はピンチング機構を作製し得る。
【０２１３】
圧電式装置の一例においては、非伸展ヘッドギアの自由運動を解除するために圧電式クラッチ又はクランプを用いることができる。ピエゾ式機構の例としては、ピエゾ膜（ブザー）、ディーゼルエンジン用バルブ及びインクジェットノズルが挙げられる。これら機構のそれぞれでは、ピエゾ素子を用いて動き／変位を生成する。そのようなピエゾ機構は直接使用することも、自己フィット式ヘッドギアの調節可能な部材を選択的に保持するための保持クラッチを駆動するために使用することもできる。いくつかの圧電式構成要素がいわゆるインチワームモータ（ｉｎｃｈｗｏｒｍ  ｍｏｔｏｒ）を作製するように構成され得る。インチワームモータ（又は類似の）装置は直線運動に対して特に有用である。そのような運動は自己フィット式ヘッドギア機構の調節に利用することができる。
【０２１４】
空気式装置では、ＣＰＡＰ圧力又は補助空気／ガス供給によって作動されるクラッチ又は把持機構を空気圧シリンダ又は空気式ベローにより動作することができる。クラッチ又は把持機構は自己フィット式ヘッドギアの調節可能な部材を直接的又は間接的に保持することができる。同様に、油圧式装置においては、油圧シリンダ又はブラダを用いて自己フィット式ヘッドギアの調節可能な部材を保持することができる。例えば、ＣＰＡＰ圧力を用いて作動液を加圧することができる。あるいは、ピストンを機械的に動作させて作動液を加圧することができる。
【０２１５】
熱機械式装置においては、感熱性物質（例えば、ワックス）を用いてクラッチ又は保持機構を駆動し、自己フィット式ヘッドギアの調節可能な部材を保持することができる。クラッチ又は保持機構の作動は、使用者の皮膚若しくはＣＰＡＰシステムの加熱されたブリーザチューブなどの別の適切な熱源との接触により、又は使用者の皮膚の暖かさ若しくはＣＰＡＰシステムの加熱されたブリーザチューブなどの別の適切な熱源に近接することにより実施され得る。自動温度調節弁の動作には一般にワックスが充填されたカートリッジが使用される。ワックスは温度変化により膨張又は収縮し、これがその後、例えばプランジャの動きに変換される。十分な熱がない場合、クラッチはその把持を解除してヘッドギアを使用者にフィットさせることができる。ヘッドギアが所定の位置にあり、熱機械式クラッチが熱源に曝されると、クラッチは係合してヘッドギアの伸張を抑制することができる。感熱性物質の別の例は、熱の影響下で変形し、この変位を用いて自己フィット式ヘッドギアの保持クラッチ又はロックを作動させることができるバイメタル部材である。
【０２１６】
種々の実施形態を記載してきたが、いずれの調節機構も他のいずれのアセンブリと組み合わせることもできることに留意されたい。加えて、調節機構はブレークフィットアセンブリ（ｂｒｅａｋ−ｆｉｔ  ａｓｓｅｍｂｌｙ）なしで使用することができ、ブレークフィットアセンブリは調節機構なしで使用することができる。更に、任意のインターフェース（すなわちマスク及びヘッドギア）は本明細書中に記載される調節機構及び／又はブレークフィットアセンブリのいずれか又は両方とともに使用することができる。ブレークフィットアセンブリには、例えば、全体が参照により本明細書に組み込まれる、２０１２年８月８日に出願の米国仮特許出願第６１／６８１，０２４号明細書に記載されているものを含み得るが、これに限定されない。
【０２１７】
本発明を特定の実施形態の観点から記載してきたが、当業者に明らかな他の実施形態もまた本発明の範囲内である。したがって、本発明の範囲及び趣旨から逸脱することなく種々の変更形態及び修正形態を施してもよい。例えば、種々の構成要素を所望のように位置変更してもよい。更に、特徴、態様及び利点の全てが本発明の実施に必ずしも必要なわけではない。したがって、本発明の範囲は以下の特許請求の範囲によってのみ定義されるものとする。
【図１】
2020124548.tif 000003
【図２】
2020124548.tif 000004
【図３】
2020124548.tif 000005
【図４】
2020124548.tif 000006
【図５】
2020124548.tif 000007
【図６】
2020124548.tif 000008
【図７Ａ】
2020124548.tif 000009
【図７Ｂ】
2020124548.tif 000010
【図８】
2020124548.tif 000011
【図９】
2020124548.tif 000012
【図１０】
2020124548.tif 000013
【図１１Ａ】
2020124548.tif 000014
【図１１Ｂ】
2020124548.tif 000015
【図１１Ｃ】
2020124548.tif 000016
【図１１Ｄ】
2020124548.tif 000017
【図１２】
2020124548.tif 000018
【図１３】
2020124548.tif 000019
【図１４】
2020124548.tif 000020
【図１５Ａ】
2020124548.tif 000021
【図１５Ｂ】
2020124548.tif 000022
【図１６】
2020124548.tif 000023
【図１７】
2020124548.tif 000024
【図１８Ａ】
2020124548.tif 000025
【図１８Ｂ】
2020124548.tif 000026
【図１９Ａ】
2020124548.tif 000027
【図１９Ｂ】
2020124548.tif 000028
【図２０】
2020124548.tif 000029
【図２１Ａ】
2020124548.tif 000030
【図２１Ｂ】
2020124548.tif 000031
【図２２】
2020124548.tif 000032
【図２３】
2020124548.tif 000033
【図２４】
2020124548.tif 000034
【図２５Ａ】
2020124548.tif 000035
【図２５Ｂ】
2020124548.tif 000036
【図２５Ｃ】
2020124548.tif 000037
【図２６Ａ】
2020124548.tif 000038
【図２６Ｂ】
2020124548.tif 000039
【図２７Ａ】
2020124548.tif 000040
【図２７Ｂ】
2020124548.tif 000041
【図２７Ｃ】
2020124548.tif 000042
【図２８Ａ】
2020124548.tif 000043
【図２８Ｂ】
2020124548.tif 000044
【図２８Ｃ】
2020124548.tif 000045
【図２９】
2020124548.tif 000046
【図３０】
2020124548.tif 000047
【図３１Ａ】
2020124548.tif 000048
【図３１Ｂ】
2020124548.tif 000049
【図３１Ｃ】
2020124548.tif 000050
【図３２】
2020124548.tif 000051
【図３３】
2020124548.tif 000052
【図３４】
2020124548.tif 000053
【図３５】
2020124548.tif 000054
【図３６】
2020124548.tif 000055
【図３７】
2020124548.tif 000056
【図３８】
2020124548.tif 000057
【図３９】
2020124548.tif 000058
【図４０】
2020124548.tif 000059
【図４１】
2020124548.tif 000060
【図４２】
2020124548.tif 000061
【図４３】
2020124548.tif 000062
【図４４】
2020124548.tif 000063
【図４５】
2020124548.tif 000064
【図４６】
2020124548.tif 000065
【図４７】
2020124548.tif 000066
【図４８】
2020124548.tif 000067
【図４９】
2020124548.tif 000068
【図５０】
2020124548.tif 000069
【図５１】
2020124548.tif 000070
【図５２】
2020124548.tif 000071
【図５３】
2020124548.tif 000072
【図５４】
2020124548.tif 000073
【図５５】
2020124548.tif 000074
【図５６】
2020124548.tif 000075
【図５７】
2020124548.tif 000076
【図５８】
2020124548.tif 000077
【図５９】
2020124548.tif 000078
【図６０】
2020124548.tif 000079
【図６１】
2020124548.tif 000080
【図６２】
2020124548.tif 000081
【図６３】
2020124548.tif 000082
【図６４】
2020124548.tif 000083
【図６５】
2020124548.tif 000084
【図６６】
2020124548.tif 000085
【図６７】
2020124548.tif 000086
【図６８】
2020124548.tif 000087
【図６９】
2020124548.tif 000088
【図７０】
2020124548.tif 000089
【図７１】
2020124548.tif 000090
【図７２】
2020124548.tif 000091
【図７３】
2020124548.tif 000092
【図７４】
2020124548.tif 000093
【図７５】
2020124548.tif 000094
【図７６】
2020124548.tif 000095
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
マスクと、前記マスクを使用者の顔に固定するためのヘッドギアと、を有する患者インターフェースであって、
前記ヘッドギアは、
後退力を提供するように構成された弾性部分と、
前記弾性部分に比べて非弾性となるように構成された非弾性部分と、前記非弾性部分及び前記弾性部分に結合された制限機構であって、
前記ヘッドギアの伸長を可能にするための第１の抵抗力を必要とするように構成され、前記ヘッドギアの後退に応じた第２の抵抗力を有する、制限機構と、を含み、
前記制限機構は、方向ロック機構を有し、
前記非弾性部分は、コア部材を有し、前記弾性部分が弾性ストラップを有し、
前記コア部材は、前記弾性ストラップに連結され、かつ、第１の部分と、第２の部分と、前記方向ロック機構を通る部分と、を有し、
前記弾性部分は、前記コア部材が前記方向ロック機構を通り移動する傾向のある力を提供し、
前記ヘッドギア又は前記マスクは、それぞれ前記ヘッドギア又は前記マスク内に存在する、前記ヘッドギア又は前記マスクによりそれぞれ搬送される、又は、前記ヘッドギア又は前記マスクによりそれぞれ形成される導管又はチューブを有し、
前記第１の部分は、前記コア部材又は前記マスク以外の前記ヘッドギアの部分に取り付けられ、前記第２の部分は前記導管又はチューブの内部に全体として保持された自由端である、
患者インターフェース。
【請求項２】
前記方向ロック機構は、前記ヘッドギアのサイドストラップを形成する、
請求項１に記載の患者インターフェース。
【請求項３】
前記弾性ストラップ及び前記コア部材の少なくとも一部は、前記サイドストラップの少なくとも一部を形成する、
請求項２に記載の患者インターフェース。
【請求項４】
前記コア部材は、前記弾性ストラップの一端に結合され、前記方向ロック機構を通る、
請求項１〜３の何れか１項に記載の患者インターフェース。
【請求項５】
前記第１の抵抗力は、前記第２の抵抗力よりも大きい、
請求項１〜４の何れか１項に記載の患者インターフェース。
【請求項６】
使用中、前記第１の抵抗力は、ＣＰＡＰ圧力による力及びホース抗力を含む合成力よりも大きい、
請求項１〜５の何れか１項に記載の患者インターフェース。
【請求項７】
使用中、前記第２の抵抗力は、ＣＰＡＰ圧力による力及びホース抗力を含む合成力よりも小さい、
請求項１〜６の何れか１項に記載の患者インターフェース。
【請求項８】
前記コア部材の断面は、約０．１ｍｍ〜約８ｍｍの範囲内である、
請求項１〜７の何れか１項に記載の患者インターフェース。
【請求項９】
前記ヘッドギア内に存在する、前記ヘッドギアにより搬送される、又は、前記ヘッドギアにより形成される導管又はチューブを有する、
請求項１〜８の何れか１項に記載の患者インターフェース。
【請求項１０】
前記マスクは、フレームを有し、前記ヘッドギアは、前記フレーム上に又は前記フレーム内に留まる、
請求項９に記載の患者インターフェース。
【請求項１１】
前記方向ロック機構は、第１及び第２のロック部材構造を有し、
前記弾性ストラップは伸展シースを有し、前記コア部材の中間セクションは、前記伸展シースの内側に収容され、
前記伸展シースは、前記導管又はチューブに結合されている、
請求項１〜１０の何れか１項に記載の患者インターフェース。
【請求項１２】
前記第１又は第２のロック部材構造は、前記コア部材に対して、約０°〜４５°の間の角度の範囲を通じて移動可能である、
請求項１１に記載の患者インターフェース。
【請求項１３】
前記伸展シース又は前記弾性ストラップは、非弾性要素を含む編組であり、これにより、前記非弾性要素が、前記編組が組成変形する前に伸長に対する物理的エンドストップを提供する、
請求項１１又は１２に記載の患者インターフェース。
【請求項１４】
前記方向ロック構造は機械的な方向ロックであり、
当該機械的な方向ロックは、ハウジングと、当該ハウジング内の移動可能ロック部材と、コア部材と、を有し、
前記ハウジングは、前記コア部材の移動を案内し、前記ハウジング及び前記ロック部材の両方が、単一の一体型モジュールにより形成されている、
請求項１〜１０の何れか１項に記載の患者インターフェース。
【請求項１５】
前記方向ロック構造は、機械的な方向ロックであり、当該機械的な方向ロックは、ロックモジュールを含み、
前記ロックモジュール、前記非弾性部分、及び、弾性部分は、モジュール式調整アセンブリを形成する、
請求項１〜９の何れか１項に記載の患者インターフェース。
【請求項１６】
前記モジュール式調整アセンブリは、前記マスクのフレームに結合されている、
請求項１５に記載の患者インターフェース。
【請求項１７】
前記ヘッドギアは、前記フレーム上に又は前記フレーム内に留まる、
請求項１６に記載の患者インターフェース。
【請求項１８】
前記フレームは、前記ロックモジュールを受け入れる空間を規定する一又はそれ以上の壁を有する、
請求項１６又は１７記載の患者インターフェース。
【請求項１９】
前記モジュール式調整アセンブリは、前記ヘッドギアの後部に結合され、当該ヘッドギアの後部は、下後部ストラップ及び頭頂部ストラップの少なくとも１つを含む、
請求項１５〜１８の何れか１項に記載の患者インターフェース。
【請求項２０】
前記第１及び第２のロック部材構造は、第１ロック力を提供する第１ロック段階及び第２ロック力を提供する第２ロック段階を有し、前記第２ロック力が前記第１ロック力よりも大きい、
請求項１１に記載の患者インターフェース。
【請求項２１】
前記第１ロック段階は、前記第２ロック段階に比べて小さい伸長動作を有する前記略非伸長型の挙動へと転換する、
請求項１に記載の患者インターフェース。
【請求項２２】
前記方向ロック機構は、異なる二つのロック段階を有する二段階方向ロックを有し、
前記二つのロック段階は、互いに異なる挙動及び性質を有する、
請求項１〜１０の何れか１項に記載の患者インターフェース。
【請求項２３】
前記第１ロック段階は、前記第２ロック段階よりも迅速に解放位置とロック位置との間を移動する迅速作動ロックである、
請求項２２に記載の患者インターフェース。
【請求項２４】
前記第２ロック段階は、第１ロック段階よりも高いロック力又は降伏力を提供する高力ロックである、
請求項２２又は２３に記載の患者インターフェース。
【請求項２５】
前記方向ロック機構は、機械的な方向ロックであり、当該機械的な方向ロックはハウジングを含み、
前記ハウジングは２つのロック筐体を画成し、
それぞれのロック筐体は、その内部に位置するロック部材を有し、
各ロック部材は開口部と、前記ハウジング及びそれぞれのロック部材の前記開口部を通るコア部材と、を含む、
請求項１〜１０の何れか１項に記載の患者インターフェース。
【請求項２６】
前記ロック部材は、前記コア部材の移動に対する抵抗が増加するロック位置と、前記コア部材の移動に対する抵抗が減少する解放位置との間で移動可能である、
請求項２５に記載の患者インターフェース。
【請求項２７】
第１ロック部材が、前記コア部材の移動に対する抵抗が増加する第１ロック位置と、前記コア部材の移動に対する抵抗が減少する第１解放位置との間で移動可能であり、
第２ロック部材が、前記コア部材の移動に対する抵抗が増加する第２ロック位置と、前記コア部材の移動に対する抵抗が減少する第２解放位置との間で移動可能である、
請求項２５又は２６に記載の患者インターフェース。
【請求項２８】
前記第１ロック位置と前記第１解放位置との間の角度又は距離の差は、前記第２ロック位置と前記第２解放位置との間の角度又は距離の差よりも小さい、
請求項２７に記載の患者インターフェース。
【請求項２９】
前記方向性ロック構造は、機械式方向ロックであり、前記機械式方向ロックは、ハウジングと、ローラボールと、スイッチと、コア部材とを有する、
請求項１〜１０の何れか１項に記載の患者インターフェース。
【請求項３０】
前記ロック筐体及び前記スイッチは、磁石及び磁性部材を含む、
請求項２９に記載の患者インターフェース。
【請求項３１】
前記方向ロック機構は、機械式方向ロックであり、前記機械式方向ロックは、ハウジングと、曲げられるカーブを有するＳ字形摩擦部材と、前記曲げられるカーブに隣接するワッシャと、前記Ｓ字形摩擦部材のオリフィス及びワッシャを通過するコア部材と、を有する、
請求項１〜１０の何れか１項に記載の患者インターフェース。
【請求項３２】
前記方向ロック機構は、機械式方向ロックであり、前記機械式方向ロックは、ハウジング、及び、前記ハウジングを通るコア部材を有し、前記ハウジングは、ばね式クリップを有し、コア部材は、鋸歯状の縁を有し、前記クリップは、前記鋸歯状の縁と相互作用するように構成されている、
請求項１〜１０の何れか１項に記載の患者インターフェース。
【請求項３３】
前記方向ロック機構は、機械式方向ロックであり、前記機械式方向ロックは、ハウジングと、ワッシャと、コア部材とを含み、前記ハウジングは、前記コア部材により画成される長手方向軸線に実質的に垂直であり且つ直交する自由運動面と、前記コア部材により画成される長手方向軸線に対して整列したロック表面とを有するように構成された内部キャビティを有し、前記ワッシャは前記内部キャビティ内に位置し、コア部材は、前記ハウジングのオリフィス及びワッシャを通過する、
請求項１〜１０の何れか１項に記載の患者インターフェース。
【請求項３４】
前記方向ロック機構は、機械式方向ロックであり、前記機械式方向ロックは、ハウジングと、ワッシャと、コア部材を有し、前記ハウジングは、内部キャビティを有し、前記ワッシャは、角度をなす表面を有し、かつ、前記内部キャビティ内に配置され、コア部材は、前記ハウジングのオリフィス及び前記ワッシャを通過する、
請求項１〜１０の何れか１項に記載の患者インターフェース。
【請求項３５】
前記方向ロック機構は、機械式方向ロックであり、前記機械式方向ロックは、ワッシャと、ハウジング内に配置された回転部材とを有し、コア部材は、前記ハウジングのオリフィス、前記ワッシャ、及び、回転部材を通過する、
請求項１〜１０の何れか１項に記載の患者インターフェース。
【請求項３６】
前記方向ロック機構は、機械式方向ロックであり、前記機械式方向ロックは、内部キャビティ内にＣ字型断面の弾性ロック部材を含むハウジングを有し、コア部材は前記ハウジングのオリフィス及び弾性ロック部材を通過する、
請求項１〜１０の何れか１項に記載の患者インターフェース。
【請求項３７】
前記方向ロック機構は、機械式方向ロックであり、前記機械式方向ロックは、内部キャビティ内に押しつぶすことが可能なコア部材を含むハウジングを有し、コア部材は前記ハウジングのオリフィス及び押しつぶすことが可能なコア部材を通過する、
請求項１〜１０の何れか１項に記載の患者インターフェース．
【請求項３８】
前記方向ロック機構は、機械式方向ロックであり、前記機械式方向ロックは、第２の端部よりも第１の端部で大きくなるように傾斜する内部チャンバと、前記内部チャンバ内のローラボールと、前記ハウジングのオリフィスを通過するコア部材とを有し、前記ローラボールは、前記傾斜する内部チャンバの壁面と、前記コア部材との間に位置している、
請求項１〜１０の何れか１項に記載の患者インターフェース。
【請求項３９】
前記方向ロック機構は、機械式方向ロックであり、前記機械式方向ロックは、円錐形の内部チャンバを有するハウジングと、コア部材と、前記コア部材の周りの可逆圧縮コレット部材と、を有する、
請求項１〜１０の何れか１項に記載の患者インターフェース。
【請求項４０】
前記方向ロック機構は、機械式方向ロックであり、前記機械式方向ロックは、ハウジングと、前記ハウジングに一体成形ヒンジにより結合されたロック部材と、コア部材とを有し、前記ハウジング及びロック部材は、前記コア部材が通過する開口部を有し、前記ロック部材は、解放位置と、ロック位置との間で移動可能である、
請求項１〜１０の何れか１項に記載の患者インターフェース。
【手続補正２】
【補正対象書類名】明細書
【補正対象項目名】００２７
【補正方法】変更
【補正の内容】
【００２７】
いくつかの構成においては、変形ロック挙動は機械的接着を用いる方向ロックによって提供され、機械的接着は、ナノファイバー材料の使用によるファンデルワールス（Ｖａｎ  ｄｅｒ  Ｗａａｌｓ）力によって提供される。
【手続補正３】
【補正対象書類名】明細書
【補正対象項目名】００３５
【補正方法】変更
【補正の内容】
【００３５】
いくつかの構成においては、後頭隆起上又はその下方を通る部分は断続ストラップを含む。断続ストラップは、カップリングによって結合された第１ストラップセクション及び第２ストラップセクションを含み得る。カップリングは、第１ストラップセクションと、第２ストラップセクションとの間の相対運動を可能にし得る。相対運動は断続ストラップの長手方向軸線を中心とした回転運動を含み得る。
【手続補正４】
【補正対象書類名】明細書
【補正対象項目名】００４９
【補正方法】変更
【補正の内容】
【００４９】
【図１】本発明の特定の特徴、態様及び利点に従い配置及び構成された、ヘッドギアとともに利用可能な使用者インターフェースの斜視図である。
【図２】ヘッドギア装着及び調節の３つのフェーズの概略図であり、各フェーズに関連する力プロファイルも示す。
【図３】ヘッドギア装着及び調節の第１のフェーズの概略図であり、第１のフェーズに関連する力プロファイルも示す。
【図４】ヘッドギア装着及び調節の第２のフェーズの概略図であり、第２のフェーズに関連する力プロファイルも示す。
【図５】ヘッドギア装着及び調節の第３のフェーズの概略図であり、第３のフェーズに関連する力プロファイルも示す。
【図６】需要機構（ｄｅｍａｎｄ  ｍｅｃｈａｎｉｓｍ）に対し抵抗を有するヘッドギアに関連する力プロファイルのグラフ図である。
【図７Ａ】需要機構に対し抵抗を有するヘッドギアの一実施形態の概略図である。
【図７Ｂ】図７Ａに示されるヘッドギアの実施形態の図である。
【図８】需要機構に対し抵抗を有するヘッドギアの第２の実施形態の概略図である。
【図９】需要機構に対し抵抗を有するヘッドギアの第３の実施形態の概略図である。
【図１０】需要機構に対し抵抗を有するヘッドギアの第４の実施形態の概略図である。
【図１１Ａ】需要機構に対し抵抗を有するヘッドギアの第５の実施形態の概略図である。
【図１１Ｂ】図１１Ａに示されるヘッドギアの伸長及び後退の概略図である。
【図１１Ｃ】図１１Ａに示されるヘッドギアの一実施形態の図である。
【図１１Ｄ】図１１Ａに示されるヘッドギアの第２の実施形態の図である。
【図１２】需要機構に対し抵抗を有するヘッドギアの第６の実施形態の概略図である。
【図１３】需要機構に対し抵抗を有するヘッドギアの第７の実施形態の概略図である。
【図１４】伸長機構の始動に対して高い抵抗を有するヘッドギアに関連する力プロファイルのグラフ図である。
【図１５Ａ】伸長機構の始動に対して高い抵抗を有するヘッドギアの一実施形態の概略図である。
【図１５Ｂ】伸長機構の始動に対して高い抵抗を有するヘッドギアの第２の実施形態の概略図である。
【図１６】伸長機構の始動に対して高い抵抗を有するヘッドギアの第３の実施形態の概略図である。
【図１７】伸長機構に対して反復する高い抵抗を有するヘッドギアに関連する力プロファイルのグラフ図である。
【図１８Ａ】伸長に抵抗する機構とともに示される、伸長機構に対して反復する高い抵抗を有するヘッドギアの一実施形態の概略図である。
【図１８Ｂ】後退を可能にする機構とともに示される、図１８Ａに示される、伸長機構に対して反復する高い抵抗を有するヘッドギアの実施形態の概略図である。
【図１９Ａ】図１８Ａの実施形態の図である。
【図１９Ｂ】図１８Ａの実施形態の第２の図である。
【図２０】大ヒステリシス機構（ｌａｒｇｅ  ｈｙｓｔｅｒｅｓｉｓ  ｍｅｃｈａｎｉｓｍ）を有するヘッドギアに関連する力プロファイルのグラフ図である。
【図２１Ａ】自由運動を可能にする機構とともに示される、大ヒステリシス機構を有するヘッドギアの一実施形態の概略図である。
【図２１Ｂ】運動に対する高摩擦抵抗を提供する機構とともに図２１Ａに示されるヘッドギアの実施形態の概略図である。
【図２２】図２１Ａ及びＢに示されるヘッドギアの一実施形態の図である。
【図２３】大ヒステリシス機構を有するヘッドギアの第２、第３及び第４の実施形態の概略図である。
【図２４】大ヒステリシス機構を有するヘッドギアの第５の実施形態の概略図である。
【図２５Ａ】大ヒステリシス機構を有するヘッドギアの第６の実施形態の概略図である。
【図２５Ｂ】自由運動を可能にする機構とともに示される、図２５Ａに示されるヘッドギアの実施形態の別の概略図である。
【図２５Ｃ】運動に対する高摩擦抵抗を提供する機構とともに示される、図２５Ａに示されるヘッドギアの実施形態の第３の概略図である。
【図２６Ａ】大ヒステリシス機構を有するヘッドギアの一実施形態の図である。
【図２６Ｂ】図２６に示されるヘッドギアの第２の図である。
【図２７Ａ】大ヒステリシス機構を有するヘッドギアの第７の実施形態の概略図である。
【図２７Ｂ】後退モードにある、図２７Ａに示される実施形態の図である。
【図２７Ｃ】伸長を制限するモードにある、図２７Ａに示される実施形態の第２の図である。
【図２８Ａ】大ヒステリシス機構を有するヘッドギアの第８の実施形態の概略図である。
【図２８Ｂ】図２８Ａに示される実施形態の図である。
【図２８Ｃ】大ヒステリシス機構を有するヘッドギアの第９の実施形態の概略図である。
【図２９】大ヒステリシス機構を有するヘッドギアの第１０の実施形態の概略図である。
【図３０】緩い又はきついフィット性への調節を可能にするヘッドギアの力プロファイルのグラフ図である。
【図３１Ａ】本明細書中に記載される平衡フィット機構の１つを有するヘッドギアによって使用者の頭部に種々のＣＰＡＰ圧力で印加される力のグラフ図である。
【図３１Ｂ】本明細書中に記載される平衡フィット機構の１つを有しないヘッドギアによって使用者の頭部に種々のＣＰＡＰ圧力で印加される力のグラフ図である。
【図３１Ｃ】本明細書中に記載される平衡フィット機構の１つを有するヘッドギアと、本明細書中に記載される平衡フィット機構の１つを有しないヘッドギアとの間における、種々のＣＰＡＰ圧力で使用者の頭部に印加される力の差のグラフ図である。
【図３２】ハウジングのロックチャンバ内の可動ロック部材と、ロック部材によって係合されたコア部材とを用いる方向ロックの局部断面図である。
【図３３】図３２のロックに類似する方向ロックの局部断面図を示す。図３３の方向ロックは、スリップ力に作用し、ロックに二次ロック位置を提供する解放機構を含む。
【図３４】ロック部材のロック角度と、図３２及び図３３の方向ロックなどの方向ロックのスリップ力との間の関係を示すグラフである。
【図３５】図３３の方向ロックなどの二次ロック位置を有する方向ロックの解放要素の変化に起因し得るスリップ力の変化を示すグラフである。
【図３６】微細構造を用いた方向ロック機構を有するインターフェースアセンブリの断面図である。
【図３７】微細構造を含むインターフェースアセンブリの２つの部分を示す図３６のインターフェースアセンブリの一部の拡大図である。
【図３８】図３６及び図３７のインターフェースアセンブリの微細構造として用いられ得るマイクロファイバー又はナノファイバーの図である。
【図３９】図３６及び図３７のインターフェースアセンブリの微細構造として用いられ得る複数の突起の図である。
【図４０】平坦ストラップと、ハウジングによって支持されるロックプレートとを用いる方向ロックの側面図である。ロックプレートは解放位置にある。
【図４１】ロックプレートがロック位置にある図４０の方向ロックの側面図である。
【図４２】ロックプレートとストラップとの間の係合を強化する作動機構を示す図４０の方向ロックのロックプレート及びストラップの断面図である。
【図４３】使用者に取り付けられている、少なくとも１つの方向ロック機構を組み込んだインターフェースアセンブリの斜視図である。
【図４４】完全装着位置に近い位置にある図４３のインターフェースアセンブリの斜視図である。
【図４５】使用者に装着された図４３のインターフェースアセンブリの斜視図である。
【図４６】弛緩位置にある図４３のインターフェースアセンブリの方向ロック機構の側面図である。
【図４７】伸長位置にある図４６の方向ロック機構の側面図である。
【図４８】動作位置にある図４６の方向ロック機構の側面図である。
【図４９】図４６〜４８の方向ロック機構の弾性ストラップを形成する編組の一部を示す。
【図５０】圧縮位置にある図４９の編組を示す。
【図５１】伸長位置にある図４９の編組を示す。
【図５２】図４９の編組を作製するための機械及び方法を示す。
【図５３】弾性線維を組み込んだ編組の断面図である。
【図５４】平坦配向にある図５３の編組の図である。
【図５５】使用者に装着された断続ストラップ配置を有するヘッドギアアセンブリの後部部分の後部斜視図である。
【図５６】ストラップの一部が関節式カップリングによって結合されている、使用者に装着された断続ストラップ配置を有するヘッドギアアセンブリの後部部分の後部斜視図である。
【図５７】使用者に装着された、ヘッドギアアセンブリの後部部分と使用者インターフェースとの間にサイドストラップを有するインターフェースアセンブリの側面図である。
【図５８】使用者に装着された、ヘッドギアアセンブリの後部部分と使用者インターフェースとの間に一対のサイドストラップを三角形配置で有するインターフェースアセンブリの側面図である。
【図５９】モジュール式方向ロック機構の一部を形成し得る図４６〜４８のものに類似するロック機構の側面図である。
【図６０】マスクに組み付けられた図５９のロック機構の斜視図である。
【図６１】弾性部分及び非弾性部分を有し、完全なループを画定するヘッドギア機構の斜視図である。
【図６２】図６１のヘッドギア機構の頂面図である。
【図６３】比較的後退した位置にある図６１のヘッドギア機構の頂面図である。
【図６４】比較的伸長した位置にある図６１のヘッドギア機構の頂面図である。
【図６５】方向ロックの第１の配置例を示す図６１のヘッドギア機構の頂面図である。
【図６６】方向ロックの第２の配置例を示す図６１のヘッドギア機構の頂面図である。
【図６７】弾性部分及び非弾性部分を有し、断続ループを画定するヘッドギア機構の斜視図である。
【図６８】図６７のヘッドギア機構の頂面図である。
【図６９】比較的後退した位置にある図６７のヘッドギア機構の頂面図である。
【図７０】比較的伸長した位置にある図６７のヘッドギア機構の頂面図である。
【図７１】方向ロックの第１の配置例を示す図６７のヘッドギア機構の頂面図である。
【図７２】方向ロックの第２の配置例を示す図６７のヘッドギア機構の頂面図である。
【図７３】ＣＰＡＰ平衡フィット、カニューレ平衡フィット、ＣＰＡＰ動作エンベロープに対する高力弾性ストラップ及び低力弾性ストラップの力プロファイルを示すグラフである。
【図７４】多段式方向ロックの局部断面図である。
【図７５】多段式方向ロックの力プロファイルを示すグラフである。
【図７６】密閉式患者インターフェースを含む特定タイプの呼吸療法に伴う力の図表である。
【手続補正５】
【補正対象書類名】明細書
【補正対象項目名】００５３
【補正方法】変更
【補正の内容】
【００５３】
図７６を参照すると、密閉式患者インターフェースを用いる特定タイプの陽圧呼吸療法に伴う力の説明を容易にするための図表２３００が提供される。使用者の顔上で密閉する患者インターフェースに関しては、ブロック２３０２に示されるように、インターフェース（例えばマスク）は使用者の顔と協働して密閉チャンバを作製する。加圧呼吸ガスが密閉チャンバに送られ、使用者の顔から離そうとする力を発生させる。この力は（投影）密閉面積に陽圧を乗じたものに略等しく、多くの場合、ブロック２３０４に示されるように、「吹出」力と呼ばれる。ヘッドギアの機能は、ブロック２３０６に示されるように、吹出力に応答してマスクを拘束し、マスクを使用者の顔に対して平衡密閉状態に維持することである。ブロック２３０８に示されるように、吹出力はヘッドギアに応力を加え、それを伸長しようとし、ヘッドギアに張力をかける。加えて、ブロック２３１０に示されるように、ヘッドギアは、使用者の頭部の、ヘッドギアが接触している領域に力を印加する。
接触領域に印加される力はヘッドギアの「皮膚圧力（ｓｋｉｎ  ｐｒｅｓｓｕｒｅ）」と呼ばれ得る。シール１０４又はシール１０４とフレーム１０２との組み合わせによって画定されるチャンバ内の空気圧が上昇するにつれて、ヘッドギアによって印加される力はインターフェースアセンブリ１００が顔から持ち上がるのを抑制しようとする。したがって、ヘッドギアによって印加される力は全般的に増加し、マスク内の増加する圧力によって生じる増加する力に抗する。吹出力は任意の特定の圧力の種々のタイプ及びサイズのインターフェースで異なる。それでも、低い圧力が低い場合、あるいは、カニューレの場合で圧力がかからない場合、吹出力に抗するために必要な力は低下する。
【手続補正６】
【補正対象書類名】明細書
【補正対象項目名】００９１
【補正方法】変更
【補正の内容】
【００９１】
図１５Ｂの下図に示すように、スイッチ１０２６がコアストラップ１０３０に係合すると、スイッチ１０２６のローラボール１０２４とコアストラップ１０３０との間の摩擦がコアストラップ１０３０の更なる伸長に実質的に抵抗する。図１５Ａを参照して記載した構成と同様に、ヘッドギアを伸長させるように作用する、スイッチ１０２６のローラボール１０２４とコアストラップ１０３０との間の摩擦に打ち勝つ所定の力において、スイッチ１０２６は、枢動箇所１０２８の周りを枢動してコアストラップ１０３０を解放し、コアストラップ１０３０が自由に動くことを可能にすることによって位置を変化する。スイッチがこの位置にあることにより、ヘッドギアは実質的に自由に伸長又は後退する。ヘッドギアが小さな周長に戻るときなど、コアストラップ１０３０の動きの方向が反転すると、ローラボール１０２４はロッキングチャンバ１０２２の自由側に（図１５Ｂでは左に）移動し、スイッチ１０２６がリセットされる。コアストラップ１０３０がその後引っ張られる場合、機構１０２０は再度、上述のようにヘッドギアの更なる伸長に抵抗するためのローラボールロックとして機能する。磁石１０３２及び磁性部材１０３４はスイッチ１０２６を保持及びリセットするように機能してもよい。
【手続補正７】
【補正対象書類名】明細書
【補正対象項目名】０１３１
【補正方法】変更
【補正の内容】
【０１３１】
図２９は、大ヒステリシス用のローラボール機構の代替的実施形態を示す。コレット機構１７００は、一端が円錐形の２部品ハウジング１７０４、１７０６を含む。硬質管状ハウジングの端部のためのハウジング部材１７０４、１７０６は、非伸展コアストラップ１７１０の自由端部を収容する。ハウジングはコアストラップ１７１０の周りにカラーを形成するコレット部材１７０８を収容する。コレット部材１７０８は図示される実施形態のように切頭円錐形状を有することが好ましく、その長手方向に、コレット部材１７０８の拡張及び収縮を可能にするための１つ又は複数の切り溝を有してもよい。コレット部材１７０８が矢印１７１２によって示される方向、つまり、ハウジング内に形成された円錐形チャンバ内に引き込まれると、コレット部材１７０８は非伸展コアストラップ１７１０に強いクランプ力をかける。上述のローラボール機構と同様に、コレット部材１７０８がハウジングの円錐形チャンバに引き込まれると、コアストラップ１７１０は高い摩擦力を受ける。反対方向に引っ張られる場合、コアストラップ１７１０は実質的に自由に動く。
【手続補正８】
【補正対象書類名】明細書
【補正対象項目名】０１５１
【補正方法】変更
【補正の内容】
【０１５１】
図３６及び図３７は、要求に応じた抵抗を示す自己フィット式インターフェースアセンブリ１８５０を示す。示されるインターフェースアセンブリ１８５０はアセンブリの第１部分とアセンブリの第２部分との間の機械的接着を用いた方向ロック機能を提供する。好ましくは、インターフェースアセンブリ１８５０は、図７及び図８のものなど、インターフェースアセンブリ１８５０の２つの部分が相互作用し、インターフェースアセンブリ１８５０の伸長に応じた第１の力と、第２の、好ましくは、より低い後退力とを提供するという点で本明細書中に記載されるインターフェースと類似の手法で構成される。しかしながら、図３６及び図３７のインターフェースアセンブリ１８５０は、１つ又は両部分に、機械的接着、機械的インターロック、ファンデルワールス（Ｖａｎ  ｄｅｒ  Ｗａａｌｓ）力又は他の分子間力を提供する微細構造を用いてそのような方向ロッキングを提供することが好ましい。
【手続補正９】
【補正対象書類名】明細書
【補正対象項目名】０１５５
【補正方法】変更
【補正の内容】
【０１５５】
微細構造１８６０は伸長及び後退のいずれか又は両方における部分１８５６、１８５８の相対運動に対し所望のレベルの抵抗を提供するための任意の適切な配置のものとすることができる。好ましくは、いくつかの構成においては、微細構造１８６０は方向性を有するか、相対運動の方向に応じて異なるレベルの抵抗を生じる。図３８に示されるように、１つの好適な微細構造配置１８６０は、マイクロファイバー又はナノファイバーなどの、エレクトロスピニング法及び高分子材料のような任意の適切な材料を用いて作製され得る複数の繊維を含み得る。他の適切な方法及び／又は材料も使用してよい。繊維は所望であれば、方向性特性を提供するような適切な手法で配向され得る。
【手続補正１０】
【補正対象書類名】明細書
【補正対象項目名】０１６０
【補正方法】変更
【補正の内容】
【０１６０】
上記機構と同様に、ストラップ１９０４とハウジング１９０６との相対運動によってインターフェースアセンブリの長さ又は周囲を調節できるように、ストラップ１９０４は、関連インターフェースアセンブリの第１部分に結合され得るか、関連インターフェースアセンブリの第１部分を形成することができ、ハウジング１９０６はインターフェースアセンブリの第２部分に結合され得るか、インターフェースアセンブリの第２部分を形成することができる。有利には、ストラップ１９０４は１つ又は複数の特性に関して異方性である。例えば、ストラップ１９０４は、幅方向に曲がる又は曲げる場合の方が高さ方向に曲げる場合に比べてより可撓性がある。したがって、インターフェースアセンブリに支持を提供し、マスク部分の望ましくない動きを阻止するために、ストラップ１９０４は使用者の頭部に合致する方向に曲がることができるが、高さ方向に曲がることには抵抗する。加えて、ストラップ１９０４を含む方向ロック１９００は、例えば、ヘッドギアストラップの側部、後部又は頂部部分などの、インターフェースアセンブリの、使用者の頭部に接する部分への使用に好適であり、おそらくは略円筒状コア部材を有するインターフェースに比べてより高い快適性を有する。しかしながら、方向ロック１９００は、使用者の頭部及びマスク部分に接する部分の間のヘッドギアの１つ又は両方の側部などのインターフェースアセンブリの他の部分又は位置にも使用され得る。
【手続補正１１】
【補正対象書類名】明細書
【補正対象項目名】０１８０
【補正方法】変更
【補正の内容】
【０１８０】
図５５は、インターフェースアセンブリ１９５０、本明細書中に開示される他のインターフェースアセンブリ、又は任意の他の適切なインターフェースとともに使用され得るヘッドギアアセンブリ１９５４の後部部分１９５６を示す。図５５に示されるヘッドギアアセンブリ１９５４の後部部分１９５６は、ストラップの長さ全体に負荷をかける区分化されていないストラップとは対照的に、負荷を分離する又は使用者の頭部に作用する不均一負荷を提供する断続した又は区分化されたストラップの形態の下後部セクション１９９０を含む。つまり、下後部セクション１９９０は、好ましくは断続している及び／又は間隔を空けて配置され、１つ若しくは複数のストラップ又はレース又はセクション１９９０の弱い部分などの、カップリング１９９２によって結合することができる第１部分１９９０ａ及び第２部分１９９０ｂを有する。セクション１９９０の長手方向軸線（セクション１９９０の長さ）に対する第１部分１９９０ａ及び第２部分１９９０ｂの相対的位置を実質的に固定するが、第１部分１９９０ａ及び第２部分１９９０ｂの、長手方向軸線に対する垂直方向又は回転方向の相対運動を可能とし得るために、カップリング１９９２は比較的又は実質的に非弾性とすることができる。そのような機構は関節式コネクタと呼ばれ得る。好ましくは、第１部分１９９０ａ及び第２部分１９９０ｂは使用者の頭部の後頭骨上又はその近傍に係合する後頭パッドを形成する。第１部分１９９０ａと第２部分１９９０ｂとの間のスペースは全般的に後頭隆起に周方向に配置することができ、下後部セクション１９９０は高さ方向において後頭隆起にあり得るかその下方にあり得る。好ましくは、後部部分１９５６は、また、使用者の頭部の頭頂部上に延在する上後部セクション１９９４を含む。下後部セクション１９９０の端部と上後部セクション１９９４の端部は使用者の各耳の略上の位置で互いに結合する。
【手続補正１２】
【補正対象書類名】明細書
【補正対象項目名】０１８３
【補正方法】変更
【補正の内容】
【０１８３】
図５７及び図５８は、インターフェースアセンブリ１９５０及び図４３〜５６とともに記載した関連構成要素に実質的に類似し得るインターフェースアセンブリの２つの様式を示す。したがって、記載されない図５７及び図５８のインターフェースアセンブリ１９５０の後部部分の詳細についてはインターフェースアセンブリ１９５０の対応する要素及び図４３〜５６とともに記載した関連構成要素と同じであるか類似すると想定され得る。あるいは、任意の他の適切な配置のものとすることができる。各インターフェースアセンブリ１９５０においては、各サイドストラップ１９５８（方向ロックを組み込むことができる、又は固定された長さとされ得る）は、使用者の耳の近傍に位置する箇所１９９６においてヘッドギアアセンブリ１９５４の後部部分１９５６に結合されている。好ましくは、箇所１９９６は、耳の前方に、且つ外耳が頭部に接合される上方位置（外耳の基部の頂部）に（例えば、略並んで）又はその近傍にある。サイドストラップ１９５８は箇所１９９６からマスク１９５２又は他のインターフェースまで延在する。図５７のインターフェースアセンブリ１９５０では、インターフェースアセンブリ１９５０の各側にある単一サイドストラップ１９５８は箇所１９９６からマスク１９５２まで延在する。図５８のインターフェースアセンブリ１９５０では、インターフェースアセンブリ１９５０の各側にある一対のサイドストラップ１９５８が箇所１９９６からマスク１９５２上の離間した位置まで延在して三角形配置を提供する。三角形配置は少なくともいくつかの場合においてマスク１９５２の安定性を増加する。好ましくは、上ストラップと下ストラップとの間で負荷が分離されるようにサイドストラップ１９５８の後方突起はヘッドギアアセンブリ１９５４の後部部分１９５６の上ストラップと下ストラップとの間を通る。このような配置の例及び更なる詳細については全体が参照により本明細書中に組み込まれる本出願人の米国特許出願公開第２０１３／００７４８４５号明細書に開示されている。上述のように、所望であれば、本明細書中に記載されるものなどの図５７及び図５８のインターフェースアセンブリ１９５０の任意の適切な位置に１つ又は複数の方向ロックが組み込まれ得る。
【手続補正１３】
【補正対象書類名】明細書
【補正対象項目名】０１９７
【補正方法】変更
【補正の内容】
【０１９７】
図７３は、また、高力弾性ストラップ２０９４及び低力弾性ストラップ２０９６の力プロファイルを、高ヒステリシス一方向摩擦力プロファイル２０９８と比較する。低力弾性ストラップは、カニューレの重量のみに打ち勝つことが可能な快適なフィット性を使用者に提供するためにカニューレとともに使用され得る。しかしながら、そのような配置は一般にホースの引張りなどの任意の大きな外力に適応することはできない。外力又はＣＰＡＰ治療の場合には吹出力に適応するために高力弾性ストラップが一般に必要とされる。高力弾性ストラップヘッドギアによって印加される力は一般にマスクに印加されることが予想される予想最大力に適応する一方で、予想最小頭部サイズ（マスクシステム動作エンベロープ２０８０によって示される）に適応するほど十分なものとすべきである。しかしながら、これには、吹出力が低い及び／又は力がない場合に必要とする力よりも高い最小力を印加するという欠点があり、使用者が不快になる可能性がある。一方向摩擦力プロファイル２０９８は、高力弾性ストラップ及び低力弾性ストラップ両方の利点を提供することを示す。つまり、一方向摩擦力プロファイル２０９８は吹出力又は外力がない場合、伸長に対する高い抵抗及び低い力を提供する。
【手続補正１４】
【補正対象書類名】明細書
【補正対象項目名】０２０４
【補正方法】変更
【補正の内容】
【０２０４】
しかしながら、第２ロック段階２１０４は、方向ロック２１００に所望の最大ロック力を提供することができる高力ロックとされ得る。第２ロック段階２１０４は、図７４に距離「ｂ」で示される、解放位置とロック位置との間におけるロック部材２１２２又はコア部材２１１０の移動を有し得る。いくつかの構成においては、距離「ｂ」は第１ロック段階２１０２の距離「ａ」よりも大きい。上述のように、第２ロック段階２１０４のロック角度βはロック角度αよりも大きくすることができ、これにより、いくつかの構成においては第１ロック段階２１０２よりも強いロック力を有する第２ロック段階２１０４となる可能性がある。第１ロック段階２１０２と第２ロック段階２１０４とを組み合わせると、対応するヘッドギア／インターフェースの小さな調整移動に応動する一方で、通常動作力又は予想動作力に対処するのに十分なロック力又は降伏力も提供する方向ロック２１００となり得る。
【手続補正１５】
【補正対象書類名】明細書
【補正対象項目名】０２１７
【補正方法】変更
【補正の内容】
【０２１７】
本発明を特定の実施形態の観点から記載してきたが、当業者に明らかな他の実施形態もまた本発明の範囲内である。したがって、本発明の範囲及び趣旨から逸脱することなく種々の変更形態及び修正形態を施してもよい。例えば、種々の構成要素を所望のように位置変更してもよい。更に、特徴、態様及び利点の全てが本発明の実施に必ずしも必要なわけではない。したがって、本発明の範囲は以下の特許請求の範囲によってのみ定義されるものとする。
[項１]
使用者の頭部にフィットするように伸長及び後退するように構成された呼吸療法用ヘッドギアであって、前記ヘッドギアを伸長させるために印加される第１の負荷力と、前記ヘッドギアを後退させて前記使用者の頭部にフィットさせるために印加される第２の負荷力とを必要とし、前記第１の負荷力が呼吸療法時に前記ヘッドギアに印加される予想負荷力よりも大きく、及び前記第２の負荷力が前記予想負荷力よりも小さい、ヘッドギア。
[項２]
前記予想負荷力が、ＣＰＡＰ圧力による力及びホース抗力を含む合成力を含む、項１に記載のヘッドギア。
[項３]
前記第１の負荷力が前記予想負荷力よりも予備量だけ大きい、項１又は２に記載のヘッドギア。
[項４]
前記ヘッドギアに後退力を印加する弾性要素を更に含み、前記後退力が前記第２の負荷力よりも大きい、項１〜３のいずれか一項に記載のヘッドギア。
[項５]
使用者の顔にマスクを固定するためのヘッドギアであって、後退力を提供するように構成された弾性部分と、前記弾性部分に比べて非弾性となるように構成された非弾性部分と、前記非弾性部分及び前記弾性部分に結合された制限機構であって、前記ヘッドギアの伸長を可能にするための第１の抵抗力と、前記ヘッドギアの後退に応じた第２の抵抗力とを必要とするように構成されている、制限機構とを含む、ヘッドギア。
[項６]
前記第１の抵抗力が前記第２の抵抗力よりも大きい、項５に記載のヘッドギア。
[項７]
前記第１の抵抗力がＣＰＡＰ圧力による力及びホース抗力を含む合成抵抗力よりも大きい、項５又は６に記載のヘッドギア。
[項８]
前記第２の抵抗力がＣＰＡＰ圧力による力及びホース抗力を含む合成力よりも小さい、項５〜７のいずれか一項に記載のヘッドギア。
[項９]
使用者の頭部にフィットするように伸長及び後退するように構成されたヘッドギアであって、半径方向の引張りがない場合の第１の伸長抵抗力及び半径方向の引張りに応じた第２の伸長抵抗力を有する、ヘッドギア。
[項１０]
前記第１の伸長抵抗力が前記第２の伸長抵抗力よりも小さい、項９に記載のヘッドギア。
[項１１]
前記第２の伸長抵抗力が前記ヘッドギアの２つの部分の係合の結果として発生する、項９又は１０に記載のヘッドギア。
[項１２]
前記第２の伸長抵抗力がＣＰＡＰ圧力による力及びホース抗力を含む合成力よりも大きい、項９〜１１のいずれか一項に記載のヘッドギア。
[項１３]
使用者の顔にマスクを固定するためのヘッドギアであって、後退力を提供するように構成された弾性部分と、前記弾性部分に比べて非弾性となるように構成された非弾性部分と、前記非弾性部分及び前記弾性部分に結合された制限機構であって、前記ヘッドギアに半径方向の張力がかかると伸長抵抗力を印加するように構成されている、制限機構とを含む、ヘッドギア。
[項１４]
患者インターフェースシステムであって、
使用者の鼻及び／又は口を取り囲むようなサイズ及び形状であり、且つ前記使用者の顔と少なくとも実質的なシールを形成するように構成されたインターフェース部分と、
前記患者インターフェースシステムをガス送達システムに結合することを可能にするカップリングと、
前記インターフェース部分が前記使用者の頭部に配置及び保持されることを可能にするヘッドギアシステムであって、前記患者インターフェースシステムの使用時、弾性型伸長挙動から略非伸長型の挙動へと変形する機能を備えた変形ロック挙動を提供する、ヘッドギアシステムと
を含む、患者インターフェースシステム。
[項１５]
前記変形ロック挙動が機械に基づく方向ロックによって提供される、項１４に記載の患者インターフェースシステム。
[項１６]
前記ヘッドギアシステムが約０．５Ｎ〜約６５Ｎの範囲の非伸長型挙動を提供する、項１４又は１５に記載の患者インターフェースシステム。
[項１７]
前記変形ロック挙動が、ロック筐体と、可動ロック部材と、コア部材とを含む機械的な方向ロックによって提供される、項１４〜１６のいずれか一項に記載の患者インターフェースシステム。
[項１８]
前記コア部材の断面寸法が約０．１ｍｍ〜約８ｍｍの範囲である、項１７に記載の患者インターフェースシステム。
[項１９]
前記ロック部材が前記コア部材に対して約０°〜約４５°の角度範囲にわたり移動可能である、項１７又は１８に記載の患者インターフェースシステム。
[項２０]
前記ロック部材に作用し、且つロック保持力を制御する付勢機構を更に含む、項１７〜１９のいずれか一項に記載の患者インターフェースシステム。
[項２１]
前記方向ロックがロックの作動を促進するための摩擦促進部を組み込む、項１７〜２０のいずれか一項に記載の患者インターフェースシステム。
[項２２]
前記コア部材がコードである、項１７〜２１のいずれか一項に記載の患者インターフェースシステム。
[項２３]
前記コア部材がストラップである、項１７〜２１のいずれか一項に記載の患者インターフェースシステム。
[項２４]
前記変形ロック挙動が機械的接着を用いる方向ロックによって提供され、前記機械的接着が、ナノファイバー材料の使用によるファンデルウォールス力によって提供される、項１４に記載の患者インターフェースシステム。
[項２５]
前記変形ロック挙動が機械的接着を用いる方向ロックによって提供され、前記機械的接着が微細構造によって提供される、項１４に記載の患者インターフェースシステム。
[項２６]
前記弾性型伸長が、組み込まれた弾性要素を有する布バネを含む弾性型伸長システムによって提供される、項１４〜２５のいずれか一項に記載の患者インターフェースシステム。
[項２７]
前記弾性要素が塑性変形する前に前記非弾性要素が伸長に対する物理的エンドストップを提供するように前記弾性要素と前記非弾性要素とが組み合わされる編組として前記布バネが構成される、項２６に記載の患者インターフェースシステム。
[項２８]
前記編組内の弾性要素の量が前記布バネの所望の力対伸長特性を実現するように選択される、項２７に記載の患者インターフェースシステム。
[項２９]
前記変形ロック挙動が、ハウジングと、前記ハウジング内の可動ロック部材と、コア部材とを含む機械的な方向ロックによって提供され、前記ハウジングが前記コア部材の動きを案内し、前記ハウジング及び前記ロック部材の両方が単一の一体型モジュールによって形成される、項１４に記載の患者インターフェースシステム。
[項３０]
前記変形ロック挙動が、ロックモジュールと、非弾性部分と、弾性部分とを含む機械的な方向ロックによって提供され、前記ロックモジュールと、前記非弾性部分と、前記弾性部分とがモジュール式調整アセンブリを形成する、項１４に記載の患者インターフェースシステム。
[項３１]
前記インターフェース部分がマスクであり、及び前記モジュール式調整アセンブリが前記マスクのフレームに結合されている、項３０に記載の患者インターフェースシステム。
[項３２]
前記フレームが、前記ロックモジュールを受け入れるスペースを画定する１つ又は複数の壁を含む、項３１に記載の患者インターフェースシステム。
[項３３]
前記モジュール式調整アセンブリが前記ヘッドギアシステムの一部に結合されている、項３０に記載の患者インターフェースシステム。
[項３４]
前記ヘッドギアシステムの一部が、下後部ストラップ及び頭頂部ストラップの少なくとも１つを含む後部部分である、項３１に記載の患者インターフェースシステム。
[項３５]
前記ヘッドギアシステムが後頭隆起上又はその下方を通る部分を含み、前記部分が、前記頭部の後部部分に不均一な荷重を付与する特徴を組み込む、項１４〜３４のいずれか一項に記載の患者インターフェースシステム。
[項３６]
前記後頭隆起上又はその下方を通る前記部分が断続ストラップを含む、項３５に記載の患者インターフェースシステム。
[項３７]
前記断続ストラップが、カップリングによって結合された第１ストラップセクション及び第２ストラップセクションを含む、項３６に記載の患者インターフェースシステム。
[項３８]
前記カップリングが、第１のストラップ第２と、セクションストラップセクションとの間の相対運動を可能にする、項３７に記載の患者インターフェースシステム。
[項３９]
前記相対運動が前記断続ストラップの長手方向軸線を中心とした回転運動を含む、項３８に記載の患者インターフェースシステム。
[項４０]
前記ヘッドギアシステムが前記後頭隆起の上方を通る部分を更に含み、前記部分が、前記頭部の頂部部分に不均一な荷重を付与する特徴を組み込む、項３５〜３９のいずれか一項に記載の患者インターフェースシステム。
[項４１]
前記ヘッドギアシステムが後頭隆起上又はその上方を通る部分を含み、前記部分が、前記頭部に不均一な荷重を付与する特徴を組み込む、項１４〜３４のいずれか一項に記載の患者インターフェースシステム。
[項４２]
前記ヘッドギアシステムが、後部部分と、前記インターフェースシステムの各側部にある、前記後部部分を前記インターフェース部分に結合する少なくとも１つのサイドストラップとを含む、項１４〜３４のいずれか一項に記載の患者インターフェースシステム。
[項４３]
使用時、前記少なくとも１つのサイドストラップが前記使用者の外耳の上部分の前方及び前記使用者の外耳の上部分又はその近傍に位置する箇所において前記ヘッドギアシステムの前記後部部分に結合されている、項４２に記載の患者インターフェースシステム。
[項４４]
前記ヘッドギアシステムの前記後部部分が上ストラップ及び下ストラップを含み、前記少なくとも１つのサイドストラップの後方突起が前記上ストラップと前記下ストラップとの間を通る、項４２又は４３に記載の患者インターフェースシステム。
[項４５]
前記少なくとも１つのサイドストラップが三角形構成で配置されたサイドストラップの対を含む、項４２〜４４のいずれか一項に記載の患者インターフェースシステム。
[項４６]
前記変形ロック挙動が、前記ヘッドギアシステム内に収容された１つ又は複数の非伸長要素に作用し、前記ヘッドギアシステムの弾性部分を実質的に分離するロック機構によって提供される、項１４に記載の患者インターフェースシステム。
[項４７]
前記ヘッドギアシステムが、様々な頭部サイズにフィットすることを可能にする機構を組み込み、前記機構が、互いに並列に構成される弾性要素及び略非伸長要素の両方を含む、項１４〜４６のいずれか一項に記載の患者インターフェースシステム。
[項４８]
前記ヘッドギアシステムが、様々な頭部サイズにフィットすることを可能にする機構を組み込み、前記機構が、前記使用者の頭部を実質的に取り囲む１つ又は複数の略非伸長要素を含む、項１４〜４６のいずれか一項に記載の患者インターフェースシステム。
[項４９]
前記非伸長要素の第１部分が前記ヘッドギアシステムの長手方向において前記非伸長要素の第２部分に重なる、項４８に記載の患者インターフェースシステム。
[項５０]
前記第１部分及び前記第２部分が前記非伸長要素の第１端部及び第２端部である、項４９に記載の患者インターフェースシステム。
[項５１]
前記第１部分及び前記第２部分が前記非伸長要素の一端の一部である、項４９に記載の患者インターフェースシステム。
[項５２]
前記変形ロック挙動が、手動式ロック、空気圧作動式ロック、電気作動式ロック、圧電作動式ロック、油圧作動式ロック又は熱機械作動式ロックによって提供される、項１４に記載の患者インターフェースシステム。
[項５３]
前記変形ロック挙動が第１ロック力を提供する第１ロック段階及び第２ロック力を提供する第２ロック段階を有し、前記第２ロック力が前記第１ロック力よりも大きい、項１４〜５２のいずれか一項に記載の患者インターフェースシステム。
[項５４]
前記第１ロック段階が、前記第２ロック段階に比べて小さい伸長動作を有する前記略非伸長型の挙動へと転換する、項５３に記載の患者インターフェースシステム。
[項５５]
使用者の頭部にフィットするように伸長及び後退するように構成された呼吸療法用ヘッドギアであって、前記ヘッドギアを伸長させるために第１の負荷力の印加を必要とし、前記ヘッドギアが前記使用者の頭部にフィットすると、前記ヘッドギアが、呼吸療法時に前記ヘッドギアに印加される負荷力に等しい平衡保持力を提供し、前記第１の負荷力が前記平衡保持力よりも大きい、ヘッドギア。
[項５６]
呼吸療法時に前記ヘッドギアに印加される前記負荷力がＣＰＡＰ圧力による力及びホース抗力を含む、項５５に記載のヘッドギア。
[項５７]
前記第１の負荷力が、呼吸療法時に前記ヘッドギアに印加される前記負荷力よりも予備量だけ大きい、項５５又は５６に記載のヘッドギア。
[項５８]
前記ヘッドギアを後退させようとする後退力を印加する弾性要素を更に含む、項５５〜５７のいずれか一項に記載のヘッドギア。
[項５９]
前記後退力が、呼吸療法時に前記ヘッドギアに印加される前記負荷力よりも小さい、項５８に記載のヘッドギア。
【外国語明細書】
2020124548000001.pdf